(57)【特許請求の範囲】
【請求項１】
物理レイヤプリアンブルとペイロードとを備えるワイヤレス通信を受信するように構成された受信機であって、前記プリアンブルは、前記プリアンブルが拡張フィールドを含むかどうかを示す第１のフィールドを含み、前記第１のフィールドが信号フィールドを備え、および前記信号フィールドの変調の回転が、前記拡張フィールドが前記通信に含まれるというインジケータであり、ここにおいて、前記第１のフィールドが、前記ワイヤレス通信の長さインジケータを含むサブフィールドをさらに含む、受信機と、
前記信号フィールドの前記変調の前記回転が、前記プリアンブルが前記拡張フィールドを含まないことを示すとき、前記第１のフィールド中に含まれる変調コーディングパラメータに基づいて前記ペイロードを処理する、
前記信号フィールドの前記変調の前記回転が、前記プリアンブルが前記拡張フィールドを含むことを示すとき、前記拡張フィールド中に含まれるコーディングパラメータに基づいて前記ペイロードを処理する、
前記第１のフィールドが、前記ワイヤレス通信がシングルユーザ非アグリゲートメディアアクセス制御プロトコルデータユニットのためのものであることを示すとき、前記サブフィールドをバイト数のインジケータとして解釈する、および
前記第１のフィールドが、前記ワイヤレス通信がシングルユーザ非アグリゲートメディアアクセス制御プロトコルデータユニットのためのものであることを示さないとき、前記サブフィールドをシンボル数のインジケータとして解釈する、
ように構成されたプロセッサと、
を備える、ワイヤレス通信のための装置。
【請求項２】
前記拡張フィールドが、１つまたは複数の変調コーディング方式の指示と、１つまたは複数の空間ストリームの指示と、グループ識別子と、巡回冗長検査と、予約済みサブフィールドと、末尾サブフィールドとを備える、請求項１に記載の装置。
【請求項３】
前記ワイヤレス通信が、第１のタイプを備え、前記第１のフィールドが、シーケンスを有するトレーニングフィールドを備え、前記受信機が、第２のタイプを有するワイヤレス通信を受信するようにさらに構成され、前記第２のタイプの前記ワイヤレス通信が、前記シーケンスを有するトレーニングフィールドを備え、前記シーケンスが、前記第１のタイプの前記トレーニングフィールド中でよりも前記第２のタイプの前記トレーニングフィールド中で、より多くの回数反復される、請求項１に記載の装置。
【請求項４】
前記拡張フィールドがトレーニングフィールドを備える、請求項１に記載の装置。
【請求項５】
前記トレーニングフィールドがプリコーディングされる、請求項４に記載の装置。
【請求項６】
前記拡張フィールドが信号フィールドを備える、請求項１に記載の装置。
【請求項７】
各ユーザについて１つの信号フィールドが含まれる、請求項６に記載の装置。
【請求項８】
前記プロセッサは、前記第１のフィールドの変調が回転されたとき、前記拡張フィールドが含まれると判断し、前記ワイヤレス通信がマルチユーザ多入力多出力通信または送信ビームフォーミング通信を備えると判断するように構成され、前記プロセッサは、前記拡張フィールド中のインジケータに基づいて、前記ワイヤレス通信が前記マルチユーザ多入力多出力通信を備えるのか前記送信ビームフォーミング通信を備えるのかを判断するようにさらに構成された、請求項１に記載の装置。
【請求項９】
物理レイヤプリアンブルとペイロードとを備えるワイヤレス通信を受信することであって、前記プリアンブルは、前記プリアンブルが拡張フィールドを含むかどうかを示す第１のフィールドを含み、前記第１のフィールドが信号フィールドを備え、および前記信号フィールドの変調の回転が、前記拡張フィールドが前記通信に含まれるというインジケータであり、ここにおいて、前記第１のフィールドが、前記ワイヤレス通信の長さインジケータを含むサブフィールドをさらに含む、受信することと、
前記信号フィールドの前記変調の前記回転が、前記プリアンブルが前記拡張フィールドを含まないことを示すとき、前記第１のフィールド中に含まれる変調コーディングパラメータに基づいて前記ペイロードを処理することと、
前記信号フィールドの前記変調の前記回転が、前記プリアンブルが前記拡張フィールドを含むことを示すとき、前記拡張フィールド中に含まれるコーディングパラメータに基づいて前記ペイロードを処理することと、
前記第１のフィールドが、前記ワイヤレス通信がシングルユーザ非アグリゲートメディアアクセス制御プロトコルデータユニットのためのものであることを示すとき、前記サブフィールドをバイト数のインジケータとして解釈することと、および
前記第１のフィールドが、前記ワイヤレス通信がシングルユーザ非アグリゲートメディアアクセス制御プロトコルデータユニットのためのものであることを示さないとき、前記サブフィールドをシンボル数のインジケータとして解釈することと、
を備える、ワイヤレス通信の方法。
【請求項１０】
前記拡張フィールドが、１つまたは複数の変調コーディング方式の指示と、１つまたは複数の空間ストリームの指示と、グループ識別子と、巡回冗長検査と、予約済みサブフィールドと、末尾サブフィールドとを備える、請求項９に記載の方法。
【請求項１１】
前記ワイヤレス通信が、第１のタイプを備え、前記第１のフィールドが、シーケンスを有するトレーニングフィールドを備え、前記方法が、第２のタイプを有するワイヤレス通信を受信することをさらに備え、前記第２のタイプの前記ワイヤレス通信が、前記シーケンスを有するトレーニングフィールドを備え、前記シーケンスが、前記第１のタイプの前記トレーニングフィールド中でよりも前記第２のタイプの前記トレーニングフィールド中で、より多くの回数反復される、請求項９に記載の方法。
【請求項１２】
前記拡張フィールドがトレーニングフィールドを備える、請求項９に記載の方法。
【請求項１３】
前記トレーニングフィールドがプリコーディングされる、請求項１２に記載の方法。
【請求項１４】
前記拡張フィールドが信号フィールドを備える、請求項９に記載の方法。
【請求項１５】
各ユーザについて１つの信号フィールドが含まれる、請求項１４に記載の方法。
【請求項１６】
前記第１のフィールドの変調が回転されたことに基づいて、前記拡張フィールドが含まれると判断し、前記ワイヤレス通信がマルチユーザ多入力多出力通信または送信ビームフォーミング通信を備えると判断することと、前記拡張フィールド中のインジケータに基づいて、前記ワイヤレス通信が前記マルチユーザ多入力多出力通信を備えるのか前記送信ビームフォーミング通信を備えるのかを判断することとをさらに備える、請求項９に記載の方法。
【請求項１７】
物理レイヤプリアンブルとペイロードとを備えるワイヤレス通信を受信するための手段であって、前記プリアンブルは、前記プリアンブルが拡張フィールドを含むかどうかを示す第１のフィールドを含み、前記第１のフィールドが信号フィールドを備え、および前記信号フィールドの変調の回転が、前記拡張フィールドが前記通信に含まれるというインジケータであり、ここにおいて、前記第１のフィールドが、前記ワイヤレス通信の長さインジケータを含むサブフィールドをさらに含む、受信するための手段と、
前記信号フィールドの前記変調の前記回転が、前記プリアンブルが前記拡張フィールドを含まないことを示すとき、前記第１のフィールド中に含まれる変調コーディングパラメータに基づいて前記ペイロードを処理するための手段と、
前記信号フィールドの前記変調の前記回転が、前記プリアンブルが前記拡張フィールドを含むことを示すとき、前記拡張フィールド中に含まれるコーディングパラメータに基づいて前記ペイロードを処理するための手段と、
前記第１のフィールドが、前記ワイヤレス通信がシングルユーザ非アグリゲートメディアアクセス制御プロトコルデータユニットのためのものであることを示すとき、前記サブフィールドをバイト数のインジケータとして解釈するための手段と、および
前記第１のフィールドが、前記ワイヤレス通信がシングルユーザ非アグリゲートメディアアクセス制御プロトコルデータユニットのためのものであることを示さないとき、前記サブフィールドをシンボル数のインジケータとして解釈するための手段と、
を備える、ワイヤレス通信のための装置。
【請求項１８】
実行されたとき、装置に、
物理レイヤプリアンブルとペイロードとを備えるワイヤレス通信を受信することであって、前記プリアンブルは、前記プリアンブルが拡張フィールドを含むかどうかを示す第１のフィールドを含み、前記第１のフィールドが信号フィールドを備え、および前記信号フィールドの変調の回転が、前記拡張フィールドが前記通信に含まれるというインジケータであり、ここにおいて、前記第１のフィールドが、前記ワイヤレス通信の長さインジケータを含むサブフィールドをさらに含む、受信することと、
前記信号フィールドの前記変調の前記回転が、前記プリアンブルが前記拡張フィールドを含まないことを示すとき、前記第１のフィールド中に含まれる変調コーディングパラメータに基づいて前記ペイロードを処理することと、
前記信号フィールドの前記変調の前記回転が、前記プリアンブルが前記拡張フィールドを含むことを示すとき、前記拡張フィールド中に含まれるコーディングパラメータに基づいて前記ペイロードを処理することと、
前記第１のフィールドが、前記ワイヤレス通信がシングルユーザ非アグリゲートメディアアクセス制御プロトコルデータユニットのためのものであることを示すとき、前記サブフィールドをバイト数のインジケータとして解釈することと、および
前記第１のフィールドが、前記ワイヤレス通信がシングルユーザ非アグリゲートメディアアクセス制御プロトコルデータユニットのためのものであることを示さないとき、前記サブフィールドをシンボル数のインジケータとして解釈することと、
を行わせる、命令を記憶するコンピュータ可読記憶媒体。
【請求項１９】
物理レイヤプリアンブルとペイロードとを備える通信を生成することと、前記プリアンブル中に拡張フィールドを含めるべきかどうかを判断することと、ここにおいて、前記プリアンブルは、前記拡張フィールドが含まれるかどうかを示す第１のフィールドを含み、前記第１のフィールドが信号フィールドを備え、および前記信号フィールドの変調の回転が、前記拡張フィールドが前記通信に含まれるというインジケータであり、前記第１のフィールドが、ワイヤレス通信の長さインジケータを含むサブフィールドをさらに含む、
前記信号フィールドの前記変調の前記回転が、前記拡張フィールドが前記通信に含まれないことを示すとき、前記第１のフィールド中に前記ペイロードのための変調コーディングパラメータを含めることと、
前記信号フィールドの前記変調の前記回転が、前記拡張フィールドが前記通信に含まれることを示すとき、前記拡張フィールド中に前記ペイロードのためのコーディングパラメータを含めることと、
前記第１のフィールドが、前記通信がシングルユーザ非アグリゲートメディアアクセス制御プロトコルデータユニットのためのものであることを示すとき、前記サブフィールドをバイト数のインジケータとして処理することと、および
前記第１のフィールドが、前記ワイヤレス通信がシングルユーザ非アグリゲートメディアアクセス制御プロトコルデータユニットのためのものであることを示さないとき、前記サブフィールドをシンボル数のインジケータとして処理することと
を行うように構成されたプロセッサと、および
前記生成された通信をワイヤレス送信するように構成された送信機と、
を備える、ワイヤレス通信のための装置。
【請求項２０】
前記プロセッサは、マルチユーザ多入力多出力を使用するとき、前記拡張フィールドを含めることを判断するように構成された、請求項１９に記載の装置。
【請求項２１】
前記拡張フィールドが、１つまたは複数の変調コーディング方式の指示と、１つまたは複数の空間ストリームの指示と、グループ識別子と、巡回冗長検査と、予約済みサブフィールドと、末尾サブフィールドとを備える、請求項１９に記載の装置。
【請求項２２】
前記プロセッサが、少なくとも２つのタイプのうちの１つとして前記通信を送信することを判断するように構成され、前記タイプの各々の前記第１のフィールドが、シーケンスを有するトレーニングフィールドを備え、前記シーケンスが、前記少なくとも２つのタイプのうちの第１のタイプの前記トレーニングフィールド中でよりも前記少なくとも２つのタイプのうちの第２のタイプの前記トレーニングフィールド中で、より多くの回数反復される、請求項１９に記載の装置。
【請求項２３】
前記拡張フィールドがトレーニングフィールドを備える、請求項１９に記載の装置。
【請求項２４】
前記トレーニングフィールドがプリコーディングされる、請求項２３に記載の装置。
【請求項２５】
前記拡張フィールドが信号フィールドを備える、請求項１９に記載の装置。
【請求項２６】
各ユーザについて１つの信号フィールドが含まれる、請求項２５に記載の装置。
【請求項２７】
前記プロセッサは、前記第１のフィールドの回転変調を使用して、前記拡張フィールドが含まれることを示し、前記通信がマルチユーザ多入力多出力通信または送信ビームフォーミング通信を備えることを示すように構成され、前記プロセッサは、前記拡張フィールド中のインジケータを使用して、前記通信が前記マルチユーザ多入力多出力通信を備えるのか前記送信ビームフォーミング通信を備えるのかを表すようにさらに構成された、請求項１９に記載の装置。
【請求項２８】
通信の物理レイヤプリアンブル中に拡張フィールドを含めるべきかどうかを判断することと、
前記通信を生成することであって、前記通信が、前記プリアンブルとペイロードとを備え、前記プリアンブルは、前記拡張フィールドが含まれるかどうかを示す第１のフィールドを含み、前記第１のフィールドが信号フィールドを備え、および前記信号フィールドの変調の回転が、前記拡張フィールドが前記通信に含まれるというインジケータであり、前記第１のフィールドが、ワイヤレス通信の長さインジケータを含むサブフィールドをさらに含み、前記生成することが、
前記信号フィールドの前記変調の回転が、前記拡張フィールドが前記通信に含まれないことを示すとき、前記第１のフィールド中に前記ペイロードのための変調コーディングパラメータを含めることと、
前記信号フィールドの前記変調の回転が、前記拡張フィールドが前記通信に含まれることを示すとき、前記拡張フィールド中に前記ペイロードのためのコーディングパラメータを含めることと、
前記第１のフィールドが、前記通信がシングルユーザ非アグリゲートメディアアクセス制御プロトコルデータユニットのためのものであることを示すとき、前記サブフィールドをバイト数のインジケータとして処理することと、および
前記第１のフィールドが、前記ワイヤレス通信がシングルユーザ非アグリゲートメディアアクセス制御プロトコルデータユニットのためのものであることを示さないとき、前記サブフィールドをシンボル数のインジケータとして処理することと、
を備える、
生成することと、および
前記生成された通信をワイヤレス送信することと、
を備える、ワイヤレス通信の方法。
【請求項２９】
前記判断することは、マルチユーザ多入力多出力を使用するとき、前記拡張フィールドを含めることを判断することを備える、請求項２８に記載の方法。
【請求項３０】
前記拡張フィールドが、１つまたは複数の変調コーディング方式の指示と、１つまたは複数の空間ストリームの指示と、グループ識別子と、巡回冗長検査と、予約済みサブフィールドと、末尾サブフィールドとを備える、請求項２８に記載の方法。
【請求項３１】
前記方法が、少なくとも２つのタイプのうちの１つとして前記通信を送信することを判断することをさらに備え、前記タイプの各々の前記第１のフィールドが、シーケンスを有するトレーニングフィールドを備え、前記シーケンスが、前記少なくとも２つのタイプのうちの第１のタイプの前記トレーニングフィールド中でよりも前記少なくとも２つのタイプのうちの第２のタイプの前記トレーニングフィールド中で、より多くの回数反復される、請求項２８に記載の方法。
【請求項３２】
前記拡張フィールドがトレーニングフィールドを備える、請求項２８に記載の方法。
【請求項３３】
前記トレーニングフィールドがプリコーディングされる、請求項３２に記載の方法。
【請求項３４】
前記拡張フィールドが信号フィールドを備える、請求項２８に記載の方法。
【請求項３５】
各ユーザについて１つの信号フィールドが含まれる、請求項３４に記載の方法。
【請求項３６】
送信することは、前記第１のフィールドの回転変調を使用することによって、前記拡張フィールドが含まれることを示し、前記ワイヤレス通信がマルチユーザ多入力多出力通信または送信ビームフォーミング通信を備えることを示すことを備え、生成することは、前記拡張フィールド中のインジケータを使用して、前記ワイヤレス通信が前記マルチユーザ多入力多出力通信を備えるのか前記送信ビームフォーミング通信を備えるのかを表すことを備える、請求項２８に記載の方法。
【請求項３７】
通信の物理レイヤプリアンブル中に拡張フィールドを含めるべきかどうかを判断するための手段と、
前記通信を生成するための手段であって、前記通信が、前記プリアンブルとペイロードとを備え、前記プリアンブルは、前記拡張フィールドが含まれるかどうかを示す第１のフィールドを含み、前記第１のフィールドが信号フィールドを備え、および前記信号フィールドの変調の回転が、前記拡張フィールドが前記通信に含まれるというインジケータであり、前記第１のフィールドが、ワイヤレス通信の長さインジケータを含むサブフィールドをさらに含み、前記生成するための手段が、
前記信号フィールドの前記変調の前記回転が、前記拡張フィールドが前記通信に含まれないことを示すとき、前記第１のフィールド中に前記ペイロードのための変調コーディングパラメータを含めるための手段と、
前記信号フィールドの前記変調の前記回転が、前記拡張フィールドが前記通信に含まれることを示すとき、前記拡張フィールド中に前記ペイロードのためのコーディングパラメータを含めるための手段と、
前記第１のフィールドが、前記通信がシングルユーザ非アグリゲートメディアアクセス制御プロトコルデータユニットのためのものであることを示すとき、前記サブフィールドをバイト数のインジケータとして処理するための手段と、および
前記第１のフィールドが、前記ワイヤレス通信がシングルユーザ非アグリゲートメディアアクセス制御プロトコルデータユニットのためのものであることを示さないとき、前記サブフィールドをシンボル数のインジケータとして処理するための手段と、
を備える、
生成するための手段と、および
前記生成された通信をワイヤレス送信するための手段と、
を備える、ワイヤレス通信のための装置。
【請求項３８】
実行されたとき、装置に、
通信の物理レイヤプリアンブル中に拡張フィールドを含めるべきかどうかを判断することと、
前記通信を生成することであって、前記通信が、前記プリアンブルとペイロードとを備え、前記プリアンブルは、前記拡張フィールドが含まれるかどうかを示す第１のフィールドを含み、前記第１のフィールドが信号フィールドを備え、および前記信号フィールドの変調の回転が、前記拡張フィールドが前記通信に含まれるというインジケータであり、前記第１のフィールドが、ワイヤレス通信の長さインジケータを含むサブフィールドをさらに含む、生成することと、
前記信号フィールドの前記変調の前記回転が、前記拡張フィールドが前記通信に含まれないことを示すとき、前記第１のフィールド中に前記ペイロードのための変調コーディングパラメータを含めることと、
前記信号フィールドの前記変調の前記回転が、前記拡張フィールドが前記通信に含まれることを示すとき、前記拡張フィールド中に前記ペイロードのためのコーディングパラメータを含めることと、
前記第１のフィールドが、前記通信がシングルユーザ非アグリゲートメディアアクセス制御プロトコルデータユニットのためのものであることを示すとき、前記サブフィールドをバイト数のインジケータとして処理することと、および
前記第１のフィールドが、前記ワイヤレス通信がシングルユーザ非アグリゲートメディアアクセス制御プロトコルデータユニットのためのものであることを示さないとき、前記サブフィールドをシンボル数のインジケータとして処理することと、および
前記生成された通信をワイヤレス送信することと、
を行わせる、命令を記憶するコンピュータ可読記憶媒体。
【発明の詳細な説明】
【技術分野】
【０００１】
関連出願の相互参照
本出願は、その開示の全体が参照により本明細書に組み込まれる、２０１１年５月１３日に出願された「SYSTEMS AND METHODS FOR WIRELESS COMMUNICATION OF PACKETS HAVING A PLURALITY OF FORMATS」と題する米国仮特許出願第６１／４８６，１０７号に対する、米国特許法第１１９条（ｅ）項に基づく利益を主張する。本出願は、さらに、その開示の全体が参照により本明細書に組み込まれる、２０１１年５月２１日に出願された「SYSTEMS AND METHODS FOR WIRELESS COMMUNICATION OF PACKETS HAVING A PLURALITY OF FORMATS」と題する米国仮特許出願第６１／４８８，７１４号に対する、米国特許法第１１９条（ｅ）項に基づく利益を主張する。本出願はまた、その開示の全体が参照により本明細書に組み込まれる、２０１１年１２月１９日に出願された「SYSTEMS AND METHODS FOR WIRELESS COMMUNICATION OF PACKETS HAVING A PLURALITY OF FORMATS」と題する米国仮特許出願第６１／５７７，４４２号に対する、米国特許法第１１９条（ｅ）項に基づく利益を主張する。本出願は、その開示の全体が参照により本明細書に組み込まれる、２０１１年１２月２７日に出願された「SYSTEMS AND METHODS FOR WIRELESS COMMUNICATION OF PACKETS HAVING A PLURALITY OF FORMATS」と題する米国仮特許出願第６１／５８０，６１３号に対する、米国特許法第１１９条（ｅ）項に基づく利益を主張する。本出願は、その開示の全体が参照により本明細書に組み込まれる、２０１２年１月１１日に出願された「SYSTEMS AND METHODS FOR WIRELESS COMMUNICATION OF PACKETS HAVING A PLURALITY OF FORMATS」と題する米国仮特許出願第６１／５８５，５５７号に対する、米国特許法第１１９条（ｅ）項に基づく利益を主張する。
【０００２】
本出願は、一般にワイヤレス通信に関し、より詳細には、複数の異なるフォーマットを有するパケットを通信するためのシステムおよび方法に関する。
【背景技術】
【０００３】
多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００４】
ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、固定ワイヤードネットワークと比較して、ユーザモビリティと迅速なフィールド展開とを有利な形で可能にする。
【０００５】
ワイヤレスネットワーク中のデバイスは、互いの間で情報を送信／受信し得る。その情報は、いくつかの態様ではデータユニットと呼ばれることがある、パケットを備え得る。パケットは、ネットワークを介してパケットをルーティングすること、パケット中のデータを識別すること、パケットを処理することなどを行うのに役立つオーバーヘッド情報（たとえば、ヘッダ情報、パケットプロパティなど）、ならびに、パケットのペイロード中で搬送され得るようなデータ、たとえばユーザデータ、マルチメディアコンテンツなどを含み得る。
【０００６】
パケットが受信された後、パケット中のオーバーヘッドまたは制御情報の部分は、パケット中で搬送されるデータを処理するためのパラメータを判断するために使用され得る。ただし、パケットは複数の方法でフォーマットされ得る。したがって、送信ノードは、所与の通信のためにどのフォーマットを使用すべきかを判断することと、その通信を生成することとが可能であることが有利である。同様に、受信ノードは、パケットのフォーマットを判断することと、それに応じてパケット中のデータを処理することとが可能であることが有利である。したがって、複数のフォーマットを有するパケットを通信するための改善されたシステム、方法、およびデバイスが望まれる。
【発明の概要】
【０００７】
本発明のシステム、方法、およびデバイスは、それぞれいくつかの態様を有し、それらのうちの単一の態様が単独で本発明の望ましい属性を担当しない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、複数のフォーマットを有するパケットを通信するための改善された手法を含む利点をどのように提供するかが理解されよう。
【０００８】
本開示の一態様は、ワイヤレス通信のための装置を提供する。本装置は、物理レイヤプリアンブルとペイロードとを備えるワイヤレス通信を受信するように構成された受信機を備える。上記プリアンブルは、上記プリアンブルが拡張フィールドを含むかどうかを示す第１のフィールドを含み得る。本装置は、インジケータが、上記プリアンブルが拡張フィールドを含まないことを表すとき、第１のフィールド中に含まれる変調コーディングパラメータに基づいてペイロードを処理するように構成され、インジケータが、上記プリアンブルが拡張フィールドを含むことを表すとき、拡張フィールド中に含まれるコーディングパラメータに基づいてペイロードを処理するように構成された、プロセッサをさらに備える。
【０００９】
本開示の別の態様は、ワイヤレス通信のための方法を提供する。本方法は、物理レイヤプリアンブルとペイロードとを備えるワイヤレス通信を受信することを備える。上記プリアンブルは、上記プリアンブルが拡張フィールドを含むかどうかを示す第１のフィールドを含む。本方法は、インジケータが、上記プリアンブルが拡張フィールドを含まないことを表すとき、第１のフィールド中に含まれる変調コーディングパラメータに基づいてペイロードを処理することと、インジケータが、上記プリアンブルが拡張フィールドを含むことを表すとき、拡張フィールド中に含まれるコーディングパラメータに基づいてペイロードを処理することとをさらに備える。
【００１０】
本開示の別の態様は、ワイヤレス通信のための装置を提供する。本装置は、物理レイヤプリアンブルとペイロードとを備えるワイヤレス通信を受信するための手段を備える。上記プリアンブルは、上記プリアンブルが拡張フィールドを含むかどうかを示す第１のフィールドを含み得る。本装置は、インジケータが、上記プリアンブルが拡張フィールドを含まないことを表すとき、第１のフィールド中に含まれる変調コーディングパラメータに基づいてペイロードを処理するための手段と、インジケータが、上記プリアンブルが拡張フィールドを含むことを表すとき、拡張フィールド中に含まれるコーディングパラメータに基づいてペイロードを処理するための手段とをさらに備える。
【００１１】
本開示の別の態様は、実行されたとき、装置に、物理レイヤプリアンブルとペイロードとを備えるワイヤレス通信を受信することを行わせる、命令を備えるコンピュータ可読媒体を提供する。上記プリアンブルは、上記プリアンブルが拡張フィールドを含むかどうかを示す第１のフィールドを含み得る。本媒体は、実行されたとき、装置に、インジケータが、上記プリアンブルが拡張フィールドを含まないことを表すとき、第１のフィールド中に含まれる変調コーディングパラメータに基づいてペイロードを処理することと、インジケータが、上記プリアンブルが拡張フィールドを含むことを表すとき、拡張フィールド中に含まれるコーディングパラメータに基づいてペイロードを処理することとを行わせる、命令をさらに備える。
【００１２】
本開示の別の態様は、ワイヤレス通信のための装置を提供する。本装置は、物理レイヤプリアンブルとペイロードとを備える通信を生成することと、上記プリアンブル中に拡張フィールドを含めるべきかどうかを判断することとを行うように構成されたプロセッサを備える。上記プリアンブルは、拡張フィールドが含まれるかどうかを示す第１のフィールドを含む。プロセッサは、拡張フィールドを含めないことが判断されたとき、第１のフィールド中にペイロードのための変調コーディングパラメータを含めることと、拡張フィールドを含めることが判断されたとき、拡張フィールド中にペイロードのためのコーディングパラメータを含めることとを行うように構成される。本装置は、生成された通信をワイヤレス送信するように構成された送信機をさらに備える。
【００１３】
本開示の別の態様は、ワイヤレス通信の方法を提供する。本方法は、通信の物理レイヤプリアンブル中に拡張フィールドを含めるべきかどうかを判断することと、上記通信を生成することと、生成された通信をワイヤレス送信することとを備える。上記通信は、上記プリアンブルとペイロードとを備え、上記プリアンブルは、拡張フィールドが含まれるかどうかを示す第１のフィールドを含む。上記生成は、拡張フィールドを含めないことが判断されたとき、第１のフィールド中にペイロードのための変調コーディングパラメータを含めることと、拡張フィールドを含めることが判断されたとき、拡張フィールド中にペイロードのためのコーディングパラメータを含めることとを備え得る。
【００１４】
本開示の別の態様は、ワイヤレス通信のための装置を提供する。本装置は、通信の物理レイヤプリアンブル中に拡張フィールドを含めるべきかどうかを判断するための手段と、上記通信を生成するための手段と、生成された通信をワイヤレス送信するための手段とを備える。上記通信は、上記プリアンブルとペイロードとを備え、上記プリアンブルは、拡張フィールドが含まれるかどうかを示す第１のフィールドを含む。生成するための手段は、拡張フィールドを含めないことが判断されたとき、第１のフィールド中にペイロードのための変調コーディングパラメータを含めるための手段と、拡張フィールドを含めることが判断されたとき、拡張フィールド中にペイロードのためのコーディングパラメータを含めるための手段とを備え得る。
【００１５】
本開示の別の態様は、実行されたとき、装置に、通信の物理レイヤプリアンブル中に拡張フィールドを含めるべきかどうかを判断することと、上記通信を生成することと、生成された通信をワイヤレス送信することとを行わせる、命令を備えるコンピュータ可読媒体を提供する。上記通信は、上記プリアンブルとペイロードとを備え得、上記プリアンブルは、拡張フィールドが含まれるかどうかを示す第１のフィールドを含み得る。上記生成は、拡張フィールドを含めないことが判断されたとき、第１のフィールド中にペイロードのための変調コーディングパラメータを含めることと、拡張フィールドを含めることが判断されたとき、拡張フィールド中にペイロードのためのコーディングパラメータを含めることとを備え得る。
【００１６】
本開示の一態様は、ワイヤレス通信のための装置を提供する。本装置は、少なくとも２つのフォーマットを有するデータパケットをワイヤレス受信するように構成された受信機を備える。受信機は、２つのフォーマットのうちの少なくとも１つのデータパケットを検出するように構成された第１の検出器と、２つのフォーマットのうちの別の１つのデータパケットを検出するように構成された第２の検出器とを備える。本装置は、受信されたデータパケットが第１の検出器によって検出されたのか第２の検出器によって検出されたのかに少なくとも部分的に基づいて、受信されたデータパケットを処理するように構成されたプロセッサをさらに備える。
【００１７】
本開示の別の態様は、ワイヤレス通信のための方法を提供する。本方法は、少なくとも２つのフォーマットのうちの１つを有するデータパケットをワイヤレス受信することと、それぞれのデータパケットフォーマットを検出するように構成された少なくとも２つの検出器のうちの１つを使用して、受信されたデータパケットのフォーマットを検出することと、検出されたフォーマットに基づいて、受信されたデータパケットを処理することとを備える。
【００１８】
本開示の別の態様は、ワイヤレス通信のための装置を提供する。本装置は、少なくとも２つのフォーマットのうちの１つを有するデータパケットをワイヤレス受信するための手段と、受信されたデータパケットが第１のフォーマットを有するかどうかを検出するための第１の手段と、受信されたデータパケットが第２のフォーマットを有するかどうかを検出するための第２の手段と、第１の検出手段および第２の検出手段に基づいて、受信されたデータパケットを処理するための手段とを備える。
【００１９】
本開示の別の態様は、実行されたとき、装置に、少なくとも２つのフォーマットのうちの１つを有するデータパケットをワイヤレス受信することと、それぞれのデータパケットフォーマットを検出するように構成された少なくとも２つの検出器のうちの１つを使用して、受信されたデータパケットのフォーマットを検出することと、検出されたフォーマットに基づいて、受信されたデータパケットを処理することとを行わせる、命令を備えるコンピュータ可読媒体を提供する。
【００２０】
本開示の別の態様は、ワイヤレス通信のための装置を提供する。本装置は、トレーニングフィールドを備える少なくとも２つのデータパケットフォーマットからデータパケットフォーマットを選択するように構成されたプロセッサと、選択されたデータパケットフォーマットを使用してワイヤレス通信を送信するように構成された送信機とを備える。上記データパケットフォーマットのうちの１つのトレーニングフィールドは、上記データパケットフォーマットのうちの別の１つのトレーニングフィールド中でよりも多くの回数反復されるシーケンスを含む。
【００２１】
本開示の別の態様は、ワイヤレス通信の方法を提供する。本方法は、トレーニングフィールドを備える少なくとも２つのデータパケットフォーマットからデータパケットフォーマットを選択することと、選択されたデータパケットフォーマットを使用してワイヤレス通信を送信することとを備える。上記データパケットフォーマットのうちの１つのトレーニングフィールドは、上記データパケットフォーマットのうちの別の１つのトレーニングフィールド中でよりも多くの回数反復されるシーケンスを含む。
【００２２】
本開示の別の態様は、ワイヤレス通信のための装置を提供する。本装置は、トレーニングフィールドを備える少なくとも２つのデータパケットフォーマットからデータパケットフォーマットを選択するための手段と、選択されたデータパケットフォーマットを使用してワイヤレス通信を送信するための手段とを備える。上記データパケットフォーマットのうちの１つのトレーニングフィールドは、上記データパケットフォーマットのうちの別の１つのトレーニングフィールド中でよりも多くの回数反復されるシーケンスを含む。
【００２３】
本開示の別の態様は、実行されたとき、装置に、トレーニングフィールドを備える少なくとも２つのデータパケットフォーマットからデータパケットフォーマットを選択することと、選択されたデータパケットフォーマットを使用してワイヤレス通信を送信することとを行わせる、命令を備えるコンピュータ可読媒体を提供する。上記データパケットフォーマットのうちの１つのトレーニングフィールドは、上記データパケットフォーマットのうちの別の１つのトレーニングフィールド中でよりも多くの回数反復されるシーケンスを含む。
【００２４】
本開示の別の態様は、ワイヤレス通信のための装置を提供する。本装置は、ワイヤレス通信の少なくとも物理レイヤプリアンブルを受信するように構成された受信機を備える。上記プリアンブルは、上記プリアンブルが拡張フィールドをも含むかどうかを示す第１のフィールドを含む。本装置は、第１のフィールドが、上記プリアンブルが拡張フィールドを含むことを示すとき、上記通信の残余の受信をアボートするように構成されたプロセッサをさらに備える。プロセッサは、第１のフィールドに基づいて、拡張フィールドが含まれるかどうかを判断するように構成され得る。
【００２５】
本開示の別の態様は、ワイヤレス通信の方法を提供する。本方法は、ワイヤレス通信の少なくとも物理レイヤプリアンブルを受信することを備える。上記プリアンブルは、上記プリアンブルが拡張フィールドをも含むかどうかを示す第１のフィールドを含む。本方法は、第１のフィールドが、上記プリアンブルが拡張フィールドを含むことを示すとき、上記通信の残余の受信をアボートすることをさらに備える。本方法は、第１のフィールドに基づいて、拡張フィールドが含まれるかどうかを判断することをさらに備え得る。
【００２６】
本開示の別の態様は、ワイヤレス通信のための装置を提供する。本装置は、ワイヤレス通信の少なくとも物理レイヤプリアンブルを受信するための手段を備える。上記プリアンブルは、上記プリアンブルが拡張フィールドをも含むかどうかを示す第１のフィールドを含む。本装置は、第１のフィールドが、上記プリアンブルが拡張フィールドを含むことを示すとき、上記通信の残余の受信をアボートするための手段をさらに備える。本装置は、第１のフィールドに基づいて、拡張フィールドが含まれるかどうかを判断するための手段をさらに備え得る。
【００２７】
本開示の別の態様は、実行されたとき、装置に、ワイヤレス通信の少なくとも物理レイヤプリアンブルを受信することを行わせる、命令を備えるコンピュータ可読媒体を提供する。上記プリアンブルは、上記プリアンブルが拡張フィールドをも含むかどうかを示す第１のフィールドを含む。上記命令は、装置に、第１のフィールドが、上記プリアンブルが拡張フィールドを含むことを示すとき、上記通信の残余の受信をアボートすることをさらに行わせる。上記命令は、装置に、第１のフィールドに基づいて、拡張フィールドが含まれるかどうかを判断することをさらに行わせ得る。
【図面の簡単な説明】
【００２８】
【図１】本開示の態様が採用され得るワイヤレス通信システムの一例を示す図。
【図２】図１のワイヤレス通信システム内で採用され得るワイヤレスデバイスにおいて利用され得る様々な構成要素を示す図。
【図３】ワイヤレス通信を送信するために図２のワイヤレスデバイスにおいて利用され得る様々な構成要素を示す図。
【図４】ワイヤレス通信を受信するために図２のワイヤレスデバイスにおいて利用され得る様々な構成要素を示す図。
【図５】ワイヤレス通信を送信するために図２のワイヤレスデバイスなどのワイヤレスデバイスにおいて実装され得る例示的なＭＩＭＯシステムの機能ブロック図。
【図６】ワイヤレス通信を受信するために図２のワイヤレスデバイスなどのワイヤレスデバイスにおいて実装され得る例示的なＭＩＭＯシステムの機能ブロック図。
【図７】物理レイヤパケットのプリアンブルとペイロードとの例示的な構造を示すブロック図。
【図８Ａ】実質的に１ＭＨｚの帯域幅上での送信のための物理レイヤパケットのプリアンブルとペイロードとの例示的な構造を示すブロック図。
【図８Ｂ】シングルユーザモードによる、実質的に２ＭＨｚの帯域幅上での送信のための物理レイヤパケットのプリアンブルとペイロードとの例示的な構造を示すブロック図。
【図８Ｃ】マルチユーザモードによる、実質的に２ＭＨｚの帯域幅上での送信のための物理レイヤパケットのプリアンブルとペイロードとの例示的な構造を示すブロック図。
【図９】信号フィールドを有するパケットのフォーマットの一例を示す図。
【図１０】信号フィールドと拡張フィールドとを有するパケットのフォーマットの一例を示す図。
【図１１】信号フィールドを有するパケットのフォーマットの一例を示す図。
【図１２】図９または図１０の信号フィールドの一例を示す図。
【図１３Ａ】図９または図１０の信号フィールドの一例を示す図。
【図１３Ｂ】図９または図１０の信号フィールドの一例を示す図。
【図１４】図９または図１０の信号フィールドの一例を示す図。
【図１５】図１０の拡張フィールドの一例を示す図。
【図１６】図１０の拡張フィールドの一例を示す図。
【図１７】信号フィールドと拡張フィールドとを有するパケットの例示的なフォーマットを示す図。
【図１８】例示的なパケットフォーマットを示す図。
【図１９Ａ】１つまたは複数の信号フィールドを有するパケットの例示的なフォーマットを示す図。
【図１９Ｂ】１つまたは複数の信号フィールドを有するパケットの例示的なフォーマットを示す図。
【図２０】図１９Ａまたは図１９Ｂ中の信号フィールドの一例を示す図。
【図２１】図１９Ｂ中の信号フィールドの一例を示す図。
【図２２Ａ】１つまたは複数の信号フィールドを有するパケットの例示的なフォーマットを示す図。
【図２２Ｂ】１つまたは複数の信号フィールドを有するパケットの例示的なフォーマットを示す図。
【図２２Ｃ】１つまたは複数の信号フィールドを有するパケットの例示的なフォーマットを示す図。
【図２３】図２２Ａ〜図２２Ｃの信号フィールドの一例を示す図。
【図２４】図２２Ａまたは図２２Ｂの信号フィールドの一例を示す図。
【図２５Ａ】１つまたは複数の信号フィールドを有するパケットの例示的なフォーマットを示す図。
【図２５Ｂ】１つまたは複数の信号フィールドを有するパケットの例示的なフォーマットを示す図。
【図２６】図２５Ａおよび図２５Ｂの信号フィールドの一例を示す図。
【図２７】図２５Ａおよび図２５Ｂの拡張フィールドの一例を示す図。
【図２８】パケットを送信するための方法の一態様を示す図。
【図２９】図１のワイヤレス通信システム内で採用され得る例示的なワイヤレスデバイスの機能ブロック図。
【図３０】パケットを受信するための方法の一態様を示す図。
【図３１】図１のワイヤレス通信システム内で採用され得る例示的なワイヤレスデバイスの機能ブロック図。
【図３２】図２の受信機において利用され得る様々な例示的な構成要素を示す図。
【図３３】図１１の信号フィールドの一例を示す図。
【図３４】パケットを送信するための方法の一態様を示す図。
【図３５】図１のワイヤレス通信システム内で採用され得る例示的なワイヤレスデバイスの機能ブロック図。
【図３６】パケットを受信するための方法の一態様を示す図。
【図３７】図１のワイヤレス通信システム内で採用され得る例示的なワイヤレスデバイスの機能ブロック図。
【図３８】パケットの一部分を受信するための方法の一態様を示す図。
【図３９】図１のワイヤレス通信システム内で採用され得る例示的なワイヤレスデバイスの機能ブロック図。
【図４０】パケットを送信するための方法の一態様を示す図。
【図４１】図１のワイヤレス通信システム内で採用され得る例示的なワイヤレスデバイスの機能ブロック図。
【図４２】パケットの一部分を受信するための方法の一態様を示す図。
【図４３】図１のワイヤレス通信システム内で採用され得る例示的なワイヤレスデバイスの機能ブロック図。
【発明を実施するための形態】
【００２９】
添付の図面を参照しながら新規のシステム、装置、および方法の様々な態様について以下でより十分に説明する。ただし、本開示の教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わされるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【００３０】
本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００３１】
ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ、またはより一般的には、ワイヤレスプロトコルのＩＥＥＥ８０２．１１ファミリーの任意のメンバーなど、任意の通信規格に適用され得る。たとえば、本明細書で説明する様々な態様は、サブ１ＧＨｚ帯域を使用する、ＩＥＥＥ８０２．１１ａｈプロトコルの一部として使用され得る。
【００３２】
いくつかの態様では、サブギガヘルツ帯域中のワイヤレス信号は、直交周波数分割多重（ＯＦＤＭ）通信、直接シーケンススペクトラム拡散（ＤＳＳＳ）通信、ＯＦＤＭ通信とＤＳＳＳ通信の組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利なことに、８０２．１１ａｈプロトコルを実装するいくつかのデバイスの態様は、他のワイヤレスプロトコルを実装するデバイスよりも少ない電力を消費し得、および／または比較的長い範囲、たとえば約１キロメートル以上にわたって、ワイヤレス信号を送信するために使用され得る。
【００３３】
本明細書で説明するデバイスのうちのいくつかは、さらに、多入力多出力（ＭＩＭＯ）技術を実装し、８０２．１１ａｈ規格の一部として実装され得る。ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルまたはストリームとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与えることができる。
【００３４】
いくつかの実装形態では、ＷＬＡＮは、ワイヤレスネットワークにアクセスする構成要素である様々なデバイスを含む。たとえば、２つのタイプのデバイスであるアクセスポイント（「ＡＰ」）およびクライアント（局、または「ＳＴＡ」とも呼ばれる）があり得る。一般に、ＡＰはＷＬＡＮのためのハブまたは基地局として機能し、ＳＴＡはＷＬＡＮのユーザとして機能する。たとえば、ＳＴＡはラップトップコンピュータ、携帯情報端末（ＰＤＡ）、モバイル電話などであり得る。一例では、ＳＴＡは、インターネットまたは他のワイドエリアネットワークへの一般的接続性を得るためにＷｉＦｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００３５】
また、アクセスポイント（「ＡＰ」）は、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００３６】
また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００３７】
上記で説明したように、本明細書で説明するデバイスのうちのいくつかは、たとえば、８０２．１１ａｈ規格を実装し得る。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。それらのデバイスは、代わりにまたはさらに、ヘルスケアの情況において、たとえばパーソナルヘルスケアのために使用され得る。それらのデバイスはまた、（たとえばホットスポットとともに使用する）拡張された範囲のインターネット接続性を可能にするために、またはマシンツーマシン通信を実装するために、監視のために使用され得る。
【００３８】
図１に、本開示の態様が採用され得るワイヤレス通信システム１００の一例を示す。ワイヤレス通信システム１００は、ワイヤレス規格、たとえば８０２．１１ａｈ規格に従って動作し得る。ワイヤレス通信システム１００は、ＳＴＡ１０６ａ、１０６ｂ、１０６ｃ、１０６ｄ（総称してＳＴＡ１０６）と通信する、ＡＰ１０４を含み得る。
【００３９】
様々なプロセスおよび方法が、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００４０】
ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００４１】
ＡＰ１０４は、基地局として働き、基本サービスエリア（ＢＳＡ：basic service area）１０２においてワイヤレス通信カバレージを与え得る。ＡＰ１０４は、ＡＰ１０４に関連付けられ、ＡＰ１０４を通信のために使用する、ＳＴＡ１０６とともに、基本サービスセット（ＢＳＳ：basic service set）と呼ばれることがある。ワイヤレス通信システム１００は、中央のＡＰ１０４を有しないことがあり、むしろＳＴＡ１０６間のピアツーピアネットワークとして機能することがあることに留意されたい。したがって、本明細書で説明するＡＰ１０４の機能は、ＳＴＡ１０６のうちの１つまたは複数によって代替的に実行され得る。
【００４２】
図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、図１のＡＰ１０４、またはＳＴＡ１０６のうちの１つを備え得る。
【００４３】
ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶されたプログラム命令に基づいて論理演算と算術演算とを実行する。メモリ２０６中の命令は、本明細書で説明する方法を実装するように実行可能であり得る。
【００４４】
ワイヤレスデバイス２０２が送信ノードとして実装または使用されるとき、プロセッサ２０４は、複数のパケットフォーマットのうちの１つを選択することと、そのフォーマットを有するパケットを生成することとを行うように構成され得る。たとえば、プロセッサ２０４は、以下でさらに詳細に説明するように、物理レイヤプリアンブルなどのプリアンブルとペイロードとを備えるパケットを生成することと、上記プリアンブル中に拡張フィールドを含めるべきかどうかを判断することとを行うように構成され得る。プロセッサ２０４は、反復されるシーケンスをもつトレーニングフィールドを有するパケットを生成するようにさらに構成され得る。
【００４５】
ワイヤレスデバイス２０２が受信ノードとして実装または使用されるとき、プロセッサ２０４は、複数のフォーマットを有するパケットを処理するように構成され得る。たとえば、プロセッサ２０４は、パケットのプリアンブルに基づいてパケットのペイロードを処理するように構成され得る。いくつかの態様では、プリアンブルは、以下でさらに詳細に説明するように、拡張フィールドを含む。
【００４６】
プロセッサ２０４は、１つまたは複数のプロセッサとともに実装された処理システムを備え得るか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００４７】
処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００４８】
ワイヤレスデバイス２０２は、ワイヤレスデバイス２０２と遠隔ロケーションとの間のデータの送信および受信を可能にするために送信機２１０および／または受信機２１２を含み得る、ハウジング２０８をも含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナをも含み得る（図示せず）。
【００４９】
送信機２１０は、複数の異なるフォーマットを有するパケットをワイヤレス送信するように構成され得る。たとえば、送信機２１０は、上記で説明した、プロセッサ２０４によって生成された異なるタイプのパケットを送信するように構成され得る。
【００５０】
受信機２１２は、複数の異なるフォーマットを有するパケットをワイヤレス受信するように構成され得る。いくつかの態様では、受信機２１２は、以下でさらに詳細に説明するように、受信されたパケットのタイプを検出するように構成される。たとえば、受信機は、処理システムが、受信されたパケットまたはそれのペイロードを処理するより前に、そのパケットのフォーマットを判断するために自動検出プロシージャを実装し得る。
【００５１】
ワイヤレスデバイス２０２は、トランシーバ２１４によって受信された信号のレベルを検出し、定量化するために使用され得る、信号検出器２１８をも含み得る。信号検出器２１８は、そのような信号を、総エネルギー、シンボルごとのサブキャリア当たりのエネルギー、電力スペクトル密度、および他の信号として検出し得る。ワイヤレスデバイス２０２は、信号を処理する際に使用するデジタル信号プロセッサ（ＤＳＰ）２２０をも含み得る。ＤＳＰ２２０は送信のためのパケットを生成するように構成され得る。いくつかの態様では、パケットは物理レイヤデータユニット（ＰＰＤＵ：physical layer data unit）を備え得る。
【００５２】
ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を搬送し、および／またはそのユーザから入力を受信する、任意の要素または構成要素を含み得る。
【００５３】
ワイヤレスデバイス２０２の様々な構成要素はバスシステム２２６によって互いに結合され得る。バスシステム２２６は、たとえば、データバスを含み得、ならびに、データバスに加えて、電力バス、制御信号バス、およびステータス信号バスを含み得る。ワイヤレスデバイス２０２の構成要素は、何らかの他の機構を使用して、さらに、互いに結合されるか、あるいは互いに対する入力を受け付けるかまたは与え得る。
【００５４】
いくつかの別個の構成要素が図２に示されているが、それらの構成要素のうちの１つまたは複数は、組み合わされるかまたは通常実装され得る。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。さらに、プロセッサ２０４は、説明する構成要素、モジュール、回路などのいずれかを実装するために使用され得、または各々が複数の別個の要素を使用して実装され得る。
【００５５】
本開示では、参照しやすいように、ワイヤレスデバイス２０２が送信ノードとして構成されたとき、以下でそれをワイヤレスデバイス２０２ｔと呼ぶことがある。同様に、ワイヤレスデバイス２０２が受信ノードとして構成されたとき、以下でそれをワイヤレスデバイス２０２ｒと呼ぶことがある。図１のワイヤレス通信システム１００中のデバイスは、送信ノードの機能のみ、受信ノードの機能のみ、または送信ノードと受信ノードの両方の機能を実装し得る。
【００５６】
図３のワイヤレスデバイス２０２ｔは、送信のためにビットを変調するように構成された変調器３０２を備え得る。たとえば、変調器３０２は、たとえばコンスタレーションに従ってビットを複数のシンボルにマッピングすることによって、プロセッサ２０４（図２）またはユーザインターフェース２２２（図２）から受信されたビットから複数のシンボルを判断し得る。それらのビットは、ユーザデータまたは制御情報に対応し得る。いくつかの態様では、それらのビットはコードワードにおいて受信される。一態様では、変調器３０２は、ＱＡＭ（直交振幅変調）変調器、たとえば１６ＱＡＭ変調器または６４ＱＡＭ変調器を備える。他の態様では、変調器３０２は、２位相シフトキーイング（ＢＰＳＫ）変調器または４位相シフトキーイング（ＱＰＳＫ）変調器を備える。
【００５７】
ワイヤレスデバイス２０２ｔは、変調器３０２からのシンボルまたはさもなければ変調されたビットを時間領域に変換するように構成された変換モジュール３０４をさらに備え得る。図３では、変換モジュール３０４は、逆高速フーリエ変換（ＩＦＦＴ）モジュールによって実装されるものとして示されている。いくつかの実装形態では、異なるサイズのデータのユニットを変換する複数の変換モジュール（図示せず）があり得る。いくつかの実装形態では、変換モジュール３０４は、それ自体が、異なるサイズのデータのユニットを変換するように構成され得る。たとえば、変換モジュール３０４は、複数のモードで構成され得、各モードでシンボルを変換するために異なる数の点を使用し得る。たとえば、ＩＦＦＴは、３２個のトーン（すなわち、サブキャリア）上で送信されているシンボルを時間領域に変換するために３２点が使用されるモードと、６４個のトーン上で送信されているシンボルを時間領域に変換するために６４点が使用されるモードとを有し得る。変換モジュール３０４によって使用される点の数は、変換モジュール３０４のサイズと呼ばれることがある。
【００５８】
図３では、変調器３０２と変換モジュール３０４は、ＤＳＰ３２０中で実装されるものとして示されている。しかしながら、いくつかの態様では、変調器３０２と変換モジュール３０４の一方または両方が、プロセッサ２０４中でまたはワイヤレスデバイス２０２の別の要素（たとえば、図２に関する上記の説明を参照）中で実装される。
【００５９】
上記で説明したように、ＤＳＰ３２０は、送信のためのデータユニットを生成するように構成され得る。いくつかの態様では、変調器３０２および変換モジュール３０４は、制御情報を含む複数のフィールドと複数のデータシンボルとを備えるデータユニットを生成するように構成され得る。制御情報を含むそれらのフィールドは、たとえば、１つまたは複数のトレーニングフィールドと、１つまたは複数の信号（ＳＩＧ）フィールドとを備え得る。トレーニングフィールドの各々は、ビットまたはシンボルの既知のシーケンスを含み得る。ＳＩＧフィールドの各々は、データユニットに関する情報、たとえばデータユニットの長さまたはデータレートの記述を含み得る。
【００６０】
いくつかの態様では、ＤＳＰ３２０は、１つまたは複数のトレーニングフィールドを複数のデータシンボル間に挿入するように構成される。ＤＳＰ３２０は、プロセッサ２０４（図２）から受信された、および／あるいはメモリ２０６（図２）に記憶されたまたはＤＳＰ３２０の一部分に記憶された、情報に基づいて、データユニット中の１つまたは複数のトレーニングフィールドの位置またはロケーションを判断し得る。トレーニングフィールドをデータユニット中に挿入することについて、さらに詳細に説明する。
【００６１】
図３の説明に戻ると、ワイヤレスデバイス２０２ｔは、変換モジュールの出力をアナログ信号に変換するように構成されたデジタルアナログ変換器３０６をさらに備え得る。たとえば、変換モジュール３０６の時間領域出力は、デジタルアナログ変換器３０６によってベースバンドＯＦＤＭ信号に変換され得る。デジタルアナログ変換器３０６は、プロセッサ２０４中でまたは図２のワイヤレスデバイス２０２の別の要素中で実装され得る。いくつかの態様では、デジタルアナログ変換器３０６は、トランシーバ２１４（図２）中でまたはデータ送信プロセッサ中で実装される。
【００６２】
アナログ信号は送信機３１０によってワイヤレス送信され得る。アナログ信号は、送信機３１０によって送信される前に、たとえばフィルタ処理されることによってあるいは中間またはキャリア周波数にアップコンバートされることによって、さらに処理され得る。図３に示す態様では、送信機３１０は送信増幅器３０８を含む。送信されるより前に、アナログ信号は送信増幅器３０８によって増幅され得る。いくつかの態様では、増幅器３０８は低雑音増幅器（ＬＮＡ）を備える。
【００６３】
送信機３１０は、アナログ信号に基づいてワイヤレス信号中の１つまたは複数のパケットまたはデータユニットを送信するように構成される。それらのデータユニットは、プロセッサ２０４（図２）および／またはＤＳＰ３２０を使用して、たとえば上記で説明したように変調器３０２および変換モジュール３０４を使用して、生成され得る。上記で説明したように生成され、送信され得るデータユニットについて、本開示でさらに詳細に説明する。
【００６４】
いくつかの態様では、送信機３１０は、約２．５ＭＨｚまたは１．２５ＭＨｚの、またはより低い、帯域幅上でデータユニットを送信するように構成される。そのような帯域幅を使用するとき、データユニットの送信は比較的長い時間期間にわたって実行され得る。たとえば、５００バイトから構成されるデータユニットは約１１ミリ秒の期間にわたって送信され得る。そのような送信は、約２０ＭＨｚの帯域幅上で８０２．１１ａｃ規格に従って実装される同等の送信よりも約１６倍遅い。
【００６５】
図４に、ワイヤレス通信を受信するために図２のワイヤレスデバイス２０２において利用され得る様々な構成要素を示す。図４に示す構成要素は、たとえば、ＯＦＤＭ通信を受信するために、使用され得る。たとえば、図４に示す構成要素は、図３に関して上記で説明した構成要素によって送信されたデータユニットを受信するために使用され得る。
【００６６】
ワイヤレスデバイス２０２ｒの受信機４１２は、ワイヤレス信号中の１つまたは複数のパケットまたはデータユニットを受信するように構成される。以下で説明するように受信され、復号され、またはさもなければ処理され得るデータユニットについて、本開示でさらに詳細に説明する。
【００６７】
いくつかの態様では、受信機４１２は、約２．５ＭＨｚまたは１．２５ＭＨｚの、またはより低い、帯域幅上でデータユニットを受信するように構成される。そのような帯域幅を使用するとき、データユニットの受信は、比較的長い時間期間にわたって、たとえば、データユニットが５００バイトから構成されるときは約１１ミリ秒にわたって、実行され得る。この時間中に、データユニットがそれを介して受信されるチャネルは変化していることがある。たとえば、チャネルの状態は、ワイヤレスデバイス２０２ｒの移動またはデータユニットを送信するデバイスの移動により、あるいは気象、または様々な障害の導入などの他の環境条件により、変化し得る。そのような状況では、データユニットの終端の近くの情報は、データユニットの受信が開始したときに判断された設定をワイヤレスデバイス２０２ｒが使用する場合、正しく復号されないことがある。しかしながら、以下でさらに詳細に説明するように、ワイヤレスデバイス２０２ｒは、複数のデータシンボルのうちの１つまたは複数を適切に復号するために、それらのデータシンボル間に配置されたトレーニングフィールドを使用して、チャネルの更新された推定値を形成し得る。
【００６８】
図４に示す態様では、受信機４１２は受信増幅器４０１を含む。受信増幅器４０１は、受信機４１２によって受信されたワイヤレス信号を増幅するように構成され得る。いくつかの態様では、受信機４１２は、自動利得制御（ＡＧＣ）プロシージャを使用して受信増幅器４０１の利得を調整するように構成される。いくつかの態様では、自動利得制御は、たとえば、利得を調整するために、受信されたショートトレーニングフィールド（ＳＴＦ：short training field）など、１つまたは複数の受信されたトレーニングフィールド中の情報を使用する。当業者はＡＧＣを実行するための方法を理解されよう。いくつかの態様では、増幅器４０１はＬＮＡを備える。
【００６９】
ワイヤレスデバイス２０２ｒは、受信機４１０からの増幅されたワイヤレス信号をそれのデジタル表現に変換するように構成されたアナログデジタル変換器４１０を備え得る。増幅されることに加えて、ワイヤレス信号は、デジタルアナログ変換器４１０によって変換される前に、たとえばフィルタ処理されるかあるいは中間またはベースバンド周波数にダウンコンバートされることによって、処理され得る。アナログデジタル変換器４１０は、プロセッサ２０４中でまたはワイヤレスデバイス２０２の別の要素（図２）中で実装され得る。いくつかの態様では、アナログデジタル変換器４１０は、トランシーバ中でまたはデータ受信プロセッサ中で実装される。
【００７０】
ワイヤレスデバイス２０２ｒは、ワイヤレス信号の表現を周波数スペクトルに変換するように構成された変換モジュール４０４をさらに備え得る。図４では、変換モジュール４０４は、高速フーリエ変換（ＦＦＴ）モジュールによって実装されるものとして示されている。いくつかの態様では、変換モジュールは、それが使用する各点についてシンボルを識別し得る。図３の変換モジュール３０４に関して上記で説明したように、変換モジュール４０４は、複数のモードで構成され得、各モードで信号を変換するために異なる数の点を使用し得る。たとえば、変換モジュール４０４は、３２個のトーン上で受信された信号を周波数スペクトルに変換するために３２点が使用されるモードと、６４個のトーン上で受信された信号を周波数スペクトルに変換するために６４点が使用されるモードとを有し得る。変換モジュール４０４によって使用される点の数は、変換モジュール４０４のサイズと呼ばれることがある。いくつかの態様では、変換モジュール４０４は、それが使用する各点についてシンボルを識別し得る。
【００７１】
ワイヤレスデバイス２０２ｒは、データユニットがそれを介して受信されるチャネルの推定値を形成することと、チャネル推定値に基づいてチャネルのいくつかの影響を除去することとを行うように構成された、チャネル推定器および等化器４０５をさらに備え得る。たとえば、チャネル推定器は、チャネルの関数を近似するように構成され得、チャネル等化器は、その関数の逆を周波数スペクトルにおけるデータに適用するように構成され得る。
【００７２】
いくつかの態様では、チャネル推定器および等化器４０５は、たとえば、チャネルを推定するために、ロングトレーニングフィールド（ＬＴＦ：long training field）など、１つまたは複数の受信されたトレーニングフィールド中の情報を使用する。チャネル推定値は、データユニットの始端において受信された１つまたは複数のＬＴＦに基づいて形成され得る。このチャネル推定値は、その後、上記１つまたは複数のＬＴＦに続くデータシンボルを等化するために使用され得る。一定の時間期間の後にまたは一定数のデータシンボルの後に、データユニット中で１つまたは複数の追加のＬＴＦが受信され得る。追加のＬＴＦを使用して、チャネル推定値は更新され得、または新しい推定値が形成され得る。この新しいまたは更新されたチャネル推定値は、追加のＬＴＦに続くデータシンボルを等化するために使用され得る。いくつかの態様では、新しいまたは更新されたチャネル推定値は、追加のＬＴＦに先行するデータシンボルを再等化するために使用される。当業者はチャネル推定値を形成するための方法を理解されよう。
【００７３】
ワイヤレスデバイス２０２ｒは、等化されたデータを復調するように構成された復調器４０６をさらに備え得る。たとえば、復調器４０６は、たとえばコンスタレーションにおけるビットとシンボルとのマッピングを逆転させることによって、変換モジュール４０４とチャネル推定器および等化器４０５とによって出力されたシンボルから複数のビットを判断し得る。それらのビットは、プロセッサ２０４（図２）によって処理または評価され得るか、あるいはユーザインターフェース２２２（図２）に情報を表示するかまたはさもなければ出力するために、使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６ＱＡＭ復調器または６４ＱＡＭ復調器を備える。他の態様では、復調器４０６は、２位相シフトキーイング（ＢＰＳＫ）復調器または４位相シフトキーイング（ＱＰＳＫ）復調器を備える。
【００７４】
図４では、変換モジュール４０４と、チャネル推定器および等化器４０５と、復調器４０６とは、ＤＳＰ４２０中で実装されるものとして示されている。しかしながら、いくつかの態様では、変換モジュール４０４と、チャネル推定器および等化器４０５と、復調器４０６とのうちの１つまたは複数が、プロセッサ２０４中でまたはワイヤレスデバイス２０２の別の要素（たとえば、図２に関する上記の説明を参照）中で実装される。
【００７５】
上記で説明したように、受信機４１２において受信されたワイヤレス信号は、１つまたは複数のデータユニットを備える。上記で説明した機能または構成要素を使用して、データユニットまたはそれの中のデータシンボルは、復号または評価されるか、あるいはさもなければ評価または処理され得る。たとえば、プロセッサ２０４（図２）および／またはＤＳＰ４２０は、変換モジュール４０４と、チャネル推定器および等化器４０５と、復調器４０６とを使用して、データユニット中のデータシンボルを復号するために、使用され得る。
【００７６】
ＡＰ１０４とＳＴＡ１０６とによって交換されるデータユニットは、上記で説明したように、制御情報またはデータを含み得る。物理（ＰＨＹ）レイヤにおいて、これらのデータユニットは物理レイヤプロトコルデータユニット（ＰＰＤＵ：physical layer protocol data unit）と呼ばれることがある。いくつかの態様では、ＰＰＤＵはパケットまたは物理レイヤパケットと呼ばれることがある。各ＰＰＤＵはプリアンブルとペイロードとを備え得る。プリアンブルはトレーニングフィールドとＳＩＧフィールドとを含み得る。ペイロードは、たとえば、メディアアクセス制御（ＭＡＣ）ヘッダまたは他のレイヤのためのデータ、および／またはユーザデータを備え得る。ペイロードは、１つまたは複数のデータシンボルを使用して送信され得る。本明細書のシステム、方法、およびデバイスは、同じくペイロード中のデータシンボル間に配置されたトレーニングフィールドをもつデータユニットを利用し得る。
【００７７】
図３に示すワイヤレスデバイス２０２ｔは、アンテナを介して送信されるべき単一の送信チェーンの一例を示している。図４に示すワイヤレスデバイス２０２ｒは、アンテナを介して受信されるべき単一の受信チェーンの一例を示している。いくつかの実装形態では、ワイヤレスデバイス２０２ｔおよび２０２ｒは、データを同時に送信するために複数のアンテナを使用してＭＩＭＯシステムの一部分を実装し得る。
【００７８】
図５は、ワイヤレス通信を送信および受信するために図２のワイヤレスデバイス２０２などのワイヤレスデバイスにおいて実装され得るＭＩＭＯシステムの機能ブロック図である。ＭＩＭＯシステムは、図３を参照しながら説明した構成要素の一部または全部を利用し得る。受信機の出力において受信されるべき、送信のためのビットが、エンコーダ５０４に与えられる。エンコーダ５０４は、そのビットストリームに対して前方誤り訂正（ＦＥＣ）コードを適用し得る。ＦＥＣコードは、ブロックコード、畳み込みコードなどであり得る。符号化されたビットは、符号化されたビットをＮ個の送信ストリームに分配するインターリービングシステム５０５に与えられる。
【００７９】
インターリービングシステム５０５は、エンコーダ５０４からの入力ビットストリームをＮ個の空間ストリームインターリーバ５０８ａ、５０８ｂ、および５０８ｎ（総称してインターリーバ５０８）にパースする、ストリームパーサ５０６を含む。ストリームパーサ５０６は、空間ストリームの数を与えられ、ラウンドロビンベースでビットをパースし得る。他のパース関数も使用され得る。使用され得る１つのパース関数はｋn＝ＮTX＊ｋ＋ｎである（すなわち、空間ストリームごとに１ビットを用いて、次いで次の空間ストリームに移る、ラウンドロビンであり、ここで、ｋnは入力ビットインデックスであり、ＮTXは送信機／空間ストリームの数である）。別のより一般的な関数ｆ（ｋ，ｎ）も使用され得、たとえば、ある空間ストリームに２ビットを送り、次いで次の空間ストリームに移る。各インターリーバ５０８ａ、５０８ｂ、および５０８ｎは、それぞれ、その後、フェージングまたは他のチャネル状態による誤りが修復され得るように、ビットを分配し得る。
【００８０】
各送信ストリームは、次いで変調器５０２ａ、５０２ｂ、または５０２ｎによって変調され得る。図３を参照しながら上記で説明したように、ビットは、ＱＰＳＫ（４位相シフトキーイング）変調、ＢＰＳＫ（一度に１ビットをマッピングする）、１６ＱＡＭ（６ビットのグループをマッピングする）、６４ＱＡＭなど、変調技法を使用して変調され得る。各ストリームについて変調されたビットは、変換モジュール５１０ａ、５１０ｂ、および５１０ｎに与えられ得る。いくつかの実装形態では、変換モジュール５１０ａ、５１０ｂ、および５１０ｎは、変調されたビットを周波数領域から時間領域に変換するために逆離散時間フーリエ変換（ＩＤＦＴ：inverse discrete time fourier transform）を実行し得る。変換モジュール５１０ａ、５１０ｂ、および５１０ｎは、図３を参照しながら上記で説明したように、異なるモードに従って動作し得る。たとえば、変換モジュール５１０ａ、５１０ｂ、および５１０ｎは、３２点モードまたは６４点モードに従って動作するように構成され得る。いくつかの実装形態では、変調されたビットは、変換モジュール５１０ａ、５１０ｂ、および５１０ｎに与えられる前に、時空間ブロックコーディング（ＳＴＢＣ：space time block coding）を使用して符号化され得、空間マッピングが実行され得る。変調されたビットが各空間ストリームについて時間領域信号に変換された後、その時間領域信号は、図３を参照しながら上記で説明したように、変換器５１２ａ、５１２ｂ、および５１２ｎを介してアナログ信号に変換され得る。その信号は、次いで、送信機５１４ａ、５１４ｂ、および５１４ｃを使用して、ならびにアンテナ５１６ａ、５１６ｂ、または５１６ｎを使用して、所望の周波数帯域幅（たとえば、１ＭＨｚ、２ＭＨｚ、４ＭＨｚ、８ＭＨｚ、および１６ＭＨｚ、またはより高い周波数帯域幅）上でワイヤレス無線空間中に送信され得る。
【００８１】
いくつかの実施形態では、アンテナ５１６ａ、５１６ｂ、および５１６ｎは、別個であり、空間的に分離したアンテナである。他の実施形態では、別個の信号が合成されて、Ｎ個よりも少数のアンテナからの異なる偏波になり得る。このことの一例は、空間回転または空間拡散が行われ、複数の空間ストリームが単一のアンテナ上にマッピングされる場合である。さらに、別個の空間ストリームが異なる方法で編成され得る。たとえば、ある送信アンテナが、２つ以上の空間ストリームからのデータを搬送し得、またはいくつかの送信アンテナが、ある空間ストリームからのデータを搬送し得る。たとえば、４つの送信アンテナと２つの空間ストリームとを用いた送信機の事例について考える。各空間ストリームは２つの送信アンテナ上にマッピングされ得、したがって２つのアンテナが、ただ１つの空間ストリームからのデータを搬送している。
【００８２】
図６は、ワイヤレス通信を受信するために図２のワイヤレスデバイス２０２などのワイヤレスデバイスにおいて実装され得る例示的なＭＩＭＯシステムの機能ブロック図である。ＭＩＭＯシステムは、図４を参照しながら説明した構成要素の一部または全部を利用し得る。ワイヤレスデバイス２０２ｒは、図５のアンテナ５１６ａ、５１６ｂ、および５１６ｎからの送信を受信するように構成され得る。ワイヤレスデバイス２０２ｒは、Ｎ個の受信回路に結合されたＮ個のアンテナ５１８ａ、５１８ｂ、および５１８ｎ、または６１８ａ、６１８ｂ、および６１８ｎ（適宜に、別個の偏波を計数する）においてチャネルから信号を受信する。それらの信号は、次いで、受信された信号を増幅するように構成された増幅器をそれぞれ含み得る受信機６２０ａ、６２０ｂ、および６２０ｎに与えられる。それらの信号は、次いで、変換器６２２ａ、６２２ｂ、および６２２ｎを介してデジタル形式に変換され得る。
【００８３】
変換された信号は、次いで、変換モジュール６２４ａ、６２４ｂ、および６２４ｎを介して周波数スペクトルに変換され得る。上記で説明したように、変換モジュール６２４ａ、６２４ｂ、および６２４ｎは、様々なモードに従って、ならびに使用されるサイズおよび帯域幅に従って動作し得る（たとえば、３２点、６４点など）。変換された信号は、図４を参照しながら上記で説明したのと同様に機能し得る、それぞれのチャネル推定器および等化器ブロック６２６ａ、６２６ｂ、および６２６ｎに与えられ得る。チャネル推定の後に、その出力は（たとえば、図５のＭＩＭＯ検出器５２８に対応する）ＭＩＭＯ検出器６２８に与えられ得、ＭＩＭＯ検出器６２８は、その後それの出力を復調器６３０ａ、６３０ｂ、および６３０ｎに与え得、復調器６３０ａ、６３０ｂ、および６３０ｎは、上記で説明したような変調技法のうちの１つに従ってビットを復調し得る。復調されたビットは、次いでデインターリーバ６３２ａ、６３２ｂ、および６３２ｎに与えられ得、デインターリーバ６３２ａ、６３２ｂ、および６３２ｎは、ビットをストリームデパーサ６３４中に受け渡し得、ストリームデパーサ６３４は、それらのビットを単一ビットストリームにして（たとえば、図５のデコーダ５３６に対応する）デコーダ６３６中に与え得、デコーダ６３６は、それらのビットを適切なデータストリームに復号し得る。
【００８４】
上記で説明したように、ＡＰ１０４とＳＴＡ１０６とによって交換されるデータユニットは、物理（ＰＨＹ）レイヤパケットまたは物理レイヤプロトコルデータユニット（ＰＰＤＵ）の形態の、制御情報またはデータを含み得る。
【００８５】
図７は、物理レイヤパケット７００のプリアンブル７０２とペイロード７１０との例示的な構造を示すブロック図である。プリアンブル７０２は、既知の値のＳＴＦシーケンスを含むショートトレーニングフィールド（ＳＴＦ）７０４を含み得る。いくつかの態様では、ＳＴＦは、パケット検出のために（たとえば、パケットの開始を検出するために）および粗い時間／周波数の推定のために使用され得る。ＳＴＦシーケンスは、低いＰＡＰＲを有するように最適化され、特定の周期性をもつ非０トーンのサブセットを含み得る。ＳＴＦ７０４は１つまたは複数のＯＦＤＭシンボルにまたがり得る。いくつかの態様では、プリアンブル７０２は、１つまたは複数のＯＦＤＭシンボルにまたがり得、既知の非０値の１つまたは複数のＬＴＦシーケンスを含み得る、ロングトレーニングフィールド（ＬＴＦ）７０６を含み得る。ＬＴＦは、チャネル推定、精細な時間／周波数の推定、およびモード検出のために使用され得る。さらに、いくつかの態様では、プリアンブル７０２は、上記で説明したように信号フィールド（ＳＩＧ）７０８を含み得、ＳＩＧ７０８は、一態様では、モード検出目的と送信パラメータの判断とのために使用される、いくつかのビットまたは値を含み得る。
【００８６】
本明細書で説明するいくつかの実装形態は、スマートメータリングのためにまたはスマートグリッドネットワークにおいて使用され得る、ワイヤレス通信システムを対象とし得る。これらのワイヤレス通信システムは、センサー適用例を与えるためにまたはホームオートメーションにおいて使用され得る。そのようなシステムにおいて使用されるワイヤレスデバイスは、代わりにまたはさらに、ヘルスケアの情況において、たとえば、パーソナルヘルスケアのために使用され得る。それらのデバイスはまた、（たとえば、ホットスポットとともに使用する）拡張された範囲のインターネット接続性を可能にするために、またはマシンツーマシン通信を実装するために、監視のために使用され得る。したがって、いくつかの実装形態は、約１５０Ｋｂｐｓなどの低いデータレートを使用し得る。実装形態は、さらに、８０２．１１ｂなどの他のワイヤレス通信よりも増加したリンクバジェット利得（たとえば、約２０ｄＢ）を有し得る。低いデータレートに従って、ワイヤレスノードが家庭環境において使用するために構成された場合、いくつかの態様は、電力増幅を用いない良好な家庭内カバレージの実装形態を対象とし得る。さらに、いくつかの態様は、ＭＥＳＨプロトコルを使用せずにシングルホップネットワーキングを対象とし得る。さらに、いくつかの実装形態により、他のワイヤレスプロトコルよりも、電力増幅を用いた著しい屋外カバレージの改善が生じ得る。さらに、いくつかの態様は、大きい屋外遅延拡散とドップラーに対する低減感度とに適応し得る実装形態を対象とし得る。いくつかの実装形態は、従来のＷｉＦｉと同様のＬＯ精度を達成し得る。
【００８７】
したがって、いくつかの実装形態は、サブギガヘルツ帯域中のワイヤレス信号を送信および受信することを対象とする。一態様では、これにより、たとえば、８．５ｄＢの伝搬利得が生じ得る（たとえば、９００ＭＨｚ対２．４ＧＨｚにより利用可能）。別の態様では、サブギガヘルツ信号を使用することによって障害損失が低減され得、これにより、たとえば、３ｄＢの利得が生じ得る。
【００８８】
いくつかの実装形態は、サブギガヘルツ帯域中の低い帯域幅を用いてワイヤレス信号を送ることをさらに対象とする。これは、他のワイヤレス通信システムよりも大きいリンクバジェット利得を達成することをさらに可能にし得る。たとえば、一実装形態では、シンボルが、１ＭＨｚの帯域幅を使用して送信または受信されるように構成され得る。図２のワイヤレスデバイス２０２は、いくつかのモードのうちの１つで動作するように構成され得る。あるモードでは、ＯＦＤＭシンボルなどのシンボルが、１ＭＨｚの帯域幅を使用して送信または受信され得る。別のモードでは、シンボルが、２ＭＨｚの帯域幅を使用して送信または受信され得る。４ＭＨｚ、８ＭＨｚ、１６ＭＨｚなどの帯域幅を使用してシンボルを送信または受信するために追加のモードも与えられ得る。帯域幅はチャネル幅と呼ばれることもある。
【００８９】
各モードは、情報を送信するために異なる数のトーン／サブキャリアを使用し得る。たとえば、一実装形態では、（１ＭＨｚの帯域幅を使用してシンボルを送信または受信することに対応する）１ＭＨｚモードが３２個のトーンを使用し得る。一態様では、１ＭＨｚモードを使用することは、２０ＭＨｚなどの帯域幅と比較して１３ｄＢの雑音低減を実現し得る。さらに、チャネル状態に応じて４〜５ｄＢの損失が生じ得る、より低い帯域幅による周波数ダイバーシティ損失など、影響を克服するために、低レート技法が使用され得る。３２個のトーンを使用して送信または受信されるシンボルを生成／評価するために、図３および図４において説明したような変換モジュール３０４または４０４は、３２点モード（たとえば、３２点ＩＦＦＴまたはＦＦＴ）を使用するように構成され得る。３２個のトーンは、データトーン、パイロットトーン、ガードトーン、およびＤＣトーンとして割り振られ得る。一実装形態では、２４個のトーンがデータトーンとして割り振られ得、２つのトーンがパイロットトーンとして割り振られ得、５つのトーンがガードトーンとして割り振られ得、１つのトーンがＤＣトーンのために予約され得る。この実装形態では、シンボル持続時間は、サイクリックプレフィックスを含む４０μｓであるように構成され得る。
【００９０】
たとえば、図３のワイヤレスデバイス２０２ｔは、１ＭＨｚの帯域幅を使用したワイヤレス信号を介した送信のためのパケットを生成するように構成され得る。一態様では、その帯域幅は約１ＭＨｚであり得、ここで、約１ＭＨｚは０．８ＭＨｚ〜１．２ＭＨｚの範囲内であり得る。パケットは、ＤＳＰ３２０（図３）を使用して、説明したように割り振られた３２個のトーンを有する１つまたは複数のＯＦＤＭシンボルから形成され得る。送信チェーン中の変換モジュール３０４（図３）は、パケットを時間領域信号に変換するために３２点モードに従って動作するＩＦＦＴモジュールとして構成され得る。送信機３１０（図３）は、次いで、パケットを送信するように構成され得る。
【００９１】
同様に、図４のワイヤレスデバイス２０２ｒは、１ＭＨｚの帯域幅上でパケットを受信するように構成され得る。一態様では、その帯域幅は約１ＭＨｚであり得、ここで、約１ＭＨｚは０．８ＭＨｚ〜１．２ＭＨｚの範囲内であり得る。ワイヤレスデバイス２０２ｒは、時間領域信号を周波数スペクトルに変換するために３２点モードに従って動作するＦＦＴモジュールとして構成され得る、受信チェーン中の変換モジュール４０４（図４）を含むＤＳＰ４２０（図４）を含み得る。ＤＳＰ４２０はパケットを評価するように構成され得る。１ＭＨｚモードは、低いデータレートと「通常」レートとの両方のための変調およびコーディング方式（ＭＣＳ：modulation and coding scheme）をサポートし得る。いくつかの実装形態によれば、プリアンブル７０２は、以下でさらに説明するように、信頼できる検出と改善されたチャネル推定とを提供する低レートモードのために設計され得る。各モードは、そのモードと所望の特性とについて送信を最適化するように構成された対応するプリアンブルを使用するように構成され得る。
【００９２】
１ＭＨｚモードに加えて、６４個のトーンを使用してシンボルを送信および受信するために使用され得る、２ＭＨｚモードがさらに利用可能であり得る。一実装形態では、６４個のトーンは、５２個のデータトーン、４つのパイロットトーン、１つのＤＣトーン、および７つのガードトーンとして割り振られ得る。したがって、図３および図４の変換モジュール３０４または４０４は、２ＭＨｚシンボルを送信または受信するとき、６４点モードに従って動作するように構成され得る。また、シンボル持続時間は、サイクリックプレフィックスを含む４０μｓであり得る。対応する異なるサイズのモードで動作する変換モジュール３０４または４０４（たとえば、１２８点ＦＦＴ、２５６点ＦＦＴ、５１２点ＦＦＴなど）を使用し得る、異なる帯域幅（たとえば、４ＭＨｚ、８ＭＨｚ、および１６ＭＨｚ）を用いた追加のモードが与えられ得る。さらに、上記で説明したモードの各々は、さらに、シングルユーザモードとマルチユーザモードの両方に従って、構成され得る。２ＭＨｚ以下の帯域幅を使用するワイヤレス信号は、帯域幅、電力、およびチャネルの制限の広い範囲にわたってグローバル規制制約を満たすように構成された、ワイヤレスノードを与えるための様々な利点を与え得る。
【００９３】
いくつかの態様では、図２のワイヤレスデバイス２０２は、いくつかのワイヤレス規格に従って、たとえば、８０２．１１規格のうちの１つに従って動作するように構成される。この構成では、ワイヤレスデバイス２０２は、２．４ＧＨｚまたは５ＧＨｚ帯域中の２０ＭＨｚチャネル幅で動作するためのモード、ならびに２．４ＧＨｚ帯域中の４０ＭＨｚチャネル幅で動作するためのモードを有し得る。別の態様では、ワイヤレスデバイス２０２は８０２．１１ａｃ規格に従って動作するように構成される。この構成では、ワイヤレスデバイス２０２は、２０ＭＨｚ、４０ＭＨｚ、および８０ＭＨｚのチャネル幅の各々で動作するためのモードを有する。概して、変換モジュール３０４または４０４は、ワイヤレスデバイス２０２が２０ＭＨｚ帯域で動作しているときは６４個のトーンを使用し得、ワイヤレスデバイス２０２が４０ＭＨｚ帯域で動作しているときは１２８個のトーンを使用し得、ワイヤレスデバイス２０２が８０ＭＨｚ帯域で動作しているときは２５６個のトーンを使用し得る。
【００９４】
いくつかの態様では、（たとえば、図２のプロセッサ２０４またはＤＳＰ２２０などの）コントローラが、上記で説明したようにサブギガヘルツ帯域で動作するように図２のワイヤレスデバイス２０２の動作を調整するように構成される。一実装形態では、上記で説明したように１ＭＨｚ、２ＭＨｚ、４ＭＨｚなどのモードに従って動作するために、コントローラは、ワイヤレスデバイス２０２が、１ＭＨｚ、２ＭＨｚ、４ＭＨｚ、８ＭＨｚ、または１６ＭＨｚで動作することになるように、ワイヤレスデバイス２０２中の構成要素のうちの１つまたは複数をダウンクロックするように構成され得る。さらに、プロセッサ２０４は、ワイヤレスデバイス２０２が、５ＭＨｚ、２．５ＭＨｚ、１．２５ＭＨｚ、および／または０．６２５ＭＨｚのチャネル幅の帯域幅を使用することに対応するモードで動作することになるように、ワイヤレスデバイス２０２中の構成要素のうちの１つまたは複数の動作をダウンクロックするように構成され得る。そのようなダウンクロックされた動作中に、変換モジュール３０４または４０４によって使用されるトーンの数は、いくつかの態様では同じままであり得る。
【００９５】
ワイヤレスデバイス２０２の動作をダウンクロックすることは、図２に示した構成要素のうちの１つまたは複数を低減されたクロックレートで動作させることを備え得る。たとえば、上記ダウンクロックすることは、たとえばプロセッサ２０４、信号検出器２１８、ＤＳＰ２２０、および／または他のデジタル信号回路のうちの１つまたは複数のタイミング設定を調整するか、修正するか、または割り当てることによって、これらの構成要素をより低いレートで動作させることを備え得る。いくつかの態様では、ダウンクロックされた動作は、プロセッサ２０４からのコマンドに応答して実行される。いくつかの態様では、プロセッサ２０４は、２０ＭＨｚ、４０ＭＨｚ、または８０ＭＨｚのチャネル幅で動作するときに使用されるクロック信号と比較して低減されたクロック信号を与える。
【００９６】
いくつかの態様では、プロセッサ２０４は、図２のワイヤレスデバイス２０２の動作が係数１０で（たとえば、１０×で）ダウンクロックされることを引き起こすように構成される。そのような構成では、２０ＭＨｚチャネル幅での動作は２ＭＨｚチャネル幅での動作にダウンクロックされることになり、４０ＭＨｚチャネル幅での動作は４ＭＨｚチャネル幅での動作にダウンクロックされることになる。さらに、８０ＭＨｚチャネル幅での動作は８ＭＨｚチャネル幅での動作にダウンクロックされることになり、１６０ＭＨｚチャネル幅での動作は１６ＭＨｚチャネル幅での動作にダウンクロックされることになる。
【００９７】
上記で説明したのと同様に、一態様では、ＯＦＤＭシンボルの送信または受信のための１ＭＨｚ帯域幅が使用されるとき、３２点変換モジュール３０４または４０４が使用され得る。この場合、トーンは、２４個のデータトーン、２つのパイロットトーン、５つのガードトーン、およびＤＣトーンとして割り振られ得る。別の態様では、ＯＦＤＭシンボルの送信または受信のための２ＭＨｚ帯域幅が使用されるとき、６４点変換モジュール３０４または４０４が使用され得る。この場合、トーンは、５２個のデータトーン、４つのパイロットトーン、７つのガードトーン、およびＤＣトーンとして割り振られ得る。さらに別の態様では、ＯＦＤＭシンボルの送信または受信のための４ＭＨｚ帯域幅が使用されるとき、図３および図４の６４点変換モジュール３０４または４０４が使用され得る。この場合、トーンは、１０８個のデータトーン、６つのパイロットトーン、１１個のガードトーン、および３つのＤＣトーンとして割り振られ得る。またさらなる態様では、ＯＦＤＭシンボルの送信または受信のための８ＭＨｚ帯域幅が使用されるとき、２５６点変換モジュール３０４または４０４が使用され得る。この場合、トーンは、２３４個のデータトーン、８つのパイロットトーン、１１個のガードトーン、および３つのＤＣトーンとして割り振られ得る。したがって、これらの帯域幅のためのトーン間の間隔は３１．２５ＫＨｚであり得る。さらに、シンボル持続時間は、４μｓ（ショートサイクリックプレフィックスの場合）または８μｓ（ロングサイクリックプレフィックスの場合）のいずれかのサイクリックプレフィックスを含む４０μｓであり得る。屋外遅延拡散に適応するために、より長いサイクリックプレフィックスが使用され得る。さらに、サイクリックプレフィックスオーバーヘッドを管理可能に保つために、大きいシンボル持続時間が必要とされ得る。
【００９８】
いくつかの態様では、図２のワイヤレスデバイス２０２の動作がダウンクロックされる量は、あらかじめ判断される。たとえば、ダウンクロッキング係数は、メモリ２０６に記憶され、ワイヤレスデバイス２０２の開始時にロードされ得る。そのような構成では、プロセッサ２０４により、ワイヤレスデバイス２０２は、あらかじめ判断されたまたはロードされたダウンクロッキング係数に従ってダウンクロックモードで動作し得る。
【００９９】
いくつかの態様では、図２のワイヤレスデバイス２０２の動作が所与の時間にダウンクロックされる量は、現場で判断され得る。たとえば、信号検出器２１８は、受信機２１２によって受信されたビーコンまたはパイロットからダウンクロッキング係数を判断し得る。いくつかの態様では、この係数は、デバイスの開始時に、またはネットワークに初めて接続するときに、判断される。いくつかの態様では、新しい係数が、ワイヤレスデバイス２０２のハンドオフ中に、またはワイヤレスデバイス２０２が新しいネットワークに接続するたびに、判断される。いくつかの態様では、あらかじめ判断された係数が、受信されたビーコンまたはパイロットに基づいてなど、受信された信号に基づいて、修正または更新され得る。このようにして、ワイヤレスデバイス２０２は、たとえば、そのデバイスのロケーション、またはそのデバイスが接続しているネットワークに従って、異なる帯域幅で動作し得る。プロセッサ２０４により、ワイヤレスデバイス２０２は、判断されたダウンクロッキング係数に従ってダウンクロックモードで動作し得る。
【０１００】
いくつかの態様では、図２のワイヤレスデバイス２０２は、ダウンクロックモードで動作するように永続的に構成される。たとえば、ワイヤレスデバイス２０２の構成要素は、有線接続され得るか、またはそのデバイスがダウンクロックされた動作を常に実行することを引き起こす、それらの構成要素にインストールされたファームウェアを有し得る。そのような態様では、ワイヤレスデバイス２０２は、２０ＭＨｚ、４０ＭＨｚ、および８０ＭＨｚのチャネル幅で通信することが不可能であり得る。さらに、ダウンクロッキングの係数は、そのような態様では固定であり得る。たとえば、上記構成要素は、固定ダウンクロッキング係数のみを実装するように製造および／または設置され得る。他の態様では、ワイヤレスデバイスは、２０ＭＨｚ、４０ＭＨｚ、および８０ＭＨｚのチャネル幅のいずれかで動作させられ得、または１ＭＨｚ、２ＭＨｚ、４ＭＨｚ、８ＭＨｚ、および１６ＭＨｚのチャネル幅で動作するようにプロセッサ２０４によって選択的にダウンクロックされ得る。
【０１０１】
いくつかの実装形態では、サブギガヘルツ範囲（たとえば、９００ＭＨｚ）中で送信するとき、反復モードが使用され得、その場合、反復コーディングが実装される。反復モードは、それほど多くのプリアンブルオーバーヘッドを犠牲にすることなしに、長い距離にわたって正確な送信を可能にし得る。いくつかの実装形態では２×反復符号化が使用され得る。たとえば、反復符号化は、良好な家庭内カバレージを与えるために、わずか１０５ｄＢの経路損失を可能にし得る。ワイヤレスセンサーネットワークを使用するとき、反復コーディングがない場合、顧客は、より高い電力のセンサーを届きにくい場所に設置しなければならないことがある。２つのタイプのセンサー（「届きやすい場所」のためのセンサー対「届きにくい場所」のためのセンサー）を販売することは実際的でないことがある。さらに、高電力センサーは、ピーク電流ドレインにより低電力バッテリー（たとえば、ボタン電池）を用いて動作することが可能でないことがある。代替的に、反復がない場合、複数のＡＰが設置され得る。しかしながら、ＡＰのロケーションと構成とを選定することは、平均的な消費者にとって自明でないことがある。したがって、反復コーディングは、センサーネットワークなどの低データレート適用例のためのいくつかの実装形態に様々な利点を与え得る。
【０１０２】
一例として、一態様では、ＢＰＳＫレート１／２コーディングが４×反復とともに使用され、９４Ｋｂｐｓが得られ得る。別の態様では、ＢＰＳＫレート１／２コーディングが２×反復とともに使用され、１８８Ｋｂｐｓが得られ得る。さらに別の態様では、ＢＰＳＫレート１／２コーディングが使用され、３７５Ｋｂｐｓが得られ得る。さらなる態様では、６４ＱＡＭレート３／４コーディングが使用され、３．７５Ｍｂｐｓが生じ得る。
【０１０３】
いくつかの実装形態では、１ＭＨｚモードおよび２ＭＨｚモードは、相互運用可能であることを必要とされ、相互運用可能であるように構成され得る。２つの必要とされるモードを使用することは、デバイスが、一部の規制領域のために構成され得るが、他の規制領域のために動作しないことがある、問題を回避し得、規制制約が変化し、あまり限定的でない通信が可能になった場合、デバイスがより多くのオプションを有することを可能にし得る。セルラーオフロードのために、より高い帯域幅（たとえば、８ＭＨｚ）が使用され得る。
【０１０４】
図７を参照すると、上記で説明したような帯域幅を用いてサブギガヘルツ帯域中でパケットを送信するとき、プリアンブル７０２は、異なるモードの間で検出するためにプリアンブルの初期状態でロバストなモード検出を有するように設計され得る。プリアンブル７０２は、さらに、オーバーヘッドを最小限に抑えることと、１ＭＨｚモードを使用して送信するデバイスと２ＭＨｚ以上のモードを使用して送信するデバイスとの適切な共存を可能にすることとを行うように最適化され得る。プリアンブル７０２は、１ＭＨｚ送信（３２点ＦＦＴ）と２ＭＨｚ送信（６４点ＦＦＴ）との間で検出するためにプリアンブルの初期状態でロバストなモード検出を有するように設計され得る。物理レイヤパケット７００は、一態様では、より大きい距離にわたるデータの送信を可能にするために、異なるデータレート用に送信のために生成され得る。たとえば、物理レイヤパケット７００は、上記で説明したように、別の「通常」データレートとともに低いデータレート用に生成され得る。
【０１０５】
図８Ａは、いくつかの実装形態による、実質的に１ＭＨｚの帯域幅上での送信のための物理レイヤパケット８００ａのプリアンブル８０２ａとペイロード８１０ａとの例示的な構造を示すブロック図である。物理レイヤパケット８００ａは、上記で説明したように３２個のトーンを用いてＯＦＤＭシンボルを送信するための３２点ＦＦＴモードに従って構成された変換モジュール３０４（図３）を使用して生成され得る。
【０１０６】
プリアンブル８０２ａはショートトレーニングフィールド（ＳＴＦ）８０４ａを含み得る。ＳＴＦ８０４ａは、特に選定された周期性をもつ非０トーンのサブセットに対応する非０値のサブセットをもつ既知の値のシーケンスを含み得る。非０トーンの周期性は、２ＭＨｚなどのより高い帯域幅中で使用されるＳＴＦシーケンスのために使用されるのと同じであり得る。いくつかの実装形態では、ＳＴＦフィールド８０４ａは、反復コーディングの場合は３ｄＢだけなど、増加され得る。ＳＴＦ８０４ａは４つのＯＦＤＭシンボルにわたって送られ得、その場合、各シンボルは既知のＳＴＦシーケンスを反復する。
【０１０７】
プリアンブル８０２ａはロングトレーニングフィールド（ＬＴＦ）８０６ａを含み得る。ＬＴＦ８０６ａは、４つのＯＦＤＭシンボルから形成され得、各シンボル中で送信されるＬＴＦシーケンスを含み得る。ＬＴＦシーケンスは、すべてのパイロットおよびデータのトーンについて、非０トーンに対応する既知の非０値から形成され得る。いくつかの実装形態では、ＬＴＦシーケンスは、したがって２６個の非０値を含み得る。
【０１０８】
プリアンブル８０２ａはシグナリングフィールド（ＳＩＧ）８０８ａを含み得る。いくつかの実装形態では、ＳＩＧフィールド８０８ａは、反復コーディングされるか、または２×反復コーディングされ得る。物理レイヤパケット８００ａは、データのために割り振られた各ＯＦＤＭシンボル中で２４個のトーンを使用して生成され得るペイロード８１０ａをさらに含み得る。プリアンブル８０２ａは、低いレートまたは通常レートのいずれかの１ＭＨｚ送信を生成するために使用され得る。プリアンブル８０２ａはシングルユーザモードに従って使用され得る。
【０１０９】
上記で説明したように、１ＭＨｚモードのためのＳＩＧフィールド８０８ａは２つのシンボルであり得る。一実装形態では、ＳＩＧフィールド８０８ａへのエントリは、以下の表１に示すエントリに対応し得る。したがって、ＳＩＧフィールド８０８ａは３６ビットを含み得る。ＳＩＧフィールド８０８ａはＢＰＳＫレート１／２反復２×でコーディングされ得る。
【表１】
0006049919.tif 000002
【０１１０】
図８Ｂは、シングルユーザモードによる、実質的に２ＭＨｚの帯域幅上での送信のための物理レイヤパケット８００ｂのプリアンブル８０２ｂとペイロード８１０ｂとの例示的な構造を示すブロック図である。物理レイヤパケット８００ｂは、上記で説明したように６４個のトーンを用いてＯＦＤＭシンボルを送信するための６４点ＦＦＴモードに従って構成された変換モジュール３０４（図３）を使用して生成され得る。
【０１１１】
プリアンブル８０２ｂはショートトレーニングフィールド（ＳＴＦ）８０４ｂを含み得る。ＳＴＦ８０４ｂは、判断された周期性をもつ６４個のトーン上での非０トーンのサブセットに対応する非０値のサブセットをもつ既知の値のシーケンスを含み得る。非０トーンの周期性は、１ＭＨｚ送信のために使用されるＳＴＦシーケンスのために使用されるのと同じであり得る。プリアンブル８０２ｂはロングトレーニングフィールド（ＬＴＦ）８０６ｂをさらに含み得る。ＬＴＦ８０６ｂは、２つのＯＦＤＭシンボルから形成され得、各シンボル中で送信されるＬＴＦシーケンスを含み得る。ＬＴＦシーケンスは、すべてのパイロットおよびデータのトーンについて、非０トーンに対応する非０値を備え得る。ＬＴＦシーケンスは、したがって、いくつかの実装形態では５６個の非０値を含み得る。プリアンブル８０２ｂはシグナリングフィールド（ＳＩＧ）８０８ｂをさらに含み得る。ＳＩＧフィールド８０８ｂは２つのＯＦＤＭシンボルから形成され得る。ＳＩＧフィールド８０８ｂの２つのＯＦＤＭシンボルは、それぞれＱＢＰＳＫ回転され得る。２つ以上の空間ストリームが使用されている場合、（たとえば、２つ以上ある場合、ＬＴＦ８０４ｂが第１の空間ストリームに対応し得るので）プリアンブル８０２ｂは、使用されている追加の空間ストリームの各々について追加のロングトレーニングフィールド（ＬＴＦ）８１６ｂを含み得る。物理レイヤパケット８００ｂは、データのために割り振られた各ＯＦＤＭシンボル中で５２個のトーンを使用して生成され得るペイロード８１０ｂをさらに含み得る。プリアンブル８０２ｂはシングルユーザモードに従って使用され得る。
【０１１２】
図８Ｃは、マルチユーザモードによる、２ＭＨｚの帯域幅上での送信のための物理レイヤパケット８００ｃのプリアンブル８０２ｃとペイロード８１０ｃとの例示的な構造を示すブロック図である。図８Ｂを参照しながら上記で説明したように、物理レイヤパケット８００ｃは、６４個のトーンを用いてＯＦＤＭシンボルを送信するための６４点ＦＦＴモードに従って構成された変換モジュール３０４（図３）を使用して生成され得る。
【０１１３】
プリアンブル８０２ｃはショートトレーニングフィールド（ＳＴＦ）８０４ｃを含み得る。ＳＴＦ８０４ｃは、判断された周期性をもつ６４個のトーン上での非０トーンのサブセットに対応する非０値のサブセットをもつ既知の値のシーケンスを含み得る。非０トーンの周期性は、１ＭＨｚ送信のために使用されるＳＴＦシーケンスのために使用されるのと同じであり得る。プリアンブル８０２ｃはロングトレーニングフィールド（ＬＴＦ）８０６ｃをさらに含み得る。ＬＴＦ８０６ｃは、２つのＯＦＤＭシンボルから形成され得、各シンボル中で送信されるＬＴＦシーケンスを含み得る。ＬＴＦシーケンスは、すべてのパイロットおよびデータのトーンについて、非０トーンに対応する非０値を備え得る。ＬＴＦシーケンスは、したがって、いくつかの実装形態によれば５６個の非０値を含み得る。プリアンブル８０２ｃはシグナリングフィールド（ＳＩＧ）８０８ｃをさらに含み得る。ＳＩＧフィールド８０８ｃは２つのＯＦＤＭシンボルから形成され得る。ＳＩＧフィールド８０８ｃの２つのＯＦＤＭシンボルのうちの第１のＯＦＤＭシンボルは、ＱＢＰＳＫ回転され得る。一態様では、これにより、受信機は、ＳＩＧフィールドシンボルのうちの１つのみがＱＢＰＳＫ回転されるかどうかに基づいて、パケット８００ｃがマルチユーザモードパケットであるのかシングルユーザモードパケットであるのかを検出することが可能になる。プリアンブル８０２ｃは超高スループットショートトレーニングフィールド（ＶＨＴ−ＳＴＦ：very high throughput short training field）８１４ｃをさらに含み得る。ＶＨＴ−ＳＴＦ８１４ｃは、ＩＥＥＥ８０２．１１ａｃ送信のために使用されるＶＨＴ−ＳＴＦに対応し得る。プリアンブル８０２ｃは、使用されている各空間ストリームに対応する１つまたは複数の超高スループットロングトレーニングフィールド（ＶＨＴ−ＬＴＦ：very high throughput long training field）８１６ｃをさらに含み得る。ＶＨＴ−ＬＴＦ８１６ｃは、ＩＥＥＥ８０２．１１ａｃ送信のために使用されるＶＨＴ−ＬＴＦに対応し得る。プリアンブル８０２ｃは超高スループット信号フィールド（ＶＨＴ−ＳＩＧ−Ｂ：very high throughput signal field）８１８ｃをさらに含み得る。ＶＨＴ−ＳＩＧ−Ｂ８１８ｃは、ＩＥＥＥ８０２．１１ａｃ送信のために使用されるＶＨＴ−ＳＩＧ−Ｂに対応し得る。物理レイヤパケット８００ｃは、データのために割り振られた各ＯＦＤＭシンボル中で５２個のトーンを使用して生成され得るペイロード８１０ｃをさらに含み得る。プリアンブル８０２ｃはマルチユーザモードに従って使用され得る。
【０１１４】
３２点モード（すなわち、１ＭＨｚ）と６４点モード（２ＭＨｚ）とを区別することは、３２トーンモードおよび６４トーンモード上で周波数において直交するＬＴＦシーケンスを使用することによって、または第１のＳＩＧシンボルに対するＱＢＰＳＫ回転を検出することによって、行われ得る。
【０１１５】
上記で説明したように、図２のワイヤレスデバイス２０２は、４ＭＨｚ、８ＭＨｚ、１６ＭＨｚ、および３２ＭＨｚの場合など、２ＭＨｚよりも大きい帯域幅上での送信のためのＯＦＤＭシンボルを生成するように構成され得る。いくつかの実装形態では、２ＭＨｚよりも大きい帯域幅上でＯＦＤＭシンボルを送るとき、ＳＩＧフィールド８０８ｂ（図８Ｂ）は、ＯＦＤＭシンボルのあらゆる２ＭＨｚセグメントにおいて複製され得、そのシンボルの帯域幅を判断することが可能であるように使用され得る。ＳＩＧフィールドのためのＯＦＤＭシンボルは、データのために割り振られた５２個のトーンを使用し得るので、ＳＩＧフィールドの複製により、より高い帯域幅（４ＭＨｚ、８ＭＨｚ、１６ＭＨｚ）について７つのガードトーン（シンボルの端部の３つのトーンおよび４つのトーン）が残り得る。
【０１１６】
場合によっては、ＬＴＦ８０６ｂおよび／またはＳＩＧ８０８ｂのフィールド（図８Ｂ）のために追加のガードトーンを使用することが望ましいことがある。たとえば、４ＭＨｚ、８ＭＨｚ、および１６ＭＨｚのプリアンブルシンボルは、８０２．１１ａｃ送信の４０ＭＨｚ、８０ＭＨｚ、および１６０ＭＨｚのために使用される対応するシンボルに対応することが望ましいことがある。一例として、ＬＴＦ８０６ｂは、ＯＦＤＭシンボルがそれぞれ４ＭＨｚ、８ＭＨｚ、および１６ＭＨｚのためのものであるかどうかに応じて、４０ＭＨｚ、８０ＭＨｚ、および１６０ＭＨｚの８０２．１１ａｃ送信のためのＶＨＴ−ＬＴＦを使用し得る。４０ＭＨｚ、８０ＭＨｚ、および１６０ＭＨｚのためのＶＨＴ−ＬＴＦは、１１個のガードトーン（５／６）を有するので、これらのＶＨＴ−ＬＴＦを使用することは、たとえばＳＩＧ８０８ｂフィールドがデータのために５２個のトーンを割り振った場合、各エッジにおける２つのトーンについてチャネル推定のために非０値を与えないことがある。さらに、ＬＴＦ８０６ｂおよびＳＩＧ８０８ｂが、５２個のデータトーンを使用して（すなわち、より少ないガードトーンを有して）送信される場合、より大きい帯域幅（４ＭＨｚ、８ＭＨｚ、および１６ＭＨｚ）を使用して送信されているシンボルについて、より厳しいフィルタ処理要件があり得る。２ＭＨｚ送信のために使用されるＬＴＦ８０６ｂを複製することは、そのＬＴＦが５２個の非０トーンを使用し、したがって同じガードトーン問題が残るので、これらの問題に不適切に対処することがある。したがって、２、４、および８ＭＨｚの送信のために、最適化されたＬＴＦ８０６ｂおよびＳＩＧ８０８ｂが与えられ得る。一態様では、それらのフィールドは、ＩＥＥＥ８０２．１１ａｃパケットのために使用される２０、４０、および８０ＭＨｚのＬＴＦシーケンスを再利用することが可能であるように選定される。
【０１１７】
したがって、一実装形態では、図８Ｂおよび図８Ｃに示す２ＭＨｚパケットについて、ＳＩＧフィールド８０８ｂおよび８０８ｃは、パケット８００ｂおよび８００ｃのフィールドの残部とは異なるトーン割振りを使用して送信され得る。たとえば、ＳＩＧフィールド８０８ｂおよび８０８ｃは、５２個のデータトーンではなく４８個のデータトーンを使用して送信され得る。これは、８０２．１１ａトーン割振りのＬ−ＳＩＧのために使用されるトーン割振りに対応し得る。このＳＩＧフィールド８０８ｂおよび８０８ｃは、次いで、２ＭＨｚ上での送信のために各２ＭＨｚセグメントについて複製され得る。別の実装形態では、ＳＴＦ８０４ｂおよび８０４ｃ、ＬＴＦ８０６ｂおよび８０６ｃ、ならびにＳＩＧフィールド８０８ｂおよび８０８ｃは、パケットのフィールドの残部とは異なるトーン割振りを使用して送信のために生成され得る。たとえば、ＳＴＦ８０４ｂおよび８０４ｃ、ＬＴＦ８０６ｂおよび８０６ｃ、ならびにＳＩＧフィールド８０８ｂおよび８０８ｃは、データのために割り振られた４８個のトーンを使用して送信のために生成され得る。
【０１１８】
上記で説明したように、２ＭＨｚモードのためのＳＩＧフィールド８０８ｂおよび８０８ｃは、２つのシンボルを使用し、最高５２ビットのデータを送信する。ＳＩＧフィールド８０８ｂおよび８０８ｃへのエントリは、以下の表２に示すエントリに対応し得る。影なしである最初の２６ビットは第１のシンボルに対応し得、影つきである最後の２６ビットは第２のシンボルに対応し得る。５２ビットのデータが下記の表に示されているが、ただし、上記で説明したように、いくつかの実装形態では、ＳＩＧフィールド８０８ｂおよび８０８ｃは４８個のデータトーンを使用して送られ得、したがってＳＩＧフィールドは４８ビットに対応し得ることを諒解されたい。対応する一実装形態では、以下の表２に示す予約済みビットの数は、４８ビットが送信または受信されるように、低減され得る。
【表２】
0006049919.tif 000003
【０１１９】
図９に、パケット９００の例示的なフォーマットを示す。パケット９００は、図１のワイヤレス通信システム１００において使用するためのＰＰＤＵを備え得る。いくつかの態様では、パケット９００は、ワイヤレスデバイス２０２（図２）が基本モードで動作しているとき、使用される。いくつかの態様では、パケット９００は基本パケットと呼ばれる。パケット９００は、センサーのために使用され得、１つまたは２つの帯域幅での、たとえば、８０２．１１ａｈ規格に従って使用される２つの最低帯域幅での動作をサポートし得る。
【０１２０】
パケット９００は、プリアンブル９１０とペイロード９２０とを含む。プリアンブル９１０は、ショートトレーニングフィールド（ＳＴＦ）９１２と、ロングトレーニングフィールド（ＬＴＦ）９１４と、信号（ＳＩＧ）フィールド９１６とを含む。図９に示す態様では、ＳＩＧフィールド９１６はオムニＳＩＧと呼ばれる。ペイロード９２０は、ユーザ情報またはデータを含み、図９に示す態様の場合のように、ＳＩＧフィールド９１６の直後にくることがある。
【０１２１】
ＳＴＦ９１２は１つまたは複数のシーケンスを備え得る。いくつかの態様では、ＳＴＦ９１２中のシーケンスは複数回反復される。ＳＴＦ９１２は、受信増幅器の利得を設定または調整するためにワイヤレスデバイス２０２の受信機２１２（図２）によって使用され得る。たとえば、ＬＮＡの利得を設定するために自動利得制御が実行され得る。さらに、受信機２１２またはワイヤレスデバイス２０２は、パケット９００の始端を検出するためにＳＴＦ９１２を使用し得る。図示のように、ＳＴＦ９１２は２つのシンボルを備え得る。
【０１２２】
ＬＴＦ９１４も１つまたは複数のシーケンスを備え得る。ＬＴＦ９１４は、パケット９００がそれを介して受信されるチャネルを推定するために、および／またはペイロード９２０中で受信されたシンボルを等化するために、ワイヤレスデバイス２０２のプロセッサ２０４、信号検出器２１８、またはＤＳＰ２２０（図２）によって使用され得る。図示のように、ＬＴＦ９１４は１つまたは２つのシンボルを備え得る。
【０１２３】
ＳＩＧフィールド９１６は、パケット９００とペイロード９２０とのパラメータに関する情報を備え得る。たとえば、ＳＩＧフィールド９１６は、パケット９００の長さまたはペイロード９２０の変調コーディング方式（ＭＣＳ：modulation coding scheme）を示し得る。図示のように、ＳＩＧフィールド９１６は１つまたは２つのシンボルを備え得る。ＳＩＧフィールド９１６のコンテンツおよびフォーマットについて、本開示でさらに詳細に説明する。
【０１２４】
図１０に、パケット１０００の例示的なフォーマットを示す。パケット１０００は、図１のワイヤレス通信システム１００において使用するためのＰＰＤＵを備え得る。いくつかの態様では、パケット１０００は、ワイヤレスデバイス２０２（図２）が高度モードで動作しているとき、使用される。いくつかの態様では、パケット１０００は高度パケットと呼ばれる。パケット１０００は、非センサー用途のためにおよび／または３つ以上の帯域幅を必要とする用途のために、実装され得る。以下でさらに説明するように、パケット１０００は、マルチユーザ多入力多出力（ＭＵ−ＭＩＭＯ：multi-user multiple input multiple output）通信をサポートし得る。
【０１２５】
パケット１０００は、プリアンブル１０１０とペイロード１０２０とを含む。プリアンブル１０１０は、図９に示したＳＴＦ９１２と、ＬＴＦ９１４と、ＳＩＧフィールド９１６とを含む。ただし、プリアンブル９１０とは対照的に、プリアンブル１０１０は拡張フィールド１０１２をさらに含む。図１０では、拡張フィールド１０１２は拡張ＳＩＧフィールドとして示されている。いくつかの態様では、ＳＩＧフィールド９１６は、拡張フィールド１０１２がパケット中に含まれるかどうかを示す。したがって、ＳＩＧフィールド９１６は、いくつかの態様では、基本パケットと高度パケットとを区別するために使用され得る。ペイロード１０２０は、ユーザ情報またはデータを含み得、ペイロード９２０と同様に構成され得る。いくつかの態様では、ペイロード１０２０はペイロード９２０よりも長いことがある。
【０１２６】
拡張ＳＩＧフィールド１０１２は、ＳＩＧフィールド９１６中に含まれるパラメータに加えて、パケット１０００またはペイロード１０２０のパラメータを備え得る。いくつかの態様では、拡張ＳＩＧフィールド１０１２は、ＳＩＧフィールド９１６中に含まれない情報を含む。いくつかの態様では、拡張ＳＩＧフィールド１０１２は、ＳＩＧフィールド９１６中のパラメータに関係する情報を含み、その情報は、ＳＩＧフィールド９１６を補足するために使用され得る。拡張ＳＩＧフィールド１０１２は、１つまたは２つのシンボルを備え得、ＳＩＧフィールド９１６とペイロード１０２０との間に配設され得る。拡張ＳＩＧフィールド１０１２のコンテンツおよびフォーマットについて、本開示でさらに詳細に説明する。
【０１２７】
図１１に、パケット１１００の例示的なフォーマットを示す。パケット１１００は、図１のワイヤレス通信システム１００において使用するためのＰＰＤＵを備え得る。いくつかの態様では、パケット１１００は、ワイヤレスデバイス２０２（図２）が拡張範囲（ＸＲ：extended range）モードで動作しているとき、使用される。いくつかの態様では、パケット１１００は拡張範囲またはＸＲパケットと呼ばれる。パケット１１００は、パケット１１００が正しく受信および復号され得る範囲を増加させるように、ロバストなプリアンブルおよびデータ符号化を与え得る。
【０１２８】
パケット１１００は、プリアンブル１１１０とペイロード１１２０とを含む。プリアンブル１１１０は、ショートトレーニングフィールド（ＳＴＦ）１１１２と、ロングトレーニングフィールド（ＬＴＦ）１１１４と、信号（ＳＩＧ）フィールド１１１６とを含む。図１１に示す態様では、ＳＩＧフィールド１１１６はオムニＳＩＧと呼ばれる。ペイロード１１２０は、ユーザ情報またはデータを含み得、ペイロード９２０または１０２０と同様に構成され得る。いくつかの態様では、ペイロード１１２０はペイロード９２０または１０２０よりも短いことがある。
【０１２９】
ＳＴＦ９１２と同様に、ＳＴＦ１１１２は１つまたは複数のシーケンスを備え得る。ただし、ＳＴＦ１１１２中に含まれるシーケンスは、ＳＴＦ９１２中のシーケンスよりも多くの回数反復され得る。ＳＴＦ９１２は、受信増幅器の利得を設定または調整するために、あるいはパケット９００の始端を検出するために、使用され得る。図示のように、ＳＴＦ１１１２はＳＴＦ９１２よりも長いことがある。たとえば、ＳＴＦ１１１２は３つのシンボルを備え得る。
【０１３０】
ＳＴＦ１１１２のフォーマットは任意の数の方法でフォーマットされ得る。一態様では、ＳＴＦ１１１２のフォーマットはＣｈｕｉシーケンスに基づき得る。いくつかの態様では、フォーマットは、たとえばあらゆるトーンを３２点高速フーリエ変換（ＦＦＴ）でポピュレートすることによって、量子ドットセルオートマトン（ＱＣＡ：quantum-dot cellular automata）設計に基づき得る。他の態様では、６４点ＦＦＴによって１つおきのトーンがポピュレートされ得る。
【０１３１】
ＬＴＦ１１１４も１つまたは複数のシーケンスを備え得る。ＬＴＦ１１１４は、パケット１１００がそれを介して受信されるチャネルを推定するために、および／またはペイロード１１２０中で受信されたシンボルを等化するために、使用され得る。図示のように、ＬＴＦ１１１４はＬＴＦ９１４よりも長いことがある。たとえば、ＬＴＦ１１１４は２つ以上のシンボルを備え得る。いくつかの態様では、ＬＴＦ１１１４のシンボルのうちの１つが、ＬＴＦ９１４中のそれぞれのシンボルと比較して反転される。ＬＴＦ１１１４は、いくつかの態様では複数回反復され得る。
【０１３２】
ＳＩＧフィールド１１１６は、パケット１１００とペイロード１１２０とのパラメータに関する情報を備え得る。たとえば、ＳＩＧフィールド１１１６は、パケット１１００の長さまたはペイロード１１２０の変調コーディング方式（ＭＣＳ）を示し得る。ＳＩＧフィールド１１１６は２つ以上のシンボルを備え得る。いくつかの態様では、ＳＩＧフィールド１１１６のサブフィールドを表現する複数のビットが、ＳＩＧフィールド１１１６中で４回以上反復される。たとえば、ＳＩＧフィールド１１１６は、以下でさらに詳細に説明するように、１９ビットによって表現され得、それらのビットは４回反復されて、３つのシンボルが占有され得る。いくつかの態様では、ＳＩＧフィールド１１１６は、２位相シフトキーイング（ＢＰＳＫ）１／２などのＢＰＳＫの形態を使用して変調される。いくつかの態様では、ビットの反復の代わりに、またはバイナリ畳み込みコード（ＢＣＣ：binary convolutional code）を使用する代わりに、異なるコーディングが使用され得、これは、ＳＩＧフィールド１１１６の長さを、たとえば２つのシンボルに低減し得る。その異なるコーディングはブロックコードを含み得る。ＳＩＧフィールド１１１６のコンテンツおよびフォーマットについて、本開示でさらに詳細に説明する。
【０１３３】
ワイヤレスデバイス２０２ｔは、本開示で説明するパケットのうちのどれを送信すべきかを判断するように構成され得る。この判断は任意の数のファクタに基づき得る。たとえば、送信されているデータのタイプまたは量が考慮され得るように、ネットワーク輻輳が考慮され得る。
【０１３４】
いくつかの態様では、ワイヤレスデバイス２０２（図２）のプロセッサ２０４は、ＭＵ−ＭＩＭＯが使用されるとき、パケットの長さがしきい値量よりも大きくなるとき、デフォルトモードがデータのために使用されていないとき、ワイヤレスデバイス２０２が２つの最低帯域幅のうちの１つにおいて動作していないとき、または使用されている前方誤り訂正（ＦＥＣ）がＢＣＣでないとき、パケット９００の代わりにパケット１０００を送信することを判断する。いくつかの態様では、しきい値量は約４０９６バイトである。いくつかの態様では、デフォルトモードは、ショートガードインターバル（ＳＧＩ：short guard interval）が使用されているのかロングガードインターバル（ＬＧＩ：long guard interval）が使用されているのかに関係する。
【０１３５】
ワイヤレスデバイス２０２（図２）のプロセッサ２０４は、さらにパケットを生成し、ＳＩＧフィールド９１６を用いて、そのパケットがパケット９００としてフォーマットされるのかパケット１０００としてフォーマットされるのかを示し得る。いくつかの態様では、ワイヤレスデバイス２０２は、パケットのタイプを示すためにＳＩＧフィールド９１６の、ＢＰＳＫなどの変調を回転し得る。いくつかの態様では、パケット９００が送信されているのかパケット１０００が送信されているのかを示すために、ビットまたは他のインジケータが、ＳＩＧフィールド９１６のシンボルのうちの１つの間に直角位相を介して（たとえばＱレール上で）送信され得る。
【０１３６】
ワイヤレスデバイス２０２（図２）のプロセッサ２０４は、ＳＩＧフィールド９１６に基づいて、受信されたパケットのフォーマッティングを判断し、それに応じてペイロードを処理し得る。たとえば、拡張フィールド１０１２がプリアンブル１０１０中に含まれるとき、ワイヤレスデバイス２０２は、ＭＣＳまたは空間ストリームの数など、拡張フィールド１０１２中のパラメータを使用して、ペイロード１０２０を復号するかまたはさもなければ処理し得る。いくつかの態様では、ワイヤレスデバイス２０２は、フォーマット９００および１０００のうちの１つを有するパケットを復号することと、他のフォーマットを有するパケットを無視することとを行うように構成され得る。たとえば、いくつかのデバイスは、拡張フィールド１０１２中の情報を利用するマルチユーザ（ＭＵ）機能を実装しないことがある。これらのデバイスが、ＳＩＧフィールド９１６に基づいて、拡張フィールド１０１２が含まれると判断した場合、プロセッサ２０４は、パケット１０００のさらなる処理を中止するか、またはパケット１０００のいかなるさらなる部分をも受信することをアボートし得る。このようにして、デバイスは、そのデバイスを対象としないパケットを識別し得、それらのパケットの受信をアボートすることによって電力を節約し得る。
【０１３７】
図１２に、ＳＩＧフィールド９１６の一例９１６ａを示す。ＳＩＧフィールド９１６ａは、たとえば、回転ＢＰＳＫまたはＱレールビットを使用してパケットのタイプが示される、本開示で説明する態様とともに使用され得る。ＳＩＧフィールド９１６ａは、１２ビットを含む長さサブフィールド１２０２と、４ビットを含むＭＣＳサブフィールド１２０４と、１ビットを含む帯域幅（ＢＷ：bandwidth）サブフィールド１２０６と、１ビットを含むパリティサブフィールド１２０８と、２ビットを含む予約済みサブフィールド１２１２と、６ビットを含む末尾サブフィールド１２１４とを備える。長さサブフィールド１２０２は、パケット９００または１０００の長さをバイトで示し得る。ＭＣＳサブフィールド１２０４は、ペイロード９２０、１０２０のために使用されるＭＣＳを示し得る。帯域幅サブフィールド１２０６は、どの帯域幅が使用されているかを示し得る。図示の態様では、ＳＩＧフィールド９１６ａは１つのシンボルを備える。
【０１３８】
いくつかの態様では、プロセッサ２０４（図２）によって生成されたパケットのフォーマットが、ＳＩＧフィールド９１６中の１つまたは複数のサブフィールドまたはビットによって示され得る。たとえば、パケットを生成するとき、ワイヤレスデバイス２０２（図２）のプロセッサ２０４は、パケット９００をパケット１０００と区別するためにＳＩＧフィールド９１６中に明示的インジケータを含め得る。別のワイヤレスデバイス２０２がそのパケットを受信するとき、そのワイヤレスデバイス２０２のプロセッサ２０４は、ＳＩＧフィールド９１６のサブフィールドに基づいてパケットのフォーマッティングを判断し、それに応じてペイロードを処理し得る。
【０１３９】
一態様では、拡張フィールド１０１２の包含は、ＳＩＧフィールド９１６のモードサブフィールドを使用して判断される。モードサブフィールドは、２ビットを備え得、パケットのために使用される空間ストリームの数または帯域幅部分の数を示すために使用され得る。いくつかの態様では、パケット９００は、ペイロード９２０が１つの空間ストリームを介して送信されるとき、利用される。いくつかの態様では、パケット１０００は、ペイロード１０２０が２つ以上の空間ストリームを介して送信されるとき、利用される。たとえば、拡張サブフィールド１０１２は、シングルユーザＭＩＭＯ（ＳＵ−ＭＩＭＯ：single user MIMO）またはＭＵ−ＭＩＭＯが使用されるとき、含まれ得る。モードサブフィールドについては、以下でさらに詳細に説明する。
【０１４０】
図１３Ａに、ＳＩＧフィールド９１６の一例９１６ｂを示す。ＳＩＧフィールド９１６ｂは、たとえば、ＳＩＧフィールド９１６ｂのサブフィールドを使用してパケットのタイプが示される、本開示で説明する態様とともにパケット９００中で使用され得る。ＳＩＧフィールド９１６ｂは、長さサブフィールド１２０２と、ＭＣＳサブフィールド１２０４と、上記で説明したようなモードサブフィールド１３０２と、１ビットを含むＳＧＩサブフィールド１３０４と、パリティサブフィールド１２０８と、末尾サブフィールド１２１４とを備える。図１３Ａに示す態様では、長さサブフィールド１２０２は、パケット９００の長さをバイトまたはシンボルで示し得る。パリティサブフィールド１２０８は、いくつかの態様ではモードサブフィールド１３０２とＳＧＩサブフィールド１３０４とに適用されるにすぎないことがある。図示の態様では、ＳＩＧフィールド９１６ｂは１つのシンボルを備える。
【０１４１】
以下の表に、モードサブフィールド１３０２の例示的な値を示す。その表は、さらに、モードサブフィールド１３０２の値の各々について使用され得る空間ストリームと帯域幅との数を列挙し、その表は、さらに、パケット９００の長さが長さサブフィールド１２０２中でバイトで記述されるのかシンボルで記述されるのかを記述する。
【表３】
0006049919.tif 000004
【０１４２】
上記の表からわかるように、２つ以上の帯域幅が使用されるとき、長さはシンボルで示され得る。いくつかの態様では、２つ以上の帯域幅が使用されるとき、アグリゲートＭＡＣプロトコルデータユニット（Ａ−ＭＰＤＵ：aggregate MAC protocol data unit）が使用され、それの長さはシンボルで十分に示され得る。同じく上記でわかるように、拡張フィールド１０１２は、モードサブフィールド１３０２が「１  １」に設定されるとき、含まれ得る。したがって、ＳＩＧフィールド９１６ｂは、モードサブフィールド１３０２が「０  ０」、「０  １」、または「１  ０」に設定されるとき、使用され得る。
【０１４３】
図１３Ｂに、ＳＩＧフィールド９１６の一例９１６ｃを示す。ＳＩＧフィールド９１６ｃは、上記で説明したモードサブフィールド１３０２とともにパケット１０００中で使用され得る。したがって、ＳＩＧフィールド９１６ｃは、モードサブフィールド１３０２が「１  １」に設定され、拡張フィールド１０１２が含まれるとき、使用され得る。ＳＩＧフィールド９１６ｃは、長さサブフィールド１３１２と、帯域幅サブフィールド１３１４と、４ビットを含む予約済みサブフィールド１３１６と、上記で説明したようなモードサブフィールド１３０２と、パリティサブフィールド１２０８と、ＳＧＩサブフィールド１３０４と、末尾サブフィールド１２１４とを備える。図１３Ｂに示す態様では、長さサブフィールド１３１２は、パケット１０００の長さをシンボルで示し得る。ただし、長さサブフィールド１２０２とは対照的に、長さサブフィールド１３１２は１０ビットを含む。帯域幅サブフィールド１３１４は、使用されている帯域幅の数を示し得、２ビットを含み得る。図示の態様では、ＳＩＧフィールド９１６ｃは１つのシンボルを備える。
【０１４４】
図１４に、ＳＩＧフィールド９１６の一例９１６ｄを示す。ＳＩＧフィールド９１６ｄは、ＳＩＧフィールド９１６ｄのサブフィールドを使用してパケットのタイプが示される、本開示で説明する態様とともに使用され得る。たとえば、拡張フィールド１０１２の包含は、ＭＵ拡張サブフィールド１４１４によって示され得る。図１４に示す態様では、ＭＵ拡張サブフィールド１４１４は、１ビットを含み、拡張フィールド１０１２が含まれないことを示すために「０」に設定され得、拡張フィールド１０１２が含まれることを示すために「１」に設定され得る。いくつかの態様では、拡張フィールド１０１２は、ＳＩＧフィールドを備え、ＭＵ送信のために含まれる。そのような態様では、拡張フィールド１０１２はＭＵ−ＳＩＧと呼ばれることがある。図示の態様では、ＳＩＧフィールド９１６ｄは２つのシンボルを備える。
【０１４５】
ＳＩＧフィールド９１６ｄは、４ビットを含むレートサブフィールド１４０２と、空間ストリームサブフィールド１４０４と、ショートガードインターバル（ＳＧＩ）サブフィールド１３０４と、１８ビットを含む長さサブフィールド１４０６と、４ビットを含む巡回冗長検査（ＣＲＣ）サブフィールド１４０８と、末尾サブフィールド１２１４と、帯域幅サブフィールド１４１２と、ＭＵ拡張サブフィールド１４１４と、１ビットを含むアグリゲーションサブフィールド１４１６と、予約済みサブフィールド１４１８とを備える。ＳＩＧフィールド９１６ｄがＳＵのために使用されるとき、長さサブフィールド１４０６は、パケット９００の長さをバイトまたはオクテットで示し得る。これにより、ＰＨＹレイヤは、Ａ−ＭＰＤＵが使用されないとき、パケット９００の境界を判断することが可能になる。しかしながら、ＳＩＧフィールド９１６ｄがＭＵのために使用されるとき、長さサブフィールド１４０６は、ユーザの間でのパケット１０００の最大長をシンボルで示し得る。この状況では、パケット１０００の送信とともにＡ−ＭＰＤＵが使用され得る。帯域幅サブフィールド１４１２が２または３ビットを含み得ることを除いて、帯域幅サブフィールド１３１４と同様に、帯域幅サブフィールド１４１２は、使用されている帯域幅またはモードの数を示すために使用され得る。
【０１４６】
いくつかの態様では、レートサブフィールド１４０２はペイロード９２０のＭＣＳを示し得る。空間ストリームサブフィールド１４０４は、ＳＵ動作のための空間ストリームの数および／またはＭＵ動作のために予約された空間ストリームの数を示し得る。長さサブフィールドは、ＭＵ拡張サブフィールド１４１４が０である場合はパケット９００の長さをオクテットで示し、ＭＵ拡張サブフィールド１４１４が１である場合は長さをシンボルで示し得る。アグリゲーションサブフィールド１４１６は、ＭＵ拡張サブフィールド１４１４が１である場合は予約され得、ＭＵ拡張サブフィールド１４１４が０である場合は、パケット９００がＡ−ＭＰＤＵであることを示し得る。
【０１４７】
図１５に、拡張フィールド１０１２の一例１０１２ａを示す。図示の態様では、拡張フィールド１０１２ａは２シンボル拡張ＳＩＧフィールドを備える。拡張ＳＩＧフィールド１０１２ａは、１６ビットを含むＭＣＳサブフィールド１５０２と、４ビットを含む長さサブフィールド１５０４と、１ビットを含む帯域幅サブフィールド１５０６と、１ビットを含むＳＧＩ／ＬＧＩサブフィールド１５０８と、４ビットを含むコーディングサブフィールド１５１２と、８ビットを含む空間ストリームサブフィールド１５１４と、６ビットを含むグループＩＤ（ＧＩＤ：group ID）サブフィールド１５１６と、４ビットを含むＣＲＣサブフィールド１５１８と、２ビットを含む予約済みサブフィールド１５２２と、６ビットを含む末尾サブフィールド１５２４とを備える。
【０１４８】
ＭＣＳサブフィールド１５０２は、複数のユーザの各々のためのＭＣＳを示し得る。図示の実施形態では、最高４人のユーザがいることがある。長さサブフィールド１５０４は、パケット１０００の長さをシンボルで示し得る。帯域幅サブフィールド１５０６は、パケット１０００のために使用される帯域幅を示し得る。ＳＧＩ／ＬＧＩサブフィールド１５０８は、ＳＧＩが使用されるのかＬＧＩが使用されるのかを示し得る。コーディングサブフィールド１５１２は、複数のユーザの各々のためのコーディングを示し得る。図示の実施形態では、最高４人のユーザがいることがある。空間ストリームサブフィールド１５１４は、複数のユーザの各々のための空間ストリームの数を示し得る。図示の実施形態では、最高４人のユーザがいることがある。
【０１４９】
いくつかの態様では、ＭＣＳサブフィールド１５０２、長さサブフィールド１５０４、帯域幅サブフィールド１５０６、およびＳＧＩ／ＬＧＩサブフィールド１５０８のいずれかが、あるパラメータを示すＳＩＧフィールド９１６中の対応するサブフィールドではなく、パケット１０００のそのパラメータを示し得る。たとえば、拡張フィールド１０１２ａが含まれるとき、ワイヤレスデバイス２０２ｒは、ＭＣＳサブフィールド１２０４を使用する代わりに、ＭＣＳサブフィールド１５０２を使用して、１人または複数のユーザのためのＭＣＳを判断し得る。他の態様では、ＳＩＧフィールド９１６中の１つまたは複数のサブフィールドは、第１のユーザのためのパラメータを示し得、ＭＣＳサブフィールド１５０２、長さサブフィールド１５０４、帯域幅サブフィールド１５０６、およびＳＧＩ／ＬＧＩサブフィールド１５０８のいずれかは、１人または複数の他のユーザのためのパラメータを示し得る。
【０１５０】
いくつかの態様では、パケット１０００の長さは、長さサブフィールド１５０４中のビットとＳＩＧフィールド９１６の長さサブフィールド中のビットとの組合せによって示される。たとえば、パケット１０００の長さが４７個のシンボルであることを示すために、長さサブフィールド１３１２は値「００００００００１０」に設定され得、長さサブフィールド１５０４は値「１１１１」に設定され得る。同様に、パケット１０００のために使用される帯域幅の数は、帯域幅サブフィールド１５０６中のビットとＳＩＧフィールド９１６中の帯域幅サブフィールドのビットとの組合せによって示され得る。
【０１５１】
図１６に、拡張フィールド１０１２の一例１０１２ｂを示す。図示の態様では、拡張フィールド１０１２ｂは２シンボル拡張ＳＩＧフィールドを備える。拡張ＳＩＧフィールド１０１２ｂは、ＭＣＳサブフィールド１５０２と、空間ストリームサブフィールド１５１４と、ＧＩＤサブフィールド１５１６と、ＣＲＣサブフィールド１５１８と、１０ビットを含む予約済みサブフィールド１６０２と、末尾サブフィールド１５２４とを備える。図１６でわかるように、拡張ＳＩＧフィールド１０１２ｂは、サブフィールド１５０４〜１５１２が拡張ＳＩＧフィールド１０１２ｂ中で省略されることと、予約済みサブフィールド１６０２が予約済みサブフィールド１５２２よりも多くのビット数を含むこととを除いて、拡張ＳＩＧフィールド１０１２ａと同様にフォーマットされる。
【０１５２】
図１７に、パケット１７００の例示的なフォーマットを示す。パケット１７００は、図１のワイヤレス通信システム１００において使用するためのＰＰＤＵを備え得る。いくつかの態様では、パケット１７００は、ワイヤレスデバイス２０２（図２）が高度モードで動作しているときに使用され、パケット１７００は高度パケットと呼ばれることがある。
【０１５３】
パケット１７００は、パケット１７００のプリアンブル１７１０中の複数の拡張フィールド１７３２〜１７３８を含む。拡張フィールドは、ＭＵ−ＳＩＧフィールド１７３２、プリコーディングされたＳＴＦ１７３４、１つまたは複数のＬＴＦ１７３６、およびＳＩＧ−Ｂフィールド１７３８を含み得る。いくつかの態様では、パケット１７００はパケット１０００の代わりに使用され得る。
【０１５４】
拡張フィールド１７３２〜１７３８に加えて、プリアンブル１７１０は、高スループット（ＨＴ：high throughput）ＳＴＦ１７１２と、ＨＴ−ＬＴＦ１  １７１４と、信号（ＳＩＧ）フィールド９１６とを含む。図９に示した態様では、ＳＩＧフィールド９１６はオムニＳＩＧと呼ばれる。いくつかの態様では、ＳＩＧフィールド９１６は、拡張フィールド１７３２〜１７３８がパケット中に含まれるかどうかを示す。たとえば、ＳＩＧフィールド９１６中の１つまたは複数のビット、ＳＩＧフィールド９１６のＢＰＳＫ回転、および／またはＳＩＧフィールド９１６のシンボルの間のＱレール上のビットが、拡張フィールド１７３２〜１７３８が含まれることを示し得る。
【０１５５】
ＨＴ−ＳＴＦ１７１２は１つまたは複数のシーケンスを備え得る。いくつかの態様では、ＳＴＦ１７１２中のシーケンスは複数回反復される。ＨＴ−ＳＴＦ１７１２は、受信増幅器の利得を設定または調整するためにワイヤレスデバイス２０２の受信機２１２（図２）によって使用され、あるいはパケット１７００の始端を検出するために使用され得る。図示のように、ＨＴ−ＳＴＦ１７１２は２つのシンボルを備え得る。
【０１５６】
ＨＴ−ＬＴＦ１７１４も１つまたは複数のシーケンスを備え得る。ＨＴ−ＬＴＦ１７１４は、パケット１７００がそれを介して受信されるチャネルを推定するために、および／またはペイロード１７２０中で受信されたシンボルを等化するために、ワイヤレスデバイス２０２のプロセッサ２０４、信号検出器２１８、またはＤＳＰ２２０（図２）によって使用され得る。図示のように、ＨＴ−ＬＴＦ１７１４は２つのシンボルを備え得る。
【０１５７】
いくつかの態様では、ＭＵ−ＳＩＧフィールド１７３２は、図１５および図１６に示したサブフィールドのうちの１つまたは複数を含む。いくつかの態様では、ＭＵ−ＳＩＧフィールド１７３２とＳＩＧ−Ｂフィールド１７３８は、２シンボルフィールドを作成するために互いにまとめられる。ＭＵ−ＳＩＧフィールド１７３２とＳＩＧ−Ｂフィールド１７３８がまとめられたとき、組み合わされたコンテンツは、ＧＩＤサブフィールド、Ｎsts（時空間ストリームの数）サブフィールド、および／またはＭＣＳサブフィールドを含み得る。いくつかの態様では、ＭＣＳサブフィールドは各ユーザのためのＭＣＳを含む。いくつかの態様では、図１７に示すＳＩＧフィールドのうちの１つまたは複数が追加のＬＴＦとして使用され得る。
【０１５８】
上述のように、パケット１７００はペイロード１７２０をさらに含み得る。ペイロード１７２０は、ユーザ情報またはデータを含み得、ペイロード９２０と同様に構成され得る。
【０１５９】
図１８に、図１のワイヤレス通信システム１００内で使用され得るパケット１８４１の例示的な一般化されたフォーマットを示す。パケット１８４１は、ＰＰＤＵを備え得、上記で説明した基本モードまたは高度モードのいずれかに従って選択的にフォーマットされ得る。いくつかの態様では、パケット１８４１は、複数の他のモードに従ってフォーマットされ得る。
【０１６０】
パケット１８４１は、プリアンブル１８５１とペイロード１８６１とを含む。プリアンブル１８５１は、ＨＴ−ＳＴＦ１７１２と、ＨＴ−ＬＴＦ１７１４と、ＳＩＧフィールド９１６とを含む。いくつかのモードまたはフォーマットでは、パケット１８４１は拡張１８５３をさらに含み得る。
【０１６１】
ＨＴ−ＳＴＦ１７１２およびＨＴ−ＬＴＦ１７１４は、５２個のトーン上でのデータ送信を可能にする。拡張１８５３は、１つまたは複数の随意のフィールドまたは拡張フィールドを含み得る。ＳＩＧフィールド９１６は、拡張１８５３がプリアンブル１８５１中に含まれるかどうかを示すことと、拡張１８５３が含まれるとき、いくつかのフィールドが拡張１８５３中に含まれるかどうかを示すこととを行うために使用され得る。たとえば、１つの空間ストリームを使用したセンサー送信について、ＳＩＧフィールド９１６は、拡張１８５３が省略されることを示し得、ＳＩＧフィールド９１６の直後にペイロード１８６１がくることがある。ペイロード１８６１は、たとえば、ＳＵデータまたはＭＵデータ、および／あるいはアグリゲートまたは非アグリゲートＭＰＤＵ情報を含み得、本開示で説明するペイロードと同様に構成され得る。
【０１６２】
いくつかの態様では、図９に関して上記で説明したＳＴＦ９１２は、ＨＴ−ＳＴＦ１７１２と同様に構成され得る。さらに、図９に関して上記で説明したＬＴＦ９１４は、ＨＴ−ＬＴＦ１７１４と同様に構成され得る。
【０１６３】
ＳＩＧフィールド９１６は図１８中でＳＩＧ−Ａフィールドと標示されている。いくつかの態様では、ＳＩＧ−Ａフィールド９１６は、本開示で図示または説明するオムニＳＩＧフィールドと同様に構成され得る。他の態様では、ＳＩＧ−Ａフィールド９１６は、本開示で図示または説明するオムニＳＩＧフィールドとは構成が異なり得る。たとえば、ＳＩＧ−Ａフィールド９１６は、図２０および図２３に関して説明するように構成され得る。
【０１６４】
上記で説明したパケットは、パケット１８４１の一般化されたフォーマットに従ってフォーマットされ得る。たとえば、拡張１８５３が省略されるとき、パケット９００はパケット１８４１と同様にフォーマットされ得る。別の例として、拡張１８５３が含まれるとき、パケット１０００はパケット１８４１と同様にフォーマットされ得る。この例では、拡張フィールド１０１２は拡張１８５３中に含まれ得る。同様に、拡張１８５３が含まれるとき、パケット１７００はパケット１８４１と同様にフォーマットされ得る。この例では、複数の拡張フィールド１７３２〜１７３８のうちの１つまたは複数が拡張１８５３中に含まれ得る。
【０１６５】
パケット１８４１は、たとえば、拡張１８５３からの１つまたは複数のフィールドを省略することによって、または拡張１８５３を完全に省略することによって、ＭＵ−ＭＩＭＯをサポートしないかまたは使用していないデバイスのためのオーバーヘッドを低減するようにフォーマットされ得る。同様に、拡張１８５３、またはその拡張の１つまたは複数のフィールドは、ＳＵ送信ビームフォーミング（Ｔｘ−ＢＦ：transmit beamforming）をサポートしないかまたは使用していないデバイスの場合、省略され得る。したがって、センサーおよび他のそのようなデバイスは、非ＡＭＰＤＵ送信を利用し得る。したがって、パケット１８４１と、以下で説明するパケット１８４１の実装形態とは、ＭＵ−ＭＩＭＯとＴｘ−ＢＦの両方を随意の特徴としてサポートし、そのような特徴をサポートしないデバイスのための追加のオーバーヘッドは、ほとんどまたはまったくない。
【０１６６】
図１９Ａおよび図１９Ｂに、上記で説明したパケット１８４１のために使用され得る複数のフォーマットを示す第１の実装形態を示す。図１９Ａおよび図１９Ｂに示すフォーマットの各々は、ＨＴ−ＳＴＦ１７１２と、ＨＴ−ＬＴＦ１７１４と、ＳＩＧフィールド９１６の一例９１６ｅとを含む。ＳＩＧ−Ａフィールド９１６ｅは２つのシンボルを含み得る。
【０１６７】
図１９Ａは、第１の実装形態によるパケット１８４１の例示的なパケットフォーマット１９４１を示しており、図１９Ｂは、第１の実装形態によるパケット１８４１の例示的なパケットフォーマット１９６１を示している。ワイヤレスデバイス２０２（図２）は、たとえば、ＳＩＧ−Ａフィールド９１６ｅに基づいてパケット１９４１とパケット１９６１とを区別し得る。
【０１６８】
図１９Ａを参照すると、パケット１９４１は、プリアンブル１９５１とペイロード１８６１とを含む。プリアンブル１９５１は、ＨＴ−ＳＴＦ１７１２と、ＨＴ−ＬＴＦ１７１４と、上記で説明したＳＩＧ−Ａフィールド９１６ｅとを含む。プリアンブル１９５１は、場合によっては１つまたは複数の追加のＬＴＦ１９５３を含む。
【０１６９】
いくつかの態様では、パケット１９４１はＳＵ開ループ送信のために使用される。そのような態様では、１つの空間ストリームがパケット１９４１のために使用されるとき、追加のＬＴＦ１９５３は省略される。追加の空間ストリームが使用されるとき、各追加の空間ストリームのための追加のＬＴＦ１９５３がプリアンブル１９５１中に含まれ得る。いくつかの態様では、１つ、２つ、または４つの空間ストリームが使用され得る。これらの態様では、０個、１つ、または２つの追加のＬＴＦ１９５３がプリアンブル１９５１中に含まれることになる。
【０１７０】
いくつかの態様では、ＳＩＧ−Ａ９１６ｅ中のインジケータが、追加のＬＴＦ１９５３が含まれるかどうかを表す。そのようなインジケータの一例については、図２０に関して説明する。
【０１７１】
図１９Ｂを参照すると、パケット１９６１は、プリアンブル１９７１とペイロード１８６１とを含む。プリアンブル１９７１は、ＨＴ−ＳＴＦ１７１２と、ＨＴ−ＬＴＦ１７１４と、上記で説明したＳＩＧ−Ａフィールド９１６ｅとを含む。プリアンブル１９７１は、１つのシンボルを備えるプリコーディングされたＳＴＦ１９７３と、１つのシンボルを備えるＳＩＧフィールドとをさらに含む。プリコーディングされたＳＴＦ１９７３は自動利得制御（ＡＧＣ）プロセスにおいて使用され得る。図１９Ｂでは、ＳＩＧフィールドはＳＩＧ−Ｂフィールド１９７７として示されている。プリアンブル１９７１は、場合によっては１つまたは複数のプリコーディングされたＬＴＦ１９７５を含む。プリコーディングされたＬＴＦ１９７５は、トレーニング目的で、たとえば、パケット１９６１がそれを介して受信されるチャネルを推定するために、使用され得る。プリコーディングは、シンボルごとに追加の量のデータが送信されることを可能にし得る。いくつかの態様では、ＳＩＧ−Ｂフィールド１９７７はプリコーディングされる。
【０１７２】
いくつかの態様では、パケット１９６１はＭＵ−ＭＩＭＯ送信またはＴｘ−ＢＦ送信のために使用される。以下でさらに詳細に説明するように、そのような送信を区別するために、ＳＩＧ−Ａフィールド９１６ｅ中のインジケータが使用され得る。いくつかの態様では、２つ以上の空間ストリームが使用されるとき、追加のＬＴＦ１９５３がパケット１９４１中に含まれる方法と同様に、２つ以上の空間ストリームが使用されるとき、プリコーディングされたＬＴＦ１９７５が含まれる。プリコーディングされたＬＴＦ１９７５の包含または省略は、追加のＬＴＦ１９５３の包含または省略と同様に示され得る。
【０１７３】
いくつかの態様では、パケット１９４１が送信されているのかパケット１９６１が送信されているのかを識別するために、ＳＩＧ−Ａフィールド９１６ｅのシンボルのうちの少なくとも１つの変調が使用される。たとえば、ワイヤレスデバイス２０２ｔは、回転ＢＰＳＫを使用してＳＩＧ−Ａフィールド９１６ｅの第１のシンボルを送信し得る。ワイヤレスデバイス２０２ｒがＳＩＧ−Ａフィールド９１６ｅを受信するとき、ワイヤレスデバイス２０２ｒは、パケット１９６１が受信されていると判断し得る。いくつかの態様では、ＱＢＰＳＫ回転が使用される。したがって、ＳＩＧ−Ａフィールド９１６ｅ中のシンボルの回転は、プリコーディングされたＳＴＦ１９７３がＳＩＧ−Ａフィールド９１６ｅに続くことを示し、ならびにＳＩＧ−Ｂフィールド１９７７がプリアンブル１９７１中に含まれることを示し得る。
【０１７４】
図１のワイヤレス通信システム１００のいくつかの使用法では、ＭＵ−ＭＩＭＯ送信またはＴｘ−ＢＦ送信のいずれかよりも大きい周波数を用いて、ＳＵ開ループ送信が使用されることになる。たとえば、８０２．１１ａｈ送信のために構成されたいくつかのセンサーが、ＳＵ開ループ送信を使用し得る。したがって、第１の実装形態では、パケット１９４１はパケット１９６１よりも頻繁に使用され得、ＳＩＧ−Ｂフィールド１９７７は、したがって多くの通信されたパケットから省略される。
【０１７５】
図２０に、ＳＩＧ−Ａフィールド９１６ｅの一例を示す。ＳＩＧ−Ａフィールド９１６ｅは、４ビットを備えるＭＣＳサブフィールド２０５１と、２ビットを備える空間ストリームサブフィールド２０５３と、１ビットを備えるＳＧＩサブフィールド２０５５と、１２ビットを備える長さサブフィールド２０５７と、２ビットを備える帯域幅サブフィールド２０５９と、１ビットを備えるアグリゲーションサブフィールド２０６１と、１ビットを備えるコーディングサブフィールド２０６３と、１ビットを備えるＭＵサブフィールド２０６５と、１ビットを備える時空間ブロックコード（ＳＴＢＣ）サブフィールド２０６７と、１６ビットを備えるＡＩＤ／ＧＩＤサブフィールド２０６９と、１ビットを備える予約済みサブフィールド２０７１と、４ビットを備えるＣＲＣサブフィールド２０７３と、６ビットを備える末尾サブフィールド２０７５とを含む。
【０１７６】
ＭＣＳサブフィールド２０５１は、ＳＩＧ−Ａフィールド９１６ｅがＳＵ送信において使用されるときに使用されるＭＣＳを示す。ＭＣＳサブフィールド２０５１は、ＭＵ送信のためのＭＣＳがＳＩＧ−Ｂフィールド１９７７中で示され得るので、ＭＵ送信のために予約される。いくつかの態様では、ＳＵ送信は、ＳＩＧ−Ａフィールド９１６ｅのシンボルが回転変調を用いずに送信されることによって、またはＳＩＧ−Ａフィールド９１６ｅのシンボルが回転変調を用いて送信されるときはＭＵサブフィールド２０６５が０に設定されることによって、示され得る。
【０１７７】
空間ストリームサブフィールド２０５３は、ＳＵ送信において使用される空間ストリームの数を示し得る。空間ストリームサブフィールド２０５３が、２つ以上の空間ストリームが使用されることを示すとき、追加のＬＴＦ１９５３またはプリコーディングされたＬＴＦ１９７５が含まれ得る。したがって、空間ストリームサブフィールド２０５３の値は、ＳＩＧ−Ａフィールド９１６ｅの後に１つまたは複数のＬＴＦが含まれるかどうかを、ならびに追加のＬＴＦのうちの何個が含まれるかを、示し得る。空間ストリームサブフィールド２０５３はＭＵ送信のために予約され得る。
【０１７８】
長さサブフィールド２０５７は、ＳＩＧ−Ａフィールド９１６ｅが含まれるパケットの、またはそのパケットのペイロードの、長さを示し得る。長さサブフィールド２０５７は、非アグリゲートＭＰＤＵがＳＵ送信とともに使用されるとき、パケットの長さをバイトで示し得る。これは、ワイヤレスデバイス２０２ｒのＰＨＹレイヤがパケットの長さを適切に判断し得ることを保証する。ＭＵが使用される場合またはＡ−ＭＰＤＵが使用される場合、長さサブフィールド２０５７はパケットの長さをシンボルで示す。いくつかの態様では、Ａ−ＭＰＤＵは常にＭＵ送信のために使用される。いくつかの態様では、Ａ−ＭＰＤＵは、常に、４０９５バイトよりも大きい長さを有するパケットのために使用される。長さサブフィールド２０５７が長さをシンボルで示すとき、Ａ−ＭＰＤＵ内のデリミタが厳密なバイト長さを搬送し得るので、パケットの長さは正確に判断され得る。さらに、帯域幅サブフィールド２０５９は、たとえば、パケット１９４１または１９６１のために使用される帯域幅を示し得る。
【０１７９】
アグリゲーションサブフィールド２０６１は、ＳＵ送信が使用されるとき、ＭＰＤＵがアグリゲートされているかどうかを示す。したがって、アグリゲーションサブフィールドは、Ａ−ＭＰＤＵが使用されるかどうかを示し、ならびに長さサブフィールド２０５７がバイトとして解釈されるべきなのかシンボルとして解釈されるべきなのかを示す。アグリゲーションサブフィールド２０６１は、いくつかの態様ではＭＵ送信のために予約され得る。
【０１８０】
コーディングサブフィールド２０６３は、複数のユーザのためのコーディングを示し得る。コーディングサブフィールド２０６３は、ＳＵの場合はコーディングタイプを示し得、ＭＵの場合は予約され得る。
【０１８１】
上述のように、ＭＵサブフィールド２０６５は、ＳＩＧ−Ａフィールド９１６ｅがＭＵ送信のために含まれるのかＳＵ送信のために含まれるのかを示す。図示の態様では、ＭＵサブフィールド２０６５中の「１」の値は、ＭＵが使用されていることを示し、０の値は、ＳＵが使用されていることを示す。
【０１８２】
ＳＴＢＣサブフィールド２０６７は、一部または全部の空間ストリームのためのＳＴＢＣを示す。さらに、ＳＴＢＣサブフィールド２０６７は、８０２．１１ａｃ規格の場合のように使用され得る。
【０１８３】
ＡＩＤ／ＧＩＤサブフィールド２０６９は、ＭＵが使用されているのかＳＵが使用されているのかに応じて、異なる情報を搬送することになる。ＭＵ送信が使用されていないとき、ＡＩＤ／ＧＩＤサブフィールド２０６９は、ＳＩＧ−Ａフィールド９１６ｅを搬送するパケットが対象とするデバイスのアソシエーション識別子（ＡＩＤ：association identifier）を示し得る。ＭＵ送信が使用されているとき、ＡＩＤ／ＧＩＤサブフィールド２０６９は、ＳＩＧ−Ａフィールド９１６ｅを搬送するパケットが対象とするデバイスのグループ識別子（ＧＩＤ）、ならびに使用されている空間ストリームの数を示し得る。ＡＩＤ／ＧＩＤサブフィールド２０６９が、２つ以上の空間ストリームが使用されることを示すとき、プリコーディングされたＬＴＦ１９７５が含まれ得る。したがって、ＡＩＤ／ＧＩＤサブフィールド２０６９の値は、ＳＩＧ−Ａフィールド９１６ｅの後に１つまたは複数のプリコーディングされたＬＴＦ１９７５が含まれるかどうかを、ならびにプリコーディングされたＬＴＦ１９７５のうちの何個が含まれるかを、示し得る。
【０１８４】
図２１に、ＳＩＧ−Ｂフィールド１９７７の一例１９７７ａを示す。ＳＩＧ−Ｂフィールド１９７７ａは、４ビットを備えるＭＣＳサブフィールド２１５１と、１ビットを備えるコーディングサブフィールド２１５３と、１１ビットを備える予約済みサブフィールド２１５５と、４ビットを備えるＣＲＣサブフィールド２１５７と、６ビットを備える末尾サブフィールド２１５９とを含む。いくつかの態様では、ＳＩＧＢフィールド１９７７ａは各ユーザ送信について含まれる。したがって、サブフィールド２１５１〜２１５９の各々は、１人のユーザのための情報を含み得る。
【０１８５】
いくつかの態様では、ＳＩＧ−Ｂフィールド１９７７は、ＳＵ  Ｔｘ−ＢＦ送信の場合、省略され得る。しかしながら、この態様は、ＳＩＧ−Ｂフィールドを省略してパケットを適切に受信するための追加のモードを伴い得る。したがって、ワイヤレスデバイスが２つのモードを実装するのではなく、たとえば、ワイヤレスデバイスは３つのモードを実装し得る。
【０１８６】
図１９に関して上記で説明した第１の実装形態は、ＳＩＧ−Ａフィールドのみを使用して、ＳＵ−ＭＩＭＯ、ＳＴＢＣ、ショートＧＩ、ＡＩＤベースの節電、および帯域幅について、サポートを与える。そのような通信のためのプリアンブルは６つのシンボルのみを備え得る。ＭＵ−ＭＩＭＯまたはＴｘ−ＢＦの場合、拡張フィールド、たとえば、ＳＩＧ−Ｂフィールドまたは１つまたは複数の追加のＬＴＦ中に、追加情報が含まれ得る。
【０１８７】
図２２Ａ、図２２Ｂ、および図２２Ｃに、上記で説明したパケット１８４１のために使用され得る複数のフォーマットを示す第２の実装形態を示す。図２２Ａ、図２２Ｂ、および図２２Ｃに示すフォーマットの各々は、ＨＴ−ＳＴＦ１７１２と、ＨＴ−ＬＴＦ１７１４と、ＳＩＧフィールド９１６の一例９１６ｆとを含む。ＳＩＧ−Ａフィールド９１６ｆは１つのシンボルを含む。
【０１８８】
図２２Ａは、第２の実装形態によるパケット１８４１のフォーマットの一例２２４１を示しており、図２２Ｂは、第２の実装形態によるパケット１８４１の別のフォーマットの一例２２６１を示しており、図２２Ｃは、第２の実装形態によるパケット１８４１のさらに別のフォーマットの一例２２８１を示している。ワイヤレスデバイス２０２ｒは、少なくともＳＩＧ−Ａフィールド９１６ｆに基づいて、パケット２２４１とパケット２２６１とパケット２２８１とを区別し得る。
【０１８９】
図２２Ａを参照すると、パケット２２４１は、プリアンブル２２５１とペイロード１８６１とを含む。プリアンブル２２５１は、ＨＴ−ＳＴＦ１７１２と、ＨＴ−ＬＴＦ１７１４と、上記で説明したＳＩＧ−Ａフィールド９１６ｆとを含む。いくつかの態様では、パケット２２４１は、１つの空間ストリームを介した開ループ送信のために使用される。たとえば、８０２．１１ａｈ送信のために構成されたいくつかのセンサーが、パケット２２４１を利用し得る。
【０１９０】
図２２Ｂを参照すると、パケット２２６１は、プリアンブル２２７１とペイロード１８６１とを含む。プリアンブル２２７１は、ＨＴ−ＳＴＦ１７１２と、ＨＴ−ＬＴＦ１７１４と、上記で説明したＳＩＧ−Ａフィールド９１６ｆと、拡張フィールド１０１２とを含む。図２２Ｂでは、拡張フィールド１０１２は、２つのシンボルを備える拡張ＳＩＧフィールドとして示されている。プリアンブル２２７１は、場合によっては１つまたは複数の追加のＬＴＦ１９５３を含む。
【０１９１】
いくつかの態様では、パケット２２６１は開ループＭＩＭＯ送信のために使用される。そのような態様では、１つの空間ストリームがパケット２２６１のために使用されるとき、追加のＬＴＦ１９５３は省略される。追加の空間ストリームが使用されるとき、各追加の空間ストリームのための追加のＬＴＦ１９５３がプリアンブル２２７１中に含まれ得る。いくつかの態様では、１つ、２つ、または４つの空間ストリームが使用され得る。これらの態様では、０個、１つ、または２つの追加のＬＴＦ１９５３がプリアンブル２２７１中に含まれることになる。
【０１９２】
いくつかの態様では、拡張フィールド１０１２中のインジケータが、追加のＬＴＦ１９５３が含まれるかどうかを表す。そのようなインジケータの一例については、図２４に関して以下で説明する。
【０１９３】
図２２Ｃを参照すると、パケット２２８１は、プリアンブル２２９１とペイロード１８６１とを含む。プリアンブル２２９１は、ＨＴ−ＳＴＦ１７１２と、ＨＴ−ＬＴＦ１７１４と、上記で説明したＳＩＧ−Ａフィールド９１６ｆと、拡張フィールド１０１２と、プリコーディングされたＳＴＦ１９７３とを含む。図２２Ｃでは、拡張フィールド１０１２は、２つのシンボルを備える拡張ＳＩＧフィールドとして示されている。プリアンブル２２９１は、場合によっては１つまたは複数のプリコーディングされたＬＴＦ１９７５を含む。
【０１９４】
いくつかの態様では、パケット２２８１はＭＵ−ＭＩＭＯ送信またはＴｘ−ＢＦ送信のために使用される。以下でさらに詳細に説明するように、そのような送信を区別するために、拡張フィールド１０１２中のインジケータが使用され得る。いくつかの態様では、２つ以上の空間ストリームが使用されるとき、追加のＬＴＦ１９５３がパケット２２６１中に含まれる方法と同様に、２つ以上の空間ストリームが使用されるとき、プリコーディングされたＬＴＦ１９７５が含まれる。プリコーディングされたＬＴＦ１９７５の包含または省略は、追加のＬＴＦ１９５３の包含または省略と同様に示され得る。
【０１９５】
いくつかの態様では、パケット２２４１が送信されているのかパケット２２６１、２２８１のいずれかが送信されているのかを識別するために、ＳＩＧ−Ａフィールド９１６ｆの変調が使用される。たとえば、ワイヤレスデバイス２０２ｔは、回転ＢＰＳＫを使用してＳＩＧ−Ａフィールド９１６ｆを送信し得る。ワイヤレスデバイス２０２ｒがＳＩＧ−Ａフィールド９１６ｆを受信するとき、ワイヤレスデバイス２０２ｒは、パケット２２６１またはパケット２２８１のいずれかが受信されていると判断し得る。パケット２２６１とパケット２２８１とを区別するために、ワイヤレスデバイス２０２ｒは拡張フィールド１０１２を評価し得る。いくつかの態様では、パケット２２４１と、パケット２２６１、２２８１のいずれかとを線引きするために、ＱＢＰＳＫ回転が使用される。したがって、ＳＩＧ−Ａフィールド９１６ｆの回転は、拡張フィールド１０１２がＳＩＧ−Ａフィールド９１６ｅに続くことを示し得る。拡張フィールド１０１２は、追加のＬＴＦ１９５３が次であるのか、プリコーディングされたＳＴＦ１９７３が次であるのか、ペイロード１８６１が次であるのかを示し得る。
【０１９６】
いくつかの態様では、ワイヤレスデバイス２０２のプロセッサ２０４（図２）は、ＭＩＭＯ、ＭＵ−ＭＩＭＯ、ＳＴＢＣ、またはＳＵ−ＢＦが使用されるとき、拡張フィールド１０１２を含めることを判断する。いくつかの態様では、ワイヤレスデバイス２０２のプロセッサ２０４は、送信されているパケットが４０９６バイトよりも大きいとき、ショートＧＩが使用されるとき、または低密度パリティチェック（ＬＤＰＣ：low-density parity-check）コードが使用されるとき、拡張フィールド１０１２を含めることを判断する。したがって、拡張フィールド１０１２は、いくつかの開ループＳＵモード（たとえばショートＧＩ、ＳＴＢＣ、ＭＩＭＯ、アグリゲーション）のために含まれ得る。いくつかの態様では、拡張フィールド１０１２が含まれるときはＡ−ＭＰＤＵが使用され、拡張フィールド１０１２が省略されるときはアグリゲーションが使用されない。
【０１９７】
上記で説明したように、開ループ送信が図１のワイヤレス通信システム１００において使用され得る。たとえば、８０２．１１ａｈ送信のために構成されたいくつかのセンサーが、開ループ送信を使用し得る。したがって、第２の実装形態では、プリアンブル中の５つのシンボルのみを含むパケット（たとえばパケット２２４１）が、典型的なセンサー送信のために使用され得る。
【０１９８】
図２３に、ＳＩＧ−Ａフィールド９１６ｆの一例を示す。ＳＩＧ−Ａフィールド９１６ｆは、１２ビットを備える長さサブフィールド２３５１と、４ビットを備えるＭＣＳサブフィールド２３５３と、帯域幅サブフィールド２０５９と、１ビットを備える予約済みサブフィールド２３５５と、１ビットを備えるパリティサブフィールド２３５７と、末尾サブフィールド２０７５とを含む。
【０１９９】
長さサブフィールド２３５１は、ＳＩＧ−Ａフィールド９１６ｆが含まれるパケットの、またはそのパケットのペイロードの、長さを示し得る。長さフィールド２３５１は、拡張フィールド１０１２が省略されるとき、パケットの長さを示し得る。拡張フィールド１０１２が含まれるとき、長さはシンボルで示され得る。上記で説明したように、拡張フィールド１０１２の包含は、ＳＩＧ−Ａフィールド９１６ｆのＢＰＳＫ回転によって示され得る。したがって、ＳＩＧ−Ａフィールド９１６ｆの変調回転は、長さフィールド２３５１がバイトとして解釈されるべきなのかシンボルとして解釈されるべきなのかを線引きし得る。
【０２００】
ＭＣＳサブフィールド２３５３は、ユーザのために使用されるＭＣＳを示す。ＳＵが使用されている場合、ＭＣＳはシングルユーザのためのものである。ＭＵが使用されている場合、ＭＣＳは複数のユーザのうちの１人、たとえば、第１のユーザのためのものである。
【０２０１】
図２４に、拡張フィールド１０１２の一例１０１２ｃを示す。図示の態様では、拡張フィールド１０１２ｃは２シンボル拡張ＳＩＧフィールドを備える。拡張ＳＩＧフィールド１０１２ｃは、１２ビットを備えるＭＣＳサブフィールド２４５１と、８ビットを備えるＮstsサブフィールド２４５３と、１ビットを備えるＢＦサブフィールド２４５５と、１ビットを備えるＳＧＩ／ＬＧＩサブフィールド２４５７と、４ビットを備えるコーディングサブフィールド２４５９と、１ビットを備えるＳＴＢＣサブフィールド２４６１と、６ビットを備えるＧＩＤサブフィールド２４６３と、４ビットを備えるＣＲＣサブフィールド２４６５と、９ビットを備える予約済みサブフィールド２４６７と、６ビットを備える末尾サブフィールド２４６９とを含む。
【０２０２】
ＭＵ送信の場合、ＭＣＳサブフィールド２４５１は、複数のユーザの各々のためのＭＣＳを示し得る。図示の態様では、最高３人のユーザがいることがある。上記で説明したように、１人のユーザのためのＭＣＳがＳＩＧ−Ａフィールド９１６ｆ中に含まれ得る。ＭＣＳサブフィールド２４５１中のＭＣＳは、それのためのＭＣＳがＳＩＧ−Ａフィールド９１６ｆ中に含まれる上記ユーザに加えて、複数のユーザのためのものであり得る。したがって、ＳＩＧ−Ａフィールド９１６ｆと拡張ＳＩＧフィールド１０１２ｃとの間で、４人の異なるユーザのためのＭＣＳが含まれ得る。
【０２０３】
ＭＵ送信の場合は、Ｎstsサブフィールド２４５３が、使用されている空間ストリームの数を示し得る。しかしながら、ＳＵ送信の場合は、Ｎstsサブフィールド２４５３と組み合わせたＭＣＳサブフィールド２４５１が、シングルユーザのＡＩＤを示すために使用され得る。たとえば、ＭＣＳサブフィールド２４５１のビットとＮstsサブフィールド２４５３の６ビットとが、ＡＩＤを搬送し得る。
【０２０４】
ＢＦサブフィールド２４５５、ＳＧＩ／ＬＧＩサブフィールド２４５７、およびＳＴＢＣサブフィールド２４６１は、それぞれ、ビームフォーミングが使用されているかどうか、ＳＧＩが使用されているのかＬＧＩが使用されているのか、およびＳＴＢＣが使用されているかどうかを示し得る。したがって、ＢＦサブフィールド２４５５は、ＳＵ開ループ送信とＳＵ−ＢＦ送信とを区別するために使用され得る。
【０２０５】
ＧＩＤサブフィールド２４６３は、拡張ＳＩＧフィールド１０１２ｃを含むパケットが宛てられたデバイスのためのＧＩＤを示し得る。いくつかの態様では、ＧＩＤサブフィールド２４６３の値はＳＵ開ループ送信のために予約され、および／またはＧＩＤサブフィールド２４６３の値はＳＵ−ＢＦ送信のために予約される。そのような態様では、ＳＵ開ループ送信とＳＵ−ＢＦ送信とは、ＢＦサブフィールド２４５５を評価することなしに区別され得る。いくつかのそのような態様では、ＢＦサブフィールド２４５５は省略される。
【０２０６】
コーディングサブフィールド２４５９は、複数のユーザの各々のためのコーディングを示し得る。図示の態様では、最高４人のユーザがいることがある。一態様では、コーディングサブフィールド２４５９の各ビットが、それぞれのユーザのために使用されるコーディングを示す。
【０２０７】
いくつかの態様では、ＳＧＩ／ＬＧＩサブフィールド２４５７および／またはＳＴＢＣサブフィールド２４６１は、拡張ＳＩＧフィールド１０１２ｃではなくＳＩＧ−Ａフィールド９１６ｆ中に含まれ得る。ＳＴＢＣサブフィールド２４６１は、一部または全部の空間ストリームのためのＳＴＢＣを示す。
【０２０８】
図２５Ａおよび図２５Ｂに、上記で説明したパケット１８４１のために使用され得る複数のフォーマットを示す別の実装形態を示す。図２５Ａおよび図２５Ｂに示すフォーマットの各々は、ＳＴＦ９１２と、ＬＴＦ９１４と、ＳＩＧ−Ａフィールド９１６とを含む。この例では、ＬＴＦ９１４およびＳＩＧ−Ａフィールド９１６は、それぞれ４つのシンボルを含む。図２５Ａはパケットのフォーマットの一例を示しており、図２５Ｂはパケットの別のフォーマットの一例を示している。ワイヤレスデバイス２０２ｒは、少なくともＬＴＦフィールド９１４に基づいて、図２５Ａのパケットと図２５Ｂのパケットとを区別し得る。
【０２０９】
図２５Ａを参照すると、パケット２５００は、プリアンブル２５１０とペイロード２５２０とを含む。プリアンブル２５１０は、ＳＴＦ９１２と、ＬＴＦ９１６と、ＳＩＧ−Ａフィールド９１６とを含む。ＳＩＧ−Ａフィールド９１６は反復コーディングされ得る。これらのフィールドは、本開示で説明する対応するフィールドと同様であり得る。いくつかの態様では、パケット２５００は、１つの空間ストリームを介した開ループ送信のために使用される。たとえば、８０２．１１ａｈ送信のために構成されたいくつかのセンサーが、パケット２５００を利用し得る。
【０２１０】
図２５Ｂを参照すると、パケット２５５０は、プリアンブル２５６０とペイロード２５２０とを含む。プリアンブル２５６０は、ＳＴＦ９１２と、ＬＴＦ９１４と、ＳＩＧ−Ａフィールド９１６と、拡張フィールド１０１２とを含む。ＳＩＧ−Ａフィールド９１６は反復コーディングされ得る。これらのフィールドは、本開示で説明する対応するフィールドと同様であり得る。図２５Ｂでは、拡張フィールド１０１２は、３つのシンボルを備える拡張ＳＩＧフィールドとして示されている。
【０２１１】
いくつかの態様では、パケット２５５０は、開ループＭＩＭＯ送信、ＬＤＰＣ、シングルユーザＭＩＭＯ、ミッドアンブル、ＳＴＢＣ、およびＰＡＩＤなど、高度機能が使用されるとき、またはペイロードが５１１バイトよりも大きいとき、使用される。パケット２５５０の拡張フィールド１０１２は、高度機能のための情報を通信し得る。いくつかの態様では、ＬＴＦフィールド９１４中のインジケータが、拡張ＳＩＧフィールド１０１２が含まれるかどうかを表す。そのようなインジケータの一例については、図２６に関して以下で説明する。
【０２１２】
図２６に、ＳＩＧ−Ａフィールド９１６ｇの一例を示す。図示の態様では、ＳＩＧフィールド９１６ｇは４つのシンボルを備える。ＳＩＧ−Ａフィールド９１６ｇは、９ビットを備える長さサブフィールド２６５１と、４ビットを備えるＭＣＳサブフィールド２６５３と、１ビットを備えるＳＧＩサブフィールド２６５５と、４ビットのＣＲＣサブフィールド２６５７と、６ビットの末尾フィールド２６５９とを含む。いくつかの実施形態では、４ビットのＣＲＣサブフィールド２６５７の代わりに、１つのパリティビットおよび３つの予約済みビットが含まれ得る。代替的に、いくつかの態様では、４ビットのＣＲＣサブフィールド２６５７ではなく、１つのパリティビット、２つの予約済みビット、および１ビットのドップラー／ミッドアンブルサブフィールドが含まれ得る。
【０２１３】
長さサブフィールド２６５１は、ＳＩＧ−Ａフィールド９１６ｇが含まれるパケットの、またはそのパケットのペイロードの、長さを示し得る。長さサブフィールド２６５１は、拡張フィールド１０１２が省略されるとき、パケットの長さをバイトで示し得る。拡張フィールド１０１２が含まれるとき、長さはシンボルで示され得る。拡張ＳＩＧフィールド１０１２がパケット中に含まれるかどうかは、ＬＴＦフィールド９１４またはＬＴＦフィールド９１４の一部分のシンボル回転によって示され得る。たとえば、ＬＴＦフィールド９１４の最後の２つのシンボルの回転は、拡張ＳＩＧフィールド１０１２が含まれるか否かを示し得る。したがって、ＬＴＦフィールド９１４の変調回転は、長さサブフィールド２６５１がバイトとして解釈されるべきなのかシンボルとして解釈されるべきなのかを線引きし得る。
【０２１４】
ＭＣＳサブフィールド２６５３は、ユーザのためのＭＣＳを示し得る。ＳＵモードが使用されている場合、ＭＣＳはシングルユーザのためのものであり得る。ＭＵモードが使用されている場合、ＭＣＳは複数のユーザのうちの１人、たとえば、第１のユーザのためのものであり得る。ＳＧＩサブフィールド２６５５は、ショートガードインターバルがどこで使用されるかを示し得る。たとえば、ショートガードインターバルは２μｓであり得、通常のガードインターバルは８μｓであり得る。いくつかの態様では、ショートガードインターバルは２μｓであり得、通常のガードインターバルは４μｓであり得る。
【０２１５】
ＳＩＧ−Ａフィールド９１６ｇは、５１１バイトまでのペイロードについて１ｓｓセンサートラフィックのために必要とされる情報を含み、延期のために必要とされる情報を含み得る。したがって、高度機能を実装しないデバイスは、電力を節約するために、ＳＩＧ−Ａフィールドを復号した後にシャットオフし得る。
【０２１６】
図２７に、拡張フィールド１０１２ｄの一例を示す。図示の例では、拡張フィールド１０１２ｄは３シンボル拡張ＳＩＧフィールドを備える。拡張ＳＩＧフィールド１０１２ｄは、２ビットのＳＳサブフィールド２７５１と、１ビットのドップラー／ミッドアンブルサブフィールド２７５３と、２ビットのコーディングサブフィールド２７５５と、５ビットのＰＡＩＤ（部分アソシエーション識別子）サブフィールド２７５７と、１ビットのＳＴＢＣサブフィールド２７５９と、１ビットのパリティサブフィールド２７６１と、６ビットの末尾サブフィールド２７６３とを含む。
【０２１７】
ｎｕｍ  ＳＳサブフィールド２７５１は、使用される空間ストリームの数を示し得る。ドップラー／ミッドアンブルサブフィールド２７５３は、受信機が高い時間チャネル変動の衝撃を緩和すべきであることを示すために、またはミッドアンブルの存在を示すために、含まれ得る。コーディングサブフィールド２７５５は、複数のユーザの各々のためのコーディングを示し得る。図示の態様では、最高４人のユーザがいることがある。一態様では、コーディングサブフィールド２７５５の各ビットが、それぞれのユーザのために使用されるコーディングを示し得る。
【０２１８】
ＰＡＩＤサブフィールド２７５７は、１つまたは複数の受信機のための部分識別子を含む。ＰＡＩＤサブフィールド２７５７は、各受信機２０２ｒがパケットの残余を受信し、復号すべきであるかどうかの初期インジケータとして、その受信機によって使用され得る。たとえば、ＰＡＩＤサブフィールド２７５７が、パケットが特定の受信機を対象としないことを示す場合、その特定の受信機は、電力を節約するために、パケットを処理することを中断し得る。ＳＴＢＣサブフィールド２７５９は、１つまたは複数の空間ストリームのためのＳＴＢＣを示し得る。いくつかの態様では、パリティサブフィールド２７６１は拡張ＳＩＧフィールド１０１２ｄのみをカバーする。
【０２１９】
いくつかの態様では、ＳＧＩビットは、ＳＩＧ−Ａフィールド９１６ｇ中にではなく拡張ＳＩＧフィールド１０１２ｄ中に含まれ得、ドップラー／ミッドアンブルビットは、拡張ＳＩＧフィールド１０１２中にではなくＳＩＧ−Ａフィールド９１６ｇ中に含まれ得る。いくつかの実施形態では、拡張ＳＩＧフィールド１０１２ｄは４つのシンボルを含む。そのような実施形態では、たとえば、予約済みビットおよび／または追加のＰＡＩＤビットのために、追加のシンボルが含まれ得る。追加のシンボルは、代替的に他のサブフィールドを含み得る。
【０２２０】
図２５Ａおよび図２５Ｂのパケット２５００および２５５０は、１ＭＨｚ送信モードの場合、特に有利である。図２５Ａのパケットは、たいていのトラフィックについて十分であり得る。いくつかの実施形態では、図２５Ｂのより長いパケットは、高度機能が使用されるときのみ、使用される。
【０２２１】
いくつかの実施形態では、図２５Ａおよび図２５Ｂのパケット２５００および２５５０は、代替構成を有する。たとえば、いくつかの実施形態では、ＳＩＧ−Ａフィールド９１６ｇは長さが３つのシンボルであり得、拡張フィールド１０１２ｄは１つのシンボルのみであり得る。そのような実施形態では、３シンボルＳＩＧ−Ａフィールド９１６ｇは、９ビットを備える長さサブフィールド２６５１と、３または４ビットを備えるＭＣＳサブフィールド２６５３と、１または０ビットのコーディングサブフィールド２７５５と、１ビットを備えるＳＧＩサブフィールド２６５５と、４ビットのＣＲＣサブフィールド２６５７とを含み得る。いくつかの態様では、テールバイティング畳み込みコード（tail-biting convolutional code）が使用されるとき、末尾ビットは省略され得る。さらに、１シンボル拡張フィールド１０１２ｄは、２ビットのＳＳサブフィールド２７５１と、１ビットのドップラー／ミッドアンブルサブフィールド２７５３と、１ビットのコーディングサブフィールド２７５５と、１ビットのＳＴＢＣサブフィールド２７５９と、１ビットのパリティサブフィールド２７６１とを備え得る。
【０２２２】
いくつかの態様では、図２５Ａおよび図２５Ｂのペイロード２５２０など、ペイロードは反復コーディングされ得る。ペイロードが反復コーディングされるかどうかは、ＬＴＦフィールド９１４またはＬＴＦフィールド９１４の一部分のシンボル回転によって示され得る。たとえば、ＬＴＦフィールド９１４の最後の２つのシンボルのＢＰＳＫ回転は、ペイロードがＢＰＳＫレート１／２コーディングされるのかＢＰＳＫレート１／２反復コーディングされるのかを示し得る。いくつかの実施形態では、ＬＴＦフィールド９１４の回転が、ペイロードがＢＰＳＫレート１／２反復コーディングされることを示す場合、本来ならペイロードのＭＣＳを示すために使用され得るプリアンブルのフィールド中のビットは、限定はしないが、予約済みビット、パリティビット、またはＣＲＣフィールドなど、別の目的で使用され得る。いくつかの実施形態では、プリアンブルはＳＩＧフィールドを含み、ＳＩＧフィールドは、ペイロードがＢＰＳＫレート１／２  ２×反復符号化されるときはいつでも、ＢＰＳＫレート１／２  ２×反復符号化され得、ペイロードがＢＰＳＫレート１／２  ２×反復符号化されないときはいつでも、ＢＰＳＫレート１／２符号化され得る。
【０２２３】
図２８に、パケットを送信するための方法２８００の一態様を示す。方法２８００は、たとえば、パケット７００、８００ａ、８００ｂ、８００ｃ、９００、１９４１、２２４１、１０００、１７００、１９４１、１９６１、２２６１、２２８１など、本開示で説明するパケットを選択的に生成するために使用され得る。そのパケットは、ＡＰ１０４またはＳＴＡ１０６において生成され、ワイヤレスネットワーク１００中の別のノードに送信され得る。方法２８００についてワイヤレスデバイス２０２ｔの要素に関して以下で説明するが、ステップのうちの１つまたは複数を実装するために他の構成要素が使用され得る。
【０２２４】
ブロック２８０２において、通信の物理レイヤプリアンブル中に拡張フィールドを含めるべきかどうかを判断する。拡張フィールドは、たとえば、拡張ＳＩＧフィールドおよび／またはＳＩＧ−Ｂフィールドを備え得る。いくつかの態様では、複数の拡張フィールドが含まれ得る。上記判断は、たとえば、プロセッサ２０４および／またはＤＳＰ２２０によって実行され得る。いくつかの態様では、プロセッサ２０４は、ＭＵ−ＭＩＭＯが使用されるとき、パケットの長さがしきい値量よりも大きくなるとき、デフォルトモードがデータのために使用されていないとき、ワイヤレスデバイス２０２ｔが２つの最低帯域幅のうちの１つにおいて動作していないとき、または使用されている前方誤り訂正（ＦＥＣ）がＢＣＣでないとき、拡張フィールドを含めることを判断する。
【０２２５】
ブロック２８０４において、上記通信を生成する。上記通信は、物理レイヤプリアンブルとペイロードとを備え得、上記プリアンブルは、拡張フィールドが含まれるかどうかを示す第１のフィールドを含み得る。第１のフィールドは、ＳＩＧフィールド、たとえば、ＳＩＧ−Ａフィールドを備え得る。拡張フィールドの包含は、たとえば、ＳＩＧフィールド中の１つまたは複数のビット、ＳＩＧフィールドのＢＰＳＫ回転、および／またはＳＩＧフィールドのシンボルの間のＱレール上のビットによって、示され得る。上記生成は、たとえば、プロセッサ２０４および／またはＤＳＰ２２０によって実行され得る。いくつかの態様では、プロセッサ２０４は、拡張フィールドを含めないことが判断されたとき、第１のフィールド中にペイロードのためのコーディングパラメータを含め、拡張フィールドを含めることが判断されたとき、拡張フィールド中にペイロードのためのコーディングパラメータを含める。いくつかの態様では、ＭＣＳにおけるコーディングパラメータは、１人または複数のユーザのためのものであり得る。
【０２２６】
ブロック２８０６において、上記パケットをワイヤレス送信する。上記送信は、たとえば、送信機２１０によって実行され得る。
【０２２７】
図２９は、図１のワイヤレス通信システム１００内で採用され得る例示的なワイヤレスデバイス２９００の機能ブロック図である。デバイス２９００は、通信の物理レイヤプリアンブル中に拡張フィールドを含めるべきかどうかを判断するための判断モジュール２９０２を備える。判断モジュール２９０２は、図２８に示したブロック２８０２に関して上記で説明した機能のうちの１つまたは複数を実行するように構成され得る。判断モジュール２９０２は、たとえば、図２のプロセッサ２０４およびＤＳＰ２２０のうちの１つまたは複数に対応し得る。デバイス２９００は、上記通信を生成するための生成モジュール２９０４をさらに備える。生成モジュール２９０４は、図２８に示したブロック２８０４に関して上記で説明した機能のうちの１つまたは複数を実行するように構成され得る。生成モジュール２９０４は、たとえば、プロセッサ２０４およびＤＳＰ２２０のうちの１つまたは複数に対応し得る。デバイス２９００は、生成された通信をワイヤレス送信するための送信モジュール２９０６をさらに備える。送信モジュール２９０６は、図２８に示したブロック２８０６に関して上記で説明した機能のうちの１つまたは複数を実行するように構成され得る。送信モジュール２９０６は、たとえば、図２の送信機２１０に対応し得る。
【０２２８】
図３０に、パケットを受信し、処理するための方法３０００の一態様を示す。方法３０００は、たとえば、パケット７００、８００ａ、８００ｂ、８００ｃ、９００、１９４１、２２４１、１０００、１７００、１９４１、１９６１、２２６１、２２８１など、本開示で説明するパケットを受信し、処理するために使用され得る。そのパケットは、ＡＰ１０４またはＳＴＡ１０６のいずれかにおいて、図１のワイヤレスネットワーク１００中の別のノードから受信され得る。方法３０００についてワイヤレスデバイス２０２ｒの要素に関して以下で説明するが、ステップのうちの１つまたは複数を実装するために他の構成要素が使用され得る。
【０２２９】
ブロック３００２において、物理レイヤプリアンブルとペイロードとを備えるワイヤレス通信を受信する。上記受信は、たとえば、受信機２１２によって実行され得る。いくつかの態様では、上記プリアンブルは、上記プリアンブルが拡張フィールドをも含むかどうかを示す第１のフィールドを含む。第１のフィールドは、ＳＩＧフィールド、たとえば、ＳＩＧ−Ａフィールドを備え得る。拡張フィールドの包含は、たとえば、ＳＩＧフィールド中の１つまたは複数のビット、ＳＩＧフィールドのＢＰＳＫ回転、および／またはＳＩＧフィールドのシンボルの間のＱレール上のビットによって、示され得る。拡張フィールドは、拡張ＳＩＧフィールドおよび／またはＳＩＧ−Ｂフィールドを備え得る。いくつかの態様では、複数の拡張フィールドが含まれ得る。
【０２３０】
ブロック３００４において、インジケータが、上記プリアンブルが拡張フィールドを含まないことを表すとき、第１のフィールド中に含まれる変調コーディングパラメータに基づいてペイロードを処理し、インジケータが、上記プリアンブルが拡張フィールドを含むことを示すとき、拡張フィールド中に含まれるコーディングパラメータに基づいてペイロードを処理する。上記処理は、たとえば、プロセッサ２０４、信号検出器２１８、および／またはＤＳＰ２２０によって実行され得る。いくつかの例では、ペイロードは、第１のフィールドおよび／または拡張フィールド中に含まれるＭＣＳを使用して処理される。いくつかの態様では、拡張フィールドが含まれるとき、ペイロードは、第１のフィールドの１つまたは複数のサブフィールドを拡張フィールドの１つまたは複数のサブフィールドと組み合わせることによって、処理される。いくつかの態様では、ペイロードは、拡張フィールド中の情報に基づいて複数のユーザのために処理される。
【０２３１】
図３１は、図１のワイヤレス通信システム１００内で採用され得る例示的なワイヤレスデバイス３１００の機能ブロック図である。デバイス３１００は、物理レイヤプリアンブルとデータユニットとを備えるワイヤレス通信をワイヤレス受信するための受信モジュール３１０２を備える。いくつかの態様では、上記プリアンブルは、上記プリアンブルが拡張フィールドをも含むかどうかを示す第１のフィールドを含む。受信モジュール３１０２は、図３０に示したブロック３００２に関して上記で説明した機能のうちの１つまたは複数を実行するように構成され得る。受信モジュール３００２は、たとえば、図２の受信機２１２に対応し得る。デバイス３１００は、第１のフィールド中に含まれる変調コーディングパラメータに基づいてペイロードを処理するための処理モジュール３１０４をさらに備える。処理モジュール３１０４は、図３０に示したブロック３００４に関して上記で説明した機能のうちの１つまたは複数を実行するように構成され得る。処理モジュール３１０４は、たとえば、図２のプロセッサ２０４、信号検出器２１８、およびＤＳＰ２２０のうちの１つまたは複数に対応し得る。デバイス３１００は、拡張フィールド中に含まれるコーディングパラメータに基づいてペイロードを処理するための処理モジュール３１０６をさらに備える。処理モジュール３１０４は、図３０に示したブロック３００４に関して上記で説明した機能のうちの１つまたは複数を実行するように構成され得る。処理モジュール３１０６は、たとえば、図２のプロセッサ２０４、信号検出器２１８、およびＤＳＰ２２０のうちの１つまたは複数に対応し得る。
【０２３２】
図３２に、図２のワイヤレスデバイス２０２の受信機２１２において利用され得る様々な構成要素を示す。図３２に示す構成要素は、たとえば、パケット９００、１０００、およびパケット１１００など、パケットを受信し、区別するために使用され得る。
【０２３３】
図３２に示す態様では、受信機２１２は、第１の検出器３２０２と第２の検出器３２０４とを備える。第１の検出器３２０２は、たとえば、図９のＳＴＦ９１２を検出するように構成される。第２の検出器３２０４は、たとえば、図１１のＳＴＦ１１１２を検出するように構成される。第１の検出器３２０２および第２の検出器３２０４は、パケットとパケットのフォーマットとを検出するために並列に動作し得る。
【０２３４】
第１の検出器３２０２と第２の検出器３２０４の両方を使用することによって、受信機２１２は、パケット１１００が受信されたかどうかを、またはパケット９００、１０００が受信されたかどうかを自動検出し得る。第１の検出器３２０２が、パケット９００または１０００が受信されていることを検出した場合、ワイヤレスデバイス２０２ｒは、パケット９００が受信されているのかパケット１０００が受信されているのかを判断するために、本開示で説明する機構のうちの１つまたは複数を使用し得る。受信されたパケットのペイロードは、パケット９００〜１１００のうちのどれが受信されたかに基づいて、ならびに受信されたパケット中のＳＩＧおよび／または拡張フィールドに基づいて、処理され得る。このようにして、ワイヤレスデバイス２０２ｒは、たとえば、図９〜図１１に示した複数の構成でフォーマットされたパケットを受信し、処理するように構成され得る。
【０２３５】
ワイヤレスデバイス２０２ｔのプロセッサは、どのパケットが、パケット９００および１０００中でよりも多くの回数反復されるシーケンスを含むかに基づいて、たとえば、パケット９００、１０００とパケット１１００との間で選択するように構成され得る。したがって、有利なときは、より長く、よりロバストなＳＴＦおよび／またはプリアンブルが送信され得、他の送信では、ＳＴＦおよび／またはプリアンブルを効率的な長さに維持する。
【０２３６】
本開示で説明するＳＴＦ検出に加えて、またはそれの代わりに、ワイヤレスデバイス２０２ｒは、ＬＴＦの自動検出プロシージャを使用して、たとえば、パケット９００、１０００とパケット１１００とを区別し得る。たとえば、ＬＴＦ１１１４のシンボルのうちの１つが、ＬＴＦ９１４中のそれぞれのシンボルと比較して反転されたとき、本開示で説明するように、ワイヤレスデバイス２０２ｒは、受信されたパケットが、パケット９００または１０００としてフォーマットされるのか、あるいはパケット１１００としてフォーマットされるのかを検出し得る。いくつかのそのような態様では、ＳＴＦは、異なるパケットフォーマットで同様にフォーマットされ得る。たとえば、パケット９００および１０００中のＳＴＦ９１２は、パケット１１００中のＳＴＦ１１１２によって置き換えられ得る。これらの態様では、ＳＴＦを使用してパケットの開始を検出し、ＬＴＦを使用してパケットのタイプを検出するために、受信機２１２中で単一の検出器が実装され得る。ただし、これらの態様では、パケットは、プリアンブルの長さを増加させ得る、拡張されたＳＴＦ１１１２を使用し得る。
【０２３７】
図３３に、ＳＩＧフィールド１１１６の一例１１１６ａを示す。ＳＩＧフィールド１１１６ａは、１０ビットを含む長さサブフィールド３３０２と、１ビットを含む反復係数サブフィールド３３０４と、１ビットを含むパリティサブフィールド３３０６と、１ビットを含む予約済みサブフィールド３３０８と、６ビットを含む末尾サブフィールド３３１２とを備える。長さサブフィールド３３０２は、パケット１１００の長さをバイトで示し得る。反復係数サブフィールド３３０４は、ＳＩＧフィールド１１１６ａ中の複数のビットが反復される回数を示し得る。図示の態様では、反復係数サブフィールドは、ＳＩＧフィールド１１１６中の複数のビットが２回反復されるのか４回反復されるのかを示すために使用され得るビットを含む。８×ダウンクロック係数がプリアンブル１１１０のために使用され、複数のビットが２回反復され得る場合、ＰＨＹレートは約４００Ｋｂｐｓであり得る。そのような態様では、１０２４バイトを送信することは、約２０ミリ秒超を要し得る。
【０２３８】
図７〜図２７および図３３に示したパケットおよびフィールドは、例であり、本開示で説明するパケットまたはフィールドのいずれに対しても限定的でない。図７〜図２７および図３３に示したパケットおよびフィールドは、１つまたは複数の追加のフィールドまたはサブフィールドを含み得、あるいは１つまたは複数のフィールドまたはサブフィールドを省略し得る。
【０２３９】
図３４に、パケットを送信するための方法３４００の一態様を示す。方法３４００は、たとえば、図７、図８、図９、図１０、図１１、図１７〜図１９、図２２、図２５に示したパケットを選択的に生成するために使用され得る。そのパケットは、ＡＰ１０４またはＳＴＡ１０６において生成され、ワイヤレスネットワーク１００中の別のノードに送信され得る。方法３４００についてワイヤレスデバイス２０２ｔの要素に関して以下で説明するが、ステップのうちの１つまたは複数を実装するために他の構成要素が使用され得る。
【０２４０】
ブロック３４０２において、トレーニングフィールドを備える少なくとも２つのパケットフォーマットからパケットフォーマットを選択する。いくつかの態様では、データパケットフォーマットのうちの１つのトレーニングフィールドは、上記データパケットフォーマットのうちの別の１つのトレーニングフィールド中でよりも多くの回数反復されるシーケンスを含む。いくつかの態様では、トレーニングフィールドはＳＴＦまたはＬＴＦを備える。上記選択は、たとえば、プロセッサ２０４および／またはＤＳＰ２２０によって実行され得る。
【０２４１】
ブロック３４０４において、選択されたデータパケットフォーマットを使用してワイヤレス通信を送信する。上記送信は、たとえば、送信機２１０によって実行され得る。
【０２４２】
図３５は、図１のワイヤレス通信システム１００内で採用され得る別の例示的なワイヤレスデバイス３５００の機能ブロック図である。デバイス３５００は、トレーニングフィールドを備える少なくとも２つのデータパケットフォーマットからデータパケットフォーマットを選択するための選択モジュール３５０２を備える。選択モジュール３５０２は、図３４に示したブロック３４０２に関して上記で説明した機能のうちの１つまたは複数を実行するように構成され得る。選択モジュール３５０２は、たとえば、図２のプロセッサ２０４およびＤＳＰ２２０のうちの１つまたは複数に対応し得る。デバイス３５００は、選択されたパケットフォーマットを使用してワイヤレス通信を送信するための送信モジュール３５０４をさらに備える。送信モジュール３５０４は、図３４に示したブロック３４０４に関して上記で説明した機能のうちの１つまたは複数を実行するように構成され得る。送信モジュール３５０４は、たとえば、図２の送信機２１０に対応し得る。
【０２４３】
図３６に、パケットを受信し、処理するための方法３６００の一態様を示す。方法３６００は、たとえば、図７、図８、図９、図１０、図１１、図１７〜図１９、図２２、図２５に示したパケットを受信し、処理するために使用され得る。そのパケットは、ＡＰ１０４またはＳＴＡ１０６において、図１のワイヤレスネットワーク１００中の別のノードから受信され得る。方法３６００についてワイヤレスデバイス２０２ｒの要素に関して以下で説明するが、ステップのうちの１つまたは複数を実装するために他の構成要素が使用され得る。
【０２４４】
ブロック３６０２において、少なくとも２つのフォーマットのうちの１つを有するパケットをワイヤレス受信する。上記受信は、たとえば、受信機２１２によって実行され得る。ブロック３６０４において、それぞれのデータパケットフォーマットを検出するように構成された少なくとも２つの検出器のうちの１つを使用して、上記パケットのフォーマットを検出する。たとえば、受信機２１２の第１の検出器３２０２および第２の検出器３２０４は、パケットフォーマット９００またはパケットフォーマット１１００のいずれかを検出するために使用され得る。
【０２４５】
ブロック３６０６において、検出されたフォーマットに基づいて、受信されたデータパケットを処理する。上記処理は、たとえば、プロセッサ２０４、信号検出器２１８、および／またはＤＳＰ２２０によって実行され得る。
【０２４６】
図３７は、ワイヤレス通信システム１００内で採用され得る別の例示的なワイヤレスデバイス３７００の機能ブロック図である。デバイス３７００は、少なくとも２つのフォーマットのうちの１つを有するパケットをワイヤレス受信するための受信モジュール３７０２を備える。受信モジュール３７０２は、図３６に示したブロック３６０２に関して上記で説明した機能のうちの１つまたは複数を実行するように構成され得る。受信モジュール３７０２は、たとえば、図２の受信機２１２に対応し得る。デバイス３７００は、受信されたデータパケットが第１のフォーマットを有するかどうかを検出するための第１の検出モジュール３７０４をさらに備える。第１の検出モジュール３７０４は、図３６に示したブロック３６０４に関して上記で説明した機能のうちの１つまたは複数を実行するように構成され得る。第１の検出モジュール３７０４は、たとえば、図３２の受信機２１２中の第１の検出器３２０２に対応し得る。デバイス３７００は、受信されたデータパケットが第２のフォーマットを有するかどうかを検出するための第２の検出モジュール３７０６をさらに備える。第２の検出モジュール３７０６は、図３６に示したブロック３６０４に関して上記で説明した機能のうちの１つまたは複数を実行するように構成され得る。第２の検出モジュール３７０６は、たとえば、図３２の受信機２１２中の第２の検出器３２０４に対応し得る。デバイス３７００は、第１の検出モジュール３７０４および第２の検出モジュール３７０６に基づいて、上記パケットを処理するための処理モジュール３７０８をさらに備える。処理モジュール３７０８は、図３６に示したブロック３６０６に関して上記で説明した機能のうちの１つまたは複数を実行するように構成され得る。処理モジュール３７０８は、たとえば、図２のプロセッサ２０４、信号検出器２１８、およびＤＳＰ２２０のうちの１つまたは複数に対応し得る。
【０２４７】
図３８に、パケットの一部分を受信するための方法３８００の一態様を示す。方法３８００は、パケットの物理レイヤプリアンブルを受信することと、パケットが、パケットを受信したデバイスを対象としないと判断した後に、パケットのさらなる処理を中止することとを行うために、使用され得る。そのパケットは、ＡＰ１０４またはＳＴＡ１０６において、図１のワイヤレスネットワーク１００中の別のノードから受信され得る。方法３８００についてワイヤレスデバイス２０２ｒの要素に関して以下で説明するが、ステップのうちの１つまたは複数を実装するために他の構成要素が使用され得る。
【０２４８】
ブロック３８０２において、パケットの少なくとも上記プリアンブルをワイヤレス受信する。上記受信は、たとえば、受信機２１２によって実行され得る。いくつかの態様では、上記プリアンブルは、上記プリアンブルが拡張フィールドをも含むかどうかを示す第１のフィールドを含む。第１のフィールドは、ＳＩＧフィールド、たとえばＳＩＧ−Ａフィールドを備え得る。拡張フィールドの包含は、たとえば、ＳＩＧフィールド中の１つまたは複数のビット、ＳＩＧフィールドのＢＰＳＫ回転、および／またはＳＩＧフィールドのシンボルの間のＱレール上のビットによって、示され得る。拡張フィールドは、拡張ＳＩＧフィールドおよび／またはＳＩＧ−Ｂフィールドを備え得る。いくつかの態様では、複数の拡張フィールドが含まれ得る。
【０２４９】
ブロック３８０４において、第１のフィールドが、上記プリアンブルが拡張フィールドを含むことを示すとき、上記パケットの残余の受信をアボートする。上記アボートすることは、たとえば、プロセッサ２０４、受信機２１２、信号検出器２１８、および／またはＤＳＰ２２０によって実行され得る。このようにして、パケットを完全に受信および／または処理するために本来なら使用され得る電力が温存され得る。
【０２５０】
図３９は、ワイヤレス通信システム１００内で採用され得る別の例示的なワイヤレスデバイス３９００の機能ブロック図である。デバイス３９００は、ワイヤレス通信の少なくとも物理レイヤプリアンブルをワイヤレス受信するための受信モジュール３９０２を備える。いくつかの態様では、上記プリアンブルは、上記プリアンブルが拡張フィールドをも含むかどうかを示す第１のフィールドを含む。受信モジュール３９０２は、図３８に示したブロック３８０２に関して上記で説明した機能のうちの１つまたは複数を実行するように構成され得る。受信モジュール３９０２は、たとえば、図２の受信機２１２に対応し得る。デバイス３９００は、第１のフィールドが、上記プリアンブルが拡張フィールドを含むことを示すとき、上記パケットの残余の受信をアボートするためのアボートモジュール３９０４をさらに備える。アボートモジュール３９０４は、図３８に示したブロック３８０４に関して上記で説明した機能のうちの１つまたは複数を実行するように構成され得る。アボートモジュール３９０４は、たとえば、図２のプロセッサ２０４、受信機２１２、信号検出器２１８、およびＤＳＰ２２０のうちの１つまたは複数に対応し得る。
【０２５１】
図４０に、パケットを送信するための方法４０００の一態様を示す。方法４０００は、たとえば、パケット２５００および２５５０など、本開示で説明するパケットを生成するために使用され得る。そのパケットは、ＡＰ１０４またはＳＴＡ１０６において生成され、ワイヤレスネットワーク１００中の別のノードに送信され得る。方法４０００についてワイヤレスデバイス２０２ｔの要素に関して以下で説明するが、ステップのうちの１つまたは複数を実装するために他の構成要素が使用され得る。
【０２５２】
ブロック４００２において、物理レイヤプリアンブルとペイロードとを備えるワイヤレス通信を生成する。上記プリアンブルは、ペイロードが反復コーディングされたデータを含むかどうかを示すＬＴＦを含む。たとえば、その指示は、ＬＴＦまたはＬＴＦの一部分のシンボル回転によって与えられ得る。上記生成は、たとえば、プロセッサ２０４および／またはＤＳＰ２２０によって実行され得る。
【０２５３】
ブロック４００４において、生成された通信をワイヤレス送信する。上記送信は、たとえば、送信機２１０によって実行され得る。
【０２５４】
図４１は、図１のワイヤレス通信システム内で採用され得る例示的なワイヤレスデバイス４１００の機能ブロック図である。デバイス４１００は、物理レイヤプリアンブルとペイロードとを含むワイヤレス通信を生成するための生成モジュール４１０２を備える。上記プリアンブルは、ペイロードが反復コーディングされたデータを含むかどうかを示すＬＴＦを含み得る。生成モジュール４１０２は、図４０に示したブロック４００２に関して上記で説明した機能のうちの１つまたは複数を実行するように構成され得る。生成モジュール４１０２は、たとえば、図２のプロセッサ２０４およびＤＳＰ２２０のうちの１つまたは複数に対応し得る。デバイス４１００は、生成された通信をワイヤレス送信するための送信モジュール４１０４をさらに備える。送信モジュール４１０４は、図４０に示したブロック４００４に関して上記で説明した機能のうちの１つまたは複数を実行するように構成され得る。送信モジュール４１０４は、たとえば、図２の送信機２１０に対応し得る。
【０２５５】
図４２に、パケットの一部分を受信するための方法４２００の一態様を示す。方法４２００は、たとえば、パケット２５００および２５５０など、本開示で説明するパケットを受信し、処理するために使用され得る。そのパケットは、ＡＰ１０４またはＳＴＡ１０６のいずれかにおいて、ワイヤレスネットワーク１００中の別のノードから受信され得る。方法４２００についてワイヤレスデバイス２０２ｒの要素に関して以下で説明するが、ステップのうちの１つまたは複数を実装するために他の構成要素が使用され得る。
【０２５６】
ブロック４２０２において、物理レイヤプリアンブルとペイロードとを備えるワイヤレス通信を受信する。上記受信は、たとえば、受信機２１２によって実行され得る。
【０２５７】
ブロック４２０４において、ペイロードが反復コーディングされたデータを含むかどうかを示す、上記プリアンブル中に含まれるＬＴＦに基づいて、ペイロードを処理する。たとえば、その指示は、ＬＴＦまたはＬＴＦの一部分のシンボル回転を備え得る。上記処理は、たとえば、プロセッサ２０４、信号検出器２１８、および／またはＤＳＰ２２０によって実行され得る。
【０２５８】
図４３は、図１のワイヤレス通信システム内で採用され得る例示的なワイヤレスデバイス４３００の機能ブロック図である。デバイス４３００は、物理レイヤプリアンブルとペイロードとを備えるワイヤレス通信を受信するための受信モジュール４３０２を備える。受信モジュール４３０２は、図４２に示したブロック４２０２に関して上記で説明した機能のうちの１つまたは複数を実行するように構成され得る。受信モジュール４３０２は、たとえば、図２の受信機２１２に対応し得る。デバイス４２００は、ペイロードが反復コーディングされたデータを含むかどうかを示す、上記プリアンブル中に含まれるＬＴＦに基づいて、ペイロードを処理するための処理モジュール４３０４をさらに備える。処理モジュール４３０４は、図４２に示したブロック４２０４に関して上記で説明した機能のうちの１つまたは複数を実行するように構成され得る。処理モジュール４３０４は、たとえば、図２のプロセッサ２０４、信号検出器２１８、およびＤＳＰ２２０のうちの１つまたは複数に対応し得る。
【０２５９】
本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。さらに、本明細書で使用する「チャネル幅」は、いくつかの態様では帯域幅を包含することがあるか、または帯域幅と呼ばれることもある。
【０２６０】
本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【０２６１】
上記で説明した方法の様々な動作は、様々なハードウェアおよび／またはソフトウェア構成要素（複数可）、回路、および／またはモジュール（複数可）など、それらの動作を実行することが可能な任意の好適な手段によって実行され得る。一般に、図に示すどの動作も、その動作を実行することが可能な対応する機能的手段によって実行され得る。
【０２６２】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０２６３】
１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。
【０２６４】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０２６５】
説明した機能は、ハードウェア、ソフトウェア、ファームウェア、またはそれらの組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびブルーレイ（登録商標）ディスク（disc）を含み、ディスク（disk）は、通常、データを磁気的に再生し、ディスク（disc）は、データをレーザーで光学的に再生する。
【０２６６】
したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０２６７】
ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０２６８】
さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【０２６９】
各請求項は、上記で示した厳密な構成および構成要素に限定されないことを理解されたい。上記で説明した方法および装置の構成、動作および詳細において、各請求項の範囲から逸脱することなく、様々な改変、変更および変形が行われ得る。
【０２７０】
上記は本開示の態様を対象とするが、本開示の他の態様およびさらなる態様は、それの基本的範囲から逸脱することなく考案され得、それの範囲は以下の各請求項の範囲によって判断される。
以下に、本願出願の当初の特許請求の範囲に記載された発明を付記する。
［Ｃ１］
物理レイヤプリアンブルとペイロードとを備えるワイヤレス通信を受信するように構成された受信機であって、前記プリアンブルは、前記プリアンブルが拡張フィールドを含むかどうかを示す第１のフィールドを含む、受信機と、
前記第１のフィールドが、前記プリアンブルが前記拡張フィールドを含まないことを示すとき、前記第１のフィールド中に含まれる変調コーディングパラメータに基づいて前記ペイロードを処理するように構成され、前記第１のフィールドが、前記プリアンブルが前記拡張フィールドを含むことを示すとき、前記拡張フィールド中に含まれるコーディングパラメータに基づいて前記ペイロードを処理するように構成された、プロセッサと
を備える、ワイヤレス通信のための装置。
［Ｃ２］
前記第１のフィールドが信号（ＳＩＧ）フィールドを備える、Ｃ１に記載の装置。
［Ｃ３］
前記ＳＩＧフィールド中のビットが、前記拡張フィールドが含まれるかどうかを示す、Ｃ２に記載の装置。
［Ｃ４］
前記ＳＩＧフィールド中の２ビットが、前記拡張フィールドが含まれるかどうかを示す、Ｃ２に記載の装置。
［Ｃ５］
前記ＳＩＧフィールドの変調の回転が、前記拡張フィールドが含まれるかどうかを示す、Ｃ２に記載の装置。
［Ｃ６］
前記ＳＩＧフィールドのシンボルの間の直角位相での指示が、前記拡張フィールドが含まれるかどうかを示す、Ｃ２に記載の装置。
［Ｃ７］
前記プロセッサは、前記第１のフィールドが、前記プリアンブルが前記拡張フィールドを含まないことを示すとき、シングルユーザ（ＳＵ）データのための前記ペイロードを復号することと、前記第１のフィールドが、前記プリアンブルが前記拡張フィールドを含むことを示すとき、マルチユーザ（ＭＵ）データのための前記ペイロードを復号することとを行うように構成された、Ｃ１に記載の装置。
［Ｃ８］
前記拡張フィールドが、１つまたは複数の変調コーディング方式の指示と、１つまたは複数の空間ストリームの指示と、グループ識別子と、巡回冗長検査と、予約済みサブフィールドと、末尾サブフィールドとを備える、Ｃ１に記載の装置。
［Ｃ９］
前記ワイヤレス通信が、第１のタイプを備え、前記第１のフィールドが、シーケンスを有するトレーニングフィールドを備え、前記受信機が、第２のタイプを有するワイヤレス通信を受信するようにさらに構成され、前記第２のタイプの前記ワイヤレス通信が、前記シーケンスを有するトレーニングフィールドを備え、前記シーケンスが、前記第１のタイプの前記トレーニングフィールド中でよりも前記第２のタイプの前記トレーニングフィールド中で、より多くの回数反復される、Ｃ１に記載の装置。
［Ｃ１０］
前記拡張フィールドがトレーニングフィールドを備える、Ｃ１に記載の装置。
［Ｃ１１］
前記トレーニングフィールドがプリコーディングされる、Ｃ１０に記載の装置。
［Ｃ１２］
前記拡張フィールドがＳＩＧ−Ｂフィールドを備える、Ｃ１に記載の装置。
［Ｃ１３］
各ユーザについて１つのＳＩＧ−Ｂフィールドが含まれる、Ｃ１２に記載の装置。
［Ｃ１４］
前記第１のフィールドが、前記ワイヤレス通信の長さを示すサブフィールドを含み、前記プロセッサは、前記第１のフィールドが、前記ワイヤレス通信がシングルユーザ非アグリゲートＭＡＣプロトコルデータユニットのためのものであることを示すとき、前記サブフィールドをバイト数として解釈するように構成され、前記プロセッサは、前記第１のフィールドが、前記ワイヤレス通信がシングルユーザ非アグリゲートＭＡＣプロトコルデータユニットのためのものであることを示さないとき、前記サブフィールドをシンボル数として解釈するように構成された、Ｃ１に記載の装置。
［Ｃ１５］
前記プロセッサは、前記第１のフィールドの変調が回転されたとき、前記拡張フィールドが含まれると判断し、前記ワイヤレス通信がＭＵ−ＭＩＭＯ通信または送信ビームフォーミング通信を備えると判断するように構成され、前記プロセッサは、前記拡張フィールド中のインジケータに基づいて、前記ワイヤレス通信が前記ＭＵ−ＭＩＭＯ通信を備えるのか前記送信ビームフォーミング通信を備えるのかを判断するようにさらに構成された、Ｃ１に記載の装置。
［Ｃ１６］
物理レイヤプリアンブルとペイロードとを備えるワイヤレス通信を受信することであって、前記プリアンブルは、前記プリアンブルが拡張フィールドを含むかどうかを示す第１のフィールドを含む、受信することと、
前記第１のフィールドが、前記プリアンブルが前記拡張フィールドを含まないことを示すとき、前記第１のフィールド中に含まれる変調コーディングパラメータに基づいて前記ペイロードを処理することと、
前記第１のフィールドが、前記プリアンブルが前記拡張フィールドを含むことを示すとき、前記拡張フィールド中に含まれるコーディングパラメータに基づいて前記ペイロードを処理することと
を備える、ワイヤレス通信の方法。
［Ｃ１７］
前記第１のフィールドが信号（ＳＩＧ）フィールドを備える、Ｃ１６に記載の方法。
［Ｃ１８］
前記ＳＩＧフィールド中のビットが、前記拡張フィールドが含まれるかどうかを示す、Ｃ１７に記載の方法。
［Ｃ１９］
前記ＳＩＧフィールド中の２ビットが、前記拡張フィールドが含まれるかどうかを示す、Ｃ１７に記載の方法。
［Ｃ２０］
前記ＳＩＧフィールドの変調の回転が、前記拡張フィールドが含まれるかどうかを示す、Ｃ１７に記載の方法。
［Ｃ２１］
前記ＳＩＧフィールドのシンボルの間の直角位相での指示が、前記拡張フィールドが含まれるかどうかを示す、Ｃ１７に記載の方法。
［Ｃ２２］
前記処理することは、前記第１のフィールドが、前記プリアンブルが前記拡張フィールドを含まないことを示すとき、シングルユーザ（ＳＵ）データのための前記ペイロードを復号することを備え、前記処理することは、前記第１のフィールドが、前記プリアンブルが前記拡張フィールドを含むことを示すとき、マルチユーザ（ＭＵ）データのための前記ペイロードを復号することを備える、Ｃ１６に記載の方法。
［Ｃ２３］
前記拡張フィールドが、１つまたは複数の変調コーディング方式の指示と、１つまたは複数の空間ストリームの指示と、グループ識別子と、巡回冗長検査と、予約済みサブフィールドと、末尾サブフィールドとを備える、Ｃ１６に記載の方法。
［Ｃ２４］
前記ワイヤレス通信が、第１のタイプを備え、前記第１のフィールドが、シーケンスを有するトレーニングフィールドを備え、前記方法が、第２のタイプを有するワイヤレス通信を受信することをさらに備え、前記第２のタイプの前記ワイヤレス通信が、前記シーケンスを有するトレーニングフィールドを備え、前記シーケンスが、前記第１のタイプの前記トレーニングフィールド中でよりも前記第２のタイプの前記トレーニングフィールド中で、より多くの回数反復される、Ｃ１６に記載の方法。
［Ｃ２５］
前記拡張フィールドがトレーニングフィールドを備える、Ｃ１６に記載の方法。
［Ｃ２６］
前記トレーニングフィールドがプリコーディングされる、Ｃ２５に記載の方法。
［Ｃ２７］
前記拡張フィールドがＳＩＧ−Ｂフィールドを備える、Ｃ１６に記載の方法。
［Ｃ２８］
各ユーザについて１つのＳＩＧ−Ｂフィールドが含まれる、Ｃ２７に記載の方法。
［Ｃ２９］
前記第１のフィールドが、前記ワイヤレス通信の長さを示すサブフィールドを含み、前記処理することは、前記第１のフィールドが、前記ワイヤレス通信がシングルユーザ非アグリゲートＭＡＣプロトコルデータユニットのためのものであることを示すとき、前記サブフィールドをバイト数として解釈することを備え、前記処理することは、前記第１のフィールドが、前記ワイヤレス通信がシングルユーザ非アグリゲートＭＡＣプロトコルデータユニットのためのものであることを示さないとき、前記サブフィールドをシンボル数として解釈することを備える、Ｃ１６に記載の方法。
［Ｃ３０］
前記第１のフィールドの変調が回転されたことに基づいて、前記拡張フィールドが含まれると判断し、前記ワイヤレス通信がＭＵ−ＭＩＭＯ通信または送信ビームフォーミング通信を備えると判断することと、前記拡張フィールド中のインジケータに基づいて、前記ワイヤレス通信が前記ＭＵ−ＭＩＭＯ通信を備えるのか前記送信ビームフォーミング通信を備えるのかを判断することとをさらに備える、Ｃ１６に記載の方法。
［Ｃ３１］
物理レイヤプリアンブルとペイロードとを備えるワイヤレス通信を受信するための手段であって、前記プリアンブルは、前記プリアンブルが拡張フィールドを含むかどうかを示す第１のフィールドを含む、受信するための手段と、
前記第１のフィールドが、前記プリアンブルが前記拡張フィールドを含まないことを示すとき、前記第１のフィールド中に含まれる変調コーディングパラメータに基づいて前記ペイロードを処理するための手段と、
前記第１のフィールドが、前記プリアンブルが前記拡張フィールドを含むことを示すとき、前記拡張フィールド中に含まれるコーディングパラメータに基づいて前記ペイロードを処理するための手段と
を備える、ワイヤレス通信のための装置。
［Ｃ３２］
実行されたとき、装置に、
物理レイヤプリアンブルとペイロードとを備えるワイヤレス通信を受信することであって、前記プリアンブルは、前記プリアンブルが拡張フィールドを含むかどうかを示す第１のフィールドを含む、受信することと、
前記第１のフィールドが、前記プリアンブルが前記拡張フィールドを含まないことを示すとき、前記第１のフィールド中に含まれる変調コーディングパラメータに基づいて前記ペイロードを処理することと、
前記第１のフィールドが、前記プリアンブルが前記拡張フィールドを含むことを示すとき、前記拡張フィールド中に含まれるコーディングパラメータに基づいて前記ペイロードを処理することと
を行わせる、命令を備えるコンピュータ可読媒体。
［Ｃ３３］
物理レイヤプリアンブルとペイロードとを備える通信を生成することと、前記プリアンブル中に拡張フィールドを含めるべきかどうかを判断することとを行うように構成されたプロセッサであって、前記プリアンブルは、前記拡張フィールドが含まれるかどうかを示す第１のフィールドを含み、前記プロセッサは、前記拡張フィールドを含めないことが判断されたとき、前記第１のフィールド中に前記ペイロードのための変調コーディングパラメータを含めるように構成され、前記プロセッサは、前記拡張フィールドを含めることが判断されたとき、前記拡張フィールド中に前記ペイロードのためのコーディングパラメータを含めるように構成された、プロセッサと、
前記生成された通信をワイヤレス送信するように構成された送信機と
を備える、ワイヤレス通信のための装置。
［Ｃ３４］
前記プロセッサは、マルチユーザ多入力多出力を使用するとき、前記拡張フィールドを含めることを判断するように構成された、Ｃ３３に記載の装置。
［Ｃ３５］
前記第１のフィールドが信号（ＳＩＧ）フィールドを備える、Ｃ３３に記載の装置。
［Ｃ３６］
前記ＳＩＧフィールド中のビットが、前記拡張フィールドが含まれるかどうかを示す、Ｃ３５に記載の装置。
［Ｃ３７］
前記ＳＩＧフィールド中の２ビットが、前記拡張フィールドが含まれるかどうかを示す、Ｃ３５に記載の装置。
［Ｃ３８］
前記ＳＩＧフィールドの変調の回転が、前記拡張フィールドが含まれるかどうかを示す、Ｃ３５に記載の装置。
［Ｃ３９］
前記ＳＩＧフィールドのシンボルの間の直角位相での指示が、前記拡張フィールドが含まれるかどうかを示す、Ｃ３５に記載の装置。
［Ｃ４０］
前記拡張フィールドが、１つまたは複数の変調コーディング方式の指示と、１つまたは複数の空間ストリームの指示と、グループ識別子と、巡回冗長検査と、予約済みサブフィールドと、末尾サブフィールドとを備える、Ｃ３３に記載の装置。
［Ｃ４１］
前記プロセッサが、少なくとも２つのタイプのうちの１つとして前記通信を送信することを判断するように構成され、前記タイプの各々の前記第１のフィールドが、シーケンスを有するトレーニングフィールドを備え、前記シーケンスが、前記第１のタイプの前記トレーニングフィールド中でよりも前記第２のタイプの前記トレーニングフィールド中で、より多くの回数反復される、Ｃ３３に記載の装置。
［Ｃ４２］
前記拡張フィールドがトレーニングフィールドを備える、Ｃ３３に記載の装置。
［Ｃ４３］
前記トレーニングフィールドがプリコーディングされる、Ｃ４２に記載の装置。
［Ｃ４４］
前記拡張フィールドがＳＩＧ−Ｂフィールドを備える、Ｃ３３に記載の装置。
［Ｃ４５］
各ユーザについて１つのＳＩＧ−Ｂフィールドが含まれる、Ｃ４４に記載の装置。
［Ｃ４６］
前記第１のフィールドが、前記通信の長さを示すサブフィールドを含み、前記プロセッサは、前記通信がシングルユーザ非アグリゲートＭＡＣプロトコルデータユニットのためのものであるとき、前記長さをバイト数として示すように構成され、前記プロセッサは、前記通信がシングルユーザ非アグリゲートＭＡＣプロトコルデータユニットのためのものでないとき、前記長さをシンボル数として示すように構成された、Ｃ３３に記載の装置。
［Ｃ４７］
前記プロセッサは、前記第１のフィールドの回転変調を使用して、前記拡張フィールドが含まれることを示し、前記通信がＭＵ−ＭＩＭＯ通信または送信ビームフォーミング通信を備えることを示すように構成され、前記プロセッサは、前記拡張フィールド中のインジケータを使用して、前記通信が前記ＭＵ−ＭＩＭＯ通信を備えるのか前記送信ビームフォーミング通信を備えるのかを表すようにさらに構成された、Ｃ３３に記載の装置。
［Ｃ４８］
通信の物理レイヤプリアンブル中に拡張フィールドを含めるべきかどうかを判断することと、
前記通信を生成することであって、前記通信が、前記プリアンブルとペイロードとを備え、前記プリアンブルは、前記拡張フィールドが含まれるかどうかを示す第１のフィールドを含み、前記生成することは、前記拡張フィールドを含めないことが判断されたとき、前記第１のフィールド中に前記ペイロードのための変調コーディングパラメータを含めることを備え、前記拡張フィールドを含めることが判断されたとき、前記拡張フィールド中に前記ペイロードのためのコーディングパラメータを含めることを備える、生成することと、
前記生成された通信をワイヤレス送信することと
を備える、ワイヤレス通信の方法。
［Ｃ４９］
前記判断することは、マルチユーザ多入力多出力を使用するとき、前記拡張フィールドを含めることを判断することを備える、Ｃ４８に記載の方法。
［Ｃ５０］
前記第１のフィールドが信号（ＳＩＧ）フィールドを備える、Ｃ４８に記載の方法。
［Ｃ５１］
前記ＳＩＧフィールド中のビットが、前記拡張フィールドが含まれるかどうかを示す、Ｃ５０に記載の方法。
［Ｃ５２］
前記ＳＩＧフィールド中の２ビットが、前記拡張フィールドが含まれるかどうかを示す、Ｃ５０に記載の方法。
［Ｃ５３］
前記ＳＩＧフィールドの変調の回転が、前記拡張フィールドが含まれるかどうかを示す、Ｃ５０に記載の方法。
［Ｃ５４］
前記ＳＩＧフィールドのシンボルの間の直角位相での指示が、前記拡張フィールドが含まれるかどうかを示す、Ｃ５０に記載の方法。
［Ｃ５５］
前記拡張フィールドが、１つまたは複数の変調コーディング方式の指示と、１つまたは複数の空間ストリームの指示と、グループ識別子と、巡回冗長検査と、予約済みサブフィールドと、末尾サブフィールドとを備える、Ｃ４８に記載の方法。
［Ｃ５６］
前記方法が、少なくとも２つのタイプのうちの１つとして前記通信を送信することを判断することをさらに備え、前記タイプの各々の前記第１のフィールドが、シーケンスを有するトレーニングフィールドを備え、前記シーケンスが、前記第１のタイプの前記トレーニングフィールド中でよりも前記第２のタイプの前記トレーニングフィールド中で、より多くの回数反復される、Ｃ４８に記載の方法。
［Ｃ５７］
前記拡張フィールドがトレーニングフィールドを備える、Ｃ４８に記載の方法。
［Ｃ５８］
前記トレーニングフィールドがプリコーディングされる、Ｃ５７に記載の方法。
［Ｃ５９］
前記拡張フィールドがＳＩＧ−Ｂフィールドを備える、Ｃ４８に記載の方法。
［Ｃ６０］
各ユーザについて１つのＳＩＧ−Ｂフィールドが含まれる、Ｃ５９に記載の方法。
［Ｃ６１］
前記第１のフィールドが、前記ワイヤレス通信の長さを示すサブフィールドを含み、前記生成することは、前記ワイヤレス通信がシングルユーザ非アグリゲートＭＡＣプロトコルデータユニットのためのものであるとき、前記長さをバイト数として示すことと、前記ワイヤレス通信がシングルユーザ非アグリゲートＭＡＣプロトコルデータユニットのためのものでないとき、前記長さをシンボル数として示すこととを備える、Ｃ４８に記載の方法。
［Ｃ６２］
送信することは、前記第１のフィールドの回転変調を使用することによって、前記拡張フィールドが含まれることを示し、前記ワイヤレス通信がＭＵ−ＭＩＭＯ通信または送信ビームフォーミング通信を備えることを示すことを備え、生成することは、前記拡張フィールド中のインジケータを使用して、前記ワイヤレス通信が前記ＭＵ−ＭＩＭＯ通信を備えるのか前記送信ビームフォーミング通信を備えるのかを表すことを備える、Ｃ４８に記載の方法。
［Ｃ６３］
通信の物理レイヤプリアンブル中に拡張フィールドを含めるべきかどうかを判断するための手段と、
前記通信を生成するための手段であって、前記通信が、前記プリアンブルとペイロードとを備え、前記プリアンブルは、前記拡張フィールドが含まれるかどうかを示す第１のフィールドを含み、生成するための前記手段は、前記拡張フィールドを含めないことが判断されたとき、前記第１のフィールド中に前記ペイロードのための変調コーディングパラメータを含めるための手段と、前記拡張フィールドを含めることが判断されたとき、前記拡張フィールド中に前記ペイロードのためのコーディングパラメータを含めるための手段とを備える、生成するための手段と、
前記生成された通信をワイヤレス送信するための手段と
を備える、ワイヤレス通信のための装置。
［Ｃ６４］
実行されたとき、装置に、
通信の物理レイヤプリアンブル中に拡張フィールドを含めるべきかどうかを判断することと、
前記通信を生成することであって、前記通信が、前記プリアンブルとペイロードとを備え、前記プリアンブルは、前記拡張フィールドが含まれるかどうかを示す第１のフィールドを含み、前記生成は、前記拡張フィールドを含めないことが判断されたとき、前記第１のフィールド中に前記ペイロードのための変調コーディングパラメータを含めることを備え、前記拡張フィールドを含めることが判断されたとき、前記拡張フィールド中に前記ペイロードのためのコーディングパラメータを含めることを備える、生成することと、
前記生成された通信をワイヤレス送信することと
を行わせる、命令を備えるコンピュータ可読媒体。
【図１】
0006049919.tif 000005
【図２】
0006049919.tif 000006
【図３】
0006049919.tif 000007
【図４】
0006049919.tif 000008
【図５】
0006049919.tif 000009
【図６】
0006049919.tif 000010
【図７】
0006049919.tif 000011
【図８Ａ】
0006049919.tif 000012
【図８Ｂ】
0006049919.tif 000013
【図８Ｃ】
0006049919.tif 000014
【図９】
0006049919.tif 000015
【図１０】
0006049919.tif 000016
【図１１】
0006049919.tif 000017
【図１２】
0006049919.tif 000018
【図１３Ａ】
0006049919.tif 000019
【図１３Ｂ】
0006049919.tif 000020
【図１４】
0006049919.tif 000021
【図１５】
0006049919.tif 000022
【図１６】
0006049919.tif 000023
【図１７】
0006049919.tif 000024
【図１８】
0006049919.tif 000025
【図１９Ａ】
0006049919.tif 000026
【図１９Ｂ】
0006049919.tif 000027
【図２０】
0006049919.tif 000028
【図２１】
0006049919.tif 000029
【図２２Ａ】
0006049919.tif 000030
【図２２Ｂ】
0006049919.tif 000031
【図２２Ｃ】
0006049919.tif 000032
【図２３】
0006049919.tif 000033
【図２４】
0006049919.tif 000034
【図２５Ａ】
0006049919.tif 000035
【図２５Ｂ】
0006049919.tif 000036
【図２６】
0006049919.tif 000037
【図２７】
0006049919.tif 000038
【図２８】
0006049919.tif 000039
【図２９】
0006049919.tif 000040
【図３０】
0006049919.tif 000041
【図３１】
0006049919.tif 000042
【図３２】
0006049919.tif 000043
【図３３】
0006049919.tif 000044
【図３４】
0006049919.tif 000045
【図３５】
0006049919.tif 000046
【図３６】
0006049919.tif 000047
【図３７】
0006049919.tif 000048
【図３８】
0006049919.tif 000049
【図３９】
0006049919.tif 000050
【図４０】
0006049919.tif 000051
【図４１】
0006049919.tif 000052
【図４２】
0006049919.tif 000053
【図４３】
0006049919.tif 000054